(57)【特許請求の範囲】
【請求項１】
フィルタカートリッジであって、
（ａ）開放されたフィルタ内部空間を取り囲むフィルタ媒体を備え、
（ｉ）前記フィルタ媒体は第１の端部及び第２の端部を有し、
（ｂ）前記フィルタ媒体の前記第１の端部に配置された第１の端部材を備え、
（ｉ）前記第１の端部材は、貫通する流れ開口部を有し、
（ｃ）前記フィルタ媒体の前記第２の端部に配置された第２の端部材を備え、
（ｄ）前記フィルタ媒体の前記第１の端部は、前記第１の端部材に隣接する位置で第１の媒体外周部を規定し、
（ｅ）前記フィルタ媒体の前記第２の端部は、前記第２の端部材に隣接する位置で第２の媒体外周部を規定し、
（ｉ）前記第１の媒体外周部及び前記第２の媒体外周部は、互いに関して偏心的に位置合わせされ、
（ｆ）前記第１の端部材は、前記流れ開口部の中心軸を囲むように形成された非円形のシール面を有する第１のハウジングシール部材を含み、
（ｉ）前記第１のハウジングシール部材は前記中心軸へ向いた又は前記中心軸から離れる方向に向いた密封力を提供するシール部材であることを特徴とするフィルタカートリッジ。
【請求項２】
（ａ）前記第２の端部材は、前記フィルタ媒体の前記第２の端部から前記フィルタ媒体の前記第１の端部に向かって前記開放されたフィルタ内部空間の中へ、前記フィルタ媒体の前記第２の端部から前記フィルタ媒体の前記第１の端部までの距離の少なくとも１０％に相当する距離だけ延出する受け入れ突起を含み、
（ｉ）前記受け入れ突起は、前記開放されたフィルタ内部空間とは反対の側に受け入れ凹部を規定することを特徴とする請求項１に記載のフィルタカートリッジ。
【請求項３】
（ａ）前記第２の端部材の前記受け入れ突起は、前記フィルタ媒体の延出方向に対して垂直な平面において非円形の断面形状を有する部分を有することを特徴とする請求項２に記載のフィルタカートリッジ。
【請求項４】
（ａ）前記第２の端部材は、前記フィルタカートリッジが配置されるハウジングの一部と、圧縮されて係合する第２のハウジング係合部材を含むことを特徴とする請求項１から３のいずれか１項に記載のフィルタカートリッジ。
【請求項５】
（ａ）前記第２の端部材は、前記フィルタカートリッジが配置されるハウジングに対する前記フィルタカートリッジの位置合わせのための突起構成を有する凹部を含むことを特徴とする請求項１から４のいずれか１項に記載のフィルタカートリッジ。
【請求項６】
（ａ）前記第２の端部材は、前記開放されたフィルタ内部空間及び前記第１の端部材から離間する方向に突出する中央軸方向突起を有する外面部分を含むことを特徴とする請求項１から５のいずれか１項に記載のフィルタカートリッジ。
【請求項７】
（ａ）前記第１のハウジングシール部材の前記非円形のシール面は、前記中心軸へ向いた少なくとも３つの突出部を含み、前記少なくとも３つの突出部は、前記中心軸の周囲方向に少なくとも３つの凹部と交互に配置されることを特徴とする請求項１から６のいずれか１項に記載のフィルタカートリッジ。
【請求項８】
（ａ）前記第１の端部材は第１の端部材外周部を有し、
（ｂ）前記第２の端部材は第２の端部材外周部を有し、
（ｉ）前記第１の端部材外周部及び前記第２の端部材外周部は、互いに関して偏心的に位置合わせされることを特徴とする請求項１から７のいずれか１項に記載のフィルタカートリッジ。
【請求項９】
（ａ）前記第１のハウジングシール部材と前記第２のハウジング係合部材は、互いに関して偏心的に位置合わせされることを特徴とする請求項４に記載のフィルタカートリッジ。
【請求項１０】
エアクリーナアセンブリであって、
（ａ）少なくとも１つのアクセスカバー、空気流れ入口及び空気流れ出口を有するハウジングと、
（ｂ）前記ハウジングの中に配置され且つ前記ハウジングに解放可能に密封された請求項１から９のいずれか１項に記載のフィルタカートリッジと
を備えることを特徴とするエアクリーナアセンブリ。
【発明の詳細な説明】
【技術分野】
【０００１】
本開示は、フィルタアセンブリに関する。説明され、示される特徴は、通常はガス（例えば、空気）クリーナアセンブリで適用される。典型的な用途は、車両又は他の機器のエアクリーナアセンブリである。説明される技術は、少なくとも部分的に、使用時に適正なカートリッジが適切に位置決めされ、配向され、固定されるようにする一方で、点検及び操作に便利な好適な構成をアセンブリに設けることに関する。
【背景技術】
【０００２】
フィルタアセンブリは、気体状流体（ガスフィルタ又なエアフィルタ、あるいはクランクケース通気フィルタ）及び液体状材料（オイルフィルタ、燃料フィルタ、油圧フィルタ及び水フィルタなどの液体フィルタ）を含む多様な物質を濾過するために使用される。説明される技術は、例えば、トラック、バス、オフロード建設機器、農業機器、発電機設備などの多様な車両及び他の機器の内燃機関の燃焼吸気を濾過するために使用される種類のエアクリーナのようなガスフィルタに関する用途に特に有用である。しかし、技術は、他の用途にも適用可能である。
【０００３】
本開示で考慮する種類のエアクリーナは、通常取り外し可能且つ交換可能な主フィルタカートリッジが内部に配置されるハウジングを含む。場合によっては、エアクリーナは二次フィルタカートリッジ又はセーフティフィルタカートリッジと共に使用されてもよい。
【０００４】
通常ハウジングは、点検するために内側に受け入れられたフィルタカートリッジを選択的にアクセスするための少なくとも１つの点検用カバー又はアクセスカバーを含む。フィルタカートリッジは、通常取り外されるか、あるいは新品のカートリッジと交換されるか、再生後に再び取り付けられるか、又は先に使用されていたが、再生されたカートリッジと交換されることにより点検される。
【０００５】
点検可能なフィルタカートリッジを備えるエアクリーナ構成に関連する問題点は、適正な取り付け及び密封を確保すること、意図しない動き又は運動に対してエアクリーナ内部でフィルタカートリッジを適切に支持すること、使用中にシステムを通る適正な空気（流体）流れを確保すること、点検に便利な構成にすること及び／又はフィルタカートリッジの不適正な取り付けからエアクリーナハウジングを保護することを含む。
【０００６】
これらの問題点に対処するエアクリーナアセンブリ及びそのフィルタカートリッジの改善が説明される。
【図面の簡単な説明】
【０００７】
【図１】図１は、本開示による特徴を含むフィルタカートリッジの例を示す概略斜視図である。
【図２】図２は、図１に示されるカートリッジの概略側面図である。
【図３】図３は、図１及び図２に示されるフィルタカートリッジの選択された概略横断面図である。
【図４】図４は、図１〜図３に示されるフィルタカートリッジの概略上部平面図である。
【図５】図５は、図１〜図４に示されるフィルタカートリッジの概略底部平面である。
【図６】図６は、図３のフィルタカートリッジの識別された部分を示す概略拡大部分横断面図である。
【図７】図７は、図１のフィルタカートリッジのアセンブリで使用可能なライナ部材又はライナ要素を示す概略斜視図である。
【図８】図８は、図７のライナ部材又はライナ要素の変形バージョンを示す第２の概略斜視図である。
【図９】図９は、図８のライナ部材又はライナ要素を示す概略閉鎖端部図である。
【図１０】図１０は、図１のフィルタカートリッジを使用可能なエアクリーナアセンブリを示す概略側面図である。
【図１１】図１１は、図１０のエアクリーナアセンブリの第２の概略側面図である。
【図１２】図１２は、図１０のエアクリーナアセンブリの第３の概略側面図である。
【図１３】図１３は、図１０〜図１２のエアクリーナアセンブリの概略出口端部図である。
【図１４】図１４は、図１０〜図１３のエアクリーナアセンブリの概略出口端部斜視図である。
【図１５】図１５は、図１０〜図１４のエアクリーナアセンブリの概略底部平面図である。
【図１６】図１６は、エアクリーナアセンブリの一部と密封係合している図１〜図３によるフィルタカートリッジの一部を示す概略部分横断面図である。
【図１７】図１７は、ハウジングの一部と密封係合している図１〜図３によるフィルタカートリッジの第２の部分を示す概略部分横断面図である。
【図１８】図１８は、フィルタカートリッジ及びエアクリーナアセンブリの更なる部分を示す図１７に類似する概略部分横断面図である。
【図１９】図１９は、本明細書による周囲突起位置合わせを示す第１の概略図である。
【図２０】図２０は、本明細書による周囲突起位置合わせを示す第２の概略図である。
【図２１】図２１は、本明細書による周囲突起位置合わせを示す第３の概略図である。
【図２２】図２２は、本明細書による周囲突起位置合わせを示す第４の概略図である。
【図２３】図２３は、本明細書による周囲突起位置合わせを示す第５の概略図である。
【図２４】図２４は、本開示によるカートリッジと共に使用可能な別のハウジング端部キャップ周囲部を示す概略図である。
【図２５】図２５は、本開示によるカートリッジと共に使用可能な別のシール周囲部規定を示す概略図である。
【図２６】図２６は、アセンブリの中のオプションの二次フィルタカートリッジ又はセーフティカートリッジの位置決めを示す図１６に類似する概略部分横断面図である。
【図２７】図２６は、アセンブリの中のオプションの二次フィルタカートリッジ又はセーフティカートリッジの別の位置決めを示す図２６に類似する概略部分横断面図である。
【図２８】図２８は、図２９〜図５４に従ったアセンブリの中のセーフティフィルタカートリッジの位置決めを示す概略横断面図である。
【図２９】図２９は、本開示によるエアクリーナアセンブリで使用可能なエアクリーナハウジング本体を示す概略側面図である。
【図３０】図３０は、図２９のハウジング本体を示す概略展開斜視図である。
【図３１】図３１は、ハウジング本体（図２９及び図３０による）及びアクセスカバーを有し、内部にフィルタカートリッジを含むエアクリーナアセンブリを示す概略横断面図である。
【図３２】図３２は、図３１のアセンブリを示す第２の概略横断面図である。
【図３３】図３３は、図３１及び図３２のエアクリーナアセンブリで使用可能なハウジング本体の一部を示す概略斜視図である。
【図３４】図３４は、図３３のハウジング本体部分を示す概略側面図である。
【図３５】図３５は、図３３〜図３４のハウジング本体部分を示す概略上部平面図である。
【図３６】図３６は、図３５の線３６−３６に沿った図３５のハウジング本体部分を示す概略横断面図である。
【図３７】図３７は、図３５の線３７−３７に沿った図３５のハウジング本体部分を示す概略横断面図である。
【図３８】図３８は、図３５の線３８−３８に沿った図３５の本体部分の突起部材の一部を示す拡大部分概略横断面図である。
【図３９】図３９は、図３１〜図３２のエアクリーナアセンブリを提供するために図２９〜図３０の本体部分に固定可能なアクセスカバーを示す概略上部斜視図である。
【図４０】図４０は、図３９のアクセスカバーを示す概略底部斜視図である。
【図４１】図４１は、図３９〜図４０のアクセスカバーを示す概略上部平面図である。
【図４２】図４２は、図３９〜図４０のアクセスカバーを示す概略底部平面図である。
【図４３】図４３は、図４１の線４３−４３に沿った図３９〜図４０のアクセスカバーを示す概略横断面図である。
【図４４】図４４は、図４１の線４４−４４に沿った図３９〜図４０のアクセスカバーを示す第２の概略横断面図である。
【図４５】図４５は、図３１及び図３２のエアクリーナアセンブリに取り付け可能なフィルタカートリッジを示す概略側面図である。
【図４６】図４６は、図４５のカートリッジを示す概略底部平面図である。
【図４７】図４７は、図４６の線４７−４７にほぼ沿った図４５のカートリッジを示す概略横断面図である。
【図４８】図４８は、図４５のカートリッジを示す概略上部平面図である。
【図４８Ａ】図４８Ａは、図４８の線４８Ａ−４８Ａに沿った図４８のカートリッジを示す概略横断面図である。
【図４９】図４９は、図４５のカートリッジを形成するときに使用可能なライナ支持体又はライナ要素を示す概略斜視図である。
【図５０】図５０は、図４９のライナ要素を示す概略上面端平面図である。
【図５１】図５１は、図４９〜図５０のライナ要素を示す概略側面図である。
【図５２】図５２は、図４９〜図５０のライナ要素を示す第２の概略側面図である。
【図５３】図５３は、図５０の線５３−５３にほぼ沿った概略横断面図である。
【図５４】図５４は、図２９及び図３０に従ったハウジング本体に図４７に従ったカートリッジを誤って挿入しようとする過程を示す概略図である。
【図５５】図５５は、更に取り付けようとしたことにより起こりうる結果を示す図５４に類似する概略横断面図である。
【図５６】図５６は、更に誤って挿入したことにより起こりうる結果を示す図５４及び図５５に類似する概略横断面図である。
【図５７】図５７は、本開示の原理に従った別のカートリッジを示す概略開放端部斜視図である。
【図５７Ａ】図５７Ａは、図５７のフィルタカートリッジを示す第１の概略横断面図である。
【図５７Ｂ】図５７Ｂは、図５７Ａの図に対してほぼ直角に見た場合の図５７のカートリッジを示す第２の概略横断面図である。
【図５７Ｃ】図５７Ｃは、図５７のフィルタカートリッジの構成要素を示す概略斜視図である。
【図５８】図５８は、図５７のフィルタカートリッジを示す別の概略開放端部斜視図である。
【図５９】図５９は、図５７のフィルタカートリッジを示す概略上面図である。
【図６０】図６０は、図５７のフィルタカートリッジを示す概略底面図である。
【図６０Ａ】図６０Ａは、図５７のフィルタカートリッジの底面図の第２の概略底面図である。
【図６１】図６１は、図５７〜図６０Ａのフィルタカートリッジで使用可能な偏心的構成の一例を示す概略投影図である。
【図６２】図６２は、図５７〜図６０に従ったフィルタカートリッジを含むエアクリーナアセンブリを示す概略側面図である。
【図６３】図６３は、図６２の図とは反対の側から図６２のエアクリーナアセンブリを示す第２の概略側面図である。
【図６４】図６４は、図６２の左側又は図６３の右側に向かって見た場合の図６２及び図６３のエアクリーナアセンブリを示す第３の概略側面図である。
【図６５】図６５は、図６２〜図６４のエアクリーナアセンブリを示す概略底面図である。
【図６６】図６６は、アクセスカバーを取り外し、内部に受け入れられたカートリッジの開放端部に向かって見た場合の図６２〜図６５のエアクリーナアセンブリを示す概略斜視図である。
【図６７】図６７は、図６２〜図６５のエアクリーナアセンブリを形成するために図６６のアセンブリに取り付け可能なアクセスカバーを示す第１の概略内側斜視図である。
【図６８】図６８は、図６７のアクセスカバーを示す第２の概略内側斜視図である。
【図６９】図６９は、図６２〜図６５のアセンブリのハウジング閉鎖端部構成要素を示す概略内側斜視図である。
【図７０】図７０は、図６９のハウジング閉鎖端部構成要素を示す別の概略内側斜視図である。
【図７１】図７１は、図６９及び図７０のハウジング閉鎖端部構成要素を示す概略底面図である。
【図７２】図７２は、図６２〜図６５のエアクリーナアセンブリを示す第１の概略横断面図である。
【図７３】図７３は、図７１の横断面図に対して直角に見た場合の図６２〜図６５のエアクリーナアセンブリを示す第２の概略横断面図である。
【図７４】図７４は、図６９に従ったハウジング閉鎖端部構成要素と位置合わせされている図５７のカートリッジを示す概略図である。
【図７５】図７５は、図７２の一部を示す拡大部分横断面図である。
【図７６】図７６は、図５７に従ったフィルタカートリッジと位置合わせされている図６に従ったハウジングアクセスカバーを示す概略斜視図である。
【図７７】図７７は、本開示に従った代替特徴を有するハウジング底部と整列するように挿入された状態で示される、本開示の付加的実施形態に従った選択された代替閉鎖端部キャップ特徴を有するフィルタカートリッジを示す拡大展開部分斜視図である。
【図７７Ａ】図７７Ａは、図７７のカートリッジの突起要素に向かって見た場合の拡大部分概略図である。
【図７７Ｂ】図７７Ｂは、図７７に従ったハウジング底部の選択された受け入れ部材を示す拡大部分概略図である。
【図７８】図７８は、別の実施形態に従った特定の突起／受け入れ部材の別の逆の位置決めを示す図７７に類似する部分斜視図である。
【図７９】図７９は、先に示された構成のうち選択された構成に対する特定の代替特徴を含むエアクリーナアセンブリを示す概略側面図である。
【図８０】図８０は、断面で内部の詳細を示すためにいくつかの部分を破断して示す、図７９の図の左側から見た場合の図７９に示されるアセンブリの第２の概略側面図である。
【図８１】図８１は、図７９及び図８０のアセンブリを示す概略上部平面図である。
【図８２】図８２は、図７９〜図８１のアセンブリを示す概略展開図である。
【図８３】図８３は、本開示の選択された特徴を具現化した付加的なフィルタカートリッジを示す概略斜視図である。
【図８４】図８４は、図８３のカートリッジを示す概略開放端部平面図である。
【図８５】図８５は、図８３のカートリッジを示す概略閉鎖端部平面図である。
【図８６】図８６は、図８３のカートリッジを示す第１の概略側面図である。
【図８７】図８７は、図８３のカートリッジを示す第２の概略側面図である。
【図８８】図８８は、内部の詳細を示すためにいくつかの部分を破断して示す、本開示の選択された原理に従ったフィルタカートリッジを含むエアクリーナアセンブリで使用するための別のハウジングの概略斜視図である。
【図８９】図８９は、アクセスカバーを取り外し、フィルタカートリッジを取り付けた状態で示される図８８のハウジングの概略横断面図である。
【図９０】図９０は、内部の詳細を示すためにいくつかの部分を破断して示す、カートリッジ及びアクセスカバーが所定の位置にある状態の図８８のアセンブリの概略斜視横断面図である。
【図９０Ａ】図９０Ａは、図８８〜図９０のアセンブリのアクセスカバーを示す概略端側斜視図である。
【図９０Ｂ】図９０に示された部品間の係合を示す図である。
【図９１】図９１は、内部の詳細を示すためにいくつかの部分を破断して示す、図９０のアセンブリの第２の概略斜視横断面図である。
【図９２】図９２は、図８８〜図９１のアセンブリのハウジングの下部分を示す概略斜視図である。
【図９２Ａ】図９２Ａは、図９２の識別された部分を示す拡大部分図である。
【図９３】図９３は、図８８〜図９１のアセンブリのフィルタカートリッジ部分を示す概略横断面上部斜視図である。
【図９４】図９４は、図８８〜図９１のアセンブリに関して図９２のハウジング部分と関連して取り付けられた状態で示される図９３のフィルタカートリッジ部分の概略上部斜視横断面図である。
【図９５】図９５は、下部分における図９４のアセンブリ部分を示す第２の概略上部斜視横断面図である。
【図９６】図９６は、図８９〜図９１のアセンブリに関してハウジング底部にある突起の端部分を示す概略拡大部分上面図である。
【図９７】図９７は、図８８〜図９１に従ったアセンブリの下部分を示す概略部分横断面図である。
【図９８】図９８は、図９７の部分を示す概略拡大部分図である。
【図９９】図９９は、図９７の部分を示す別の第２の概略拡大部分図である。
【図１００】図１００は、図９０のアセンブリに示されるフィルタカートリッジを示す概略底部斜視図である。
【図１００Ａ】図１００Ａは、図１００のフィルタカートリッジの予成形支持体構成要素を示す概略上部斜視図である。
【図１００Ｂ】図１００Ｂは、図１００Ａの予成形支持体構成要素を示す概略横断面図である。
【図１０１】図１０１は、ハウジング構成要素と関連して示される図８３に従ったフィルタカートリッジの概略斜視図である。
【図１０２】図１０２は、第１の代替ハウジング構成要素と関連する図８３に従ったフィルタカートリッジを示す概略斜視図である。
【図１０３】図１０３は、第２の代替ハウジング構成要素と関連して示される図８３に従ったフィルタカートリッジを示す概略斜視図である。
【図１０４】図１０４は、第３の代替ハウジング構成要素と関連する図８３に従ったフィルタカートリッジを示す概略斜視図である。
【図１０５】図１０５は、第４の代替ハウジング構成要素と関連する図８２に従ったフィルタカートリッジを示す概略斜視図である。
【発明を実施するための形態】
【０００８】
＜概要＞
本開示によれば、フィルタカートリッジ構成及びアセンブリの選択された特徴が提供される。組み立て及び使用の方法も提供される。技術及び特徴は、エアクリーナアセンブリと共に使用されるか又はエアクリーナアセンブリと共に使用するためのエアフィルタカートリッジに関連して特に適用可能である。しかし、本明細書において説明される選択された技術を別の用途に適用することは可能である。
【０００９】
説明される技術は、エアクリーナアセンブリの中にフィルタカートリッジを適正に取り付け、密封すること、意図しない動き又は運動に対してエアクリーナの中のフィルタカートリッジを適切に支持すること、使用中にシステム、すなわちエア（ガス）クリーナを通る適正な空気（又はガス）の流れを確保すること、点検に便利な構成にすること及び／又は不適正なフィルタカートリッジの取り付けに対して（エア）クリーナハウジングを保護することなどの問題に関連して様々な利点を提供するために使用できる。これらの利点のすべてを得るように特徴及び技術を適用することは特段要求されない。しかし、図面に特徴を示される様々な例のシステムはこれらの利点を実現する。
【００１０】
個別に利点を有する多様な特徴及び技術が説明される。何らかの利点を得るために、それらの特徴及び技術のすべてを適用することは特段要求されない。従って付加的な利点を得るために、多くの特定の特徴は任意の特徴であるとみなすことができる。
【００１１】
特徴を示される第１の種類のシステムの例では、フィルタカートリッジは開放されたフィルタ内部空間を取り囲むフィルタ媒体を備える。フィルタ媒体は第１の端部及び第２の端部を有し、各端部は両端の端部材に隣接して媒体周囲部を規定する。第１の種類のフィルタの例の場合、本明細書において示される特徴によれば、媒体周囲部（両端部）はカートリッジ内で偏心的に位置合わせされる。
【００１２】
本開示に従って使用される場合のカートリッジの両端部にある特徴の互いに対する偏心的な位置合わせ（整列）に関連する多様な技術の特徴が示されている。先の段落では、各端部材に隣接する媒体の周囲部分が偏心的に位置合わせ又は整列されたパターンを規定する特徴の例が示される。媒体の両端部の他の特徴（偏心的な位置合わせ又は整列の利点を提供するために、先の特徴に加えて又はその代わりに使用可能である）は、カートリッジの両端部の端部材の選択された特徴及び／又はカートリッジの両端部に配置されたハウジング係合部材を含む。
【００１３】
好都合なエアクリーナ及びエアクリーナハウジング構成の特徴も示される。更に組み立て及び使用の方法の特徴も示される。
【００１４】
特徴の多くは、カートリッジの両端部の特徴の偏心的な位置合わせに関するが、本明細書において特徴を示される技術のうち特定の技術に従って利点を得るために、そのような偏心的な位置合わせは特段要求されない。これは以下に示される特徴のうち特定の特徴から明らかだろう。
【００１５】
本開示による何らかの利点を得るために、構成が本明細書において示される有利な特徴のすべてを含むことは特段要求されない。更に説明される技術が適用される場合、本開示による技術によって可能なすべての利点を得るために説明される技術を適用することは特段要求されない。
【００１６】
＜詳細な説明＞
Ｉ．有利なフィルタカートリッジの特徴及び組み立ての方法、図１〜図９
Ａ．カートリッジの特徴全般
本明細書において特徴を示される原理をどのように具現化できるかを示すフィルタカートリッジの一例が図１〜図６に示される。以下に説明される可能な変形例に関連する説明から理解されるように、図１〜図６の図示は、有用な一実施形態の一例を提供する。原理は、多様な代替形態でも具現化できる。
【００１７】
図１を参照すると、フィルタカートリッジ１が示される。一般にフィルタカートリッジ１は、第１の媒体端部３と反対側の第２の媒体端部４との間に延設された延設媒体２を備える。図示される特定の例の場合、媒体２は、開放されたフィルタ内部空間７を取り囲むように構成される。
【００１８】
媒体２は、一般に第１の媒体端部３に配置された第１の端部材（端部キャップ）１０と、反対側の媒体２の第２の端部４に配置された第２の端部材（端部キャップ）１１との間に延設される。
【００１９】
図示される例のフィルタカートリッジ１では、第１の端部材１０は、第１の端部材を貫通し、開放されたフィルタ内部空間７と流体連通する中央空気流れ開口部１６を有する開放された端部材１５である。これが典型的な構成である。
【００２０】
図示されるカートリッジ１の例の場合、第２の端部材１１は、閉鎖された端部材１８であるのが好ましい。本明細書における用語「閉鎖された」は、端部材１１が端部材を貫通し、開放されたフィルタ内部空間７と流体連通する開口部を持たないこと、すなわち流れ開口部１６も通過する流れが起こりうる開口部を持たないことを意味する。これに代わる構成も可能であり、場合によっては端部材１１を開放された端部材として構成することもできる。しかし、本明細書において特徴を示される多くの用途に関しては、閉鎖された端部材１８は典型的であり好ましい。
【００２１】
更に図１を参照すると、典型的にはカートリッジ１は、濾過中に「外から中へ」の流れを形成するように構成される。これは濾過流れが一般に媒体２の外周部２ｏから開放された内部空間７を取り囲む媒体内周部２ｉに向かって起こることを意味する。しかし、本明細書で説明される技術のいくつかの用途では、これに代わる流れ又は逆方向の流れも可能である。
【００２２】
カートリッジ１が濾過中に媒体２を通過する外から中への流れを形成するように構成される場合、開口部１６は、当然のことながら出口開口部１６ｏになる。
【００２３】
空気濾過のための典型的な用途では、媒体２は端部３及び４の間の延設部分に襞を有する。すなわち、媒体２は、内部空間７を取り囲む複数の襞を備える襞付き媒体２ａである。これにより、選択された容積の中で媒体の面積は相対的に大きくなるので、カートリッジの寿命及び効率に関して好都合である。媒体２として現在利用可能であり、使用されている媒体材料から、又は現時点では開発途上である媒体材料から、多様な種類の媒体を選択できる。多くの場合、選択される媒体２はセルロース繊維媒体であるが、他の材料も可能である。媒体は必要に応じて微細繊維又は他の材料などの表面処理を有効に施されることが可能である。
【００２４】
図１を参照すると、図示されるカートリッジ１はオプションの接着剤ビード２０を有し、この接着剤ビード２０は媒体２を取り囲み、外側襞先端部と係合する。ビード２０は、使用中に外側襞先端部を適正な位置、向き及び間隔に容易に固定する。
【００２５】
フィルタカートリッジ１は、媒体２の外周部２ｏを取り囲むオプションの外側ライナ２１を提供することができる。そのようなライナは、他の種類のカートリッジに関してよく知られており、カートリッジ１のようなカートリッジと共に使用するために同様に適用可能である。使用できる既に知られた多様なライナには、エキスパンドメタルライナ、穴あき金属ライナ、多孔質プラスチックライナ及び多様な他の構成がある。カートリッジ１に関して特に有用な外側ライナは、例えばポリエチレンから製造された可撓性プラスチック網状構成２１ｘである。そのような伸縮自在の外側ライナは、出荷中及び取扱い中に媒体２の一体性を容易に保護することができる。しかし、構成が濾過中に外から中に向かう流れを形成するような構成である場合、使用中の空気圧は、一般に媒体２を外側に押すのではなく内側へ押すので、実質的に剛性の構成支持体（可撓性網状ライナによっては提供されない）は、通常それほど重要ではない。ライナ２１として選択される材料の種類に応じて、ライナはビード２０の下方又はビード２０の上方に配置されることが可能である。
【００２６】
通常、特に外から中に向かう流れ構成と共に使用される場合、カートリッジ１は周囲に媒体２が配置される内側ライナ又は内側支持構成２４を備えるのが好ましい。内側ライナ又は内側支持構成２４は、一般に媒体２に対して構成支持を提供するために、媒体端部３、４の間及び端部材１０、１１の間に延設される相対的に剛性の構成である。内側ライナ２４は、金属又はプラスチックを含む多様な材料から製造可能である。本技術の典型的な用途の場合、内側ライナ２４は、以下に説明されるように成形プラスチック構成であることが多い。
【００２７】
以上、特徴を示した通り、カートリッジ１は、エアフィルタ構成を含む多種多様なフィルタ構成で適用される特徴を有するものとして説明された。そのような特徴を含む例は、参考として本明細書に取り入れられている米国特許第６，６５２，６１４号公報、米国特許第６，８３７，９２０号公報、米国特許第６，９８６，８０５号公報、米国特許第７，２９１，１９８号公報、米国特許第７，５７２，３１０号公報、米国特許第７，９８１，１８７号公報、米国特許第７，０７０，６４２号公報、米国特許第７，９８８，７５７号公報、米国特許第７，６６２，２０３号公報、米国特許第８，２１６，３３５号公報、米国特許第８，３９４，１６６号公報、米国特許第７，５２４，３４９号公報、米国特許第７，９８１，１８６号公報、米国特許第８，２９２，９８４号公報、米国特許第８，０６６，７９１号公報において特徴を示されるユニットである。
【００２８】
Ｂ．選択された有利なカートリッジの特徴
次に図２に注目すると、図２において、同じ図中符号は、先に示された特徴を示す。図２を検討することにより、図示されるカートリッジ１が先に挙げた引用文献である米国特許第６，６５２，６１４号公報、米国特許第６，８３７，９２０号公報、米国特許第６，９８６，８０５号公報、米国特許第７，２９１，１９８号公報、米国特許第７，５７２，３１０号公報、米国特許第７，９８１，１８７号公報、米国特許第７，０７０，６４２号公報、米国特許第７，９８８，７５７号公報、米国特許第７，６６２，２０３号公報、米国特許第８，２１６，３３５号公報、米国特許第８，３９４，１６６号公報、米国特許第７，５２４，３４９号公報、米国特許第７，９８１，１８６号公報、米国特許第８，２９２，９８４号公報、米国特許第８，０６６，７９１号公報におけるカートリッジのような多くの以前のカートリッジと区別される点のいくつかを理解できる。
【００２９】
例えば、カートリッジ１は、端面図又は軸方向投影図（すなわち、端部材１０、１１の間の最短方向（軸方向）に対して垂直な平面への投影）で「偏心的」又は「偏心的に整列又は位置合わせされる」として定義できる両端部の選択された特徴を含む。図示されるカートリッジ１は、このように表すことができる多様な特徴を含む。しかし、本開示による何らかの利点を得るために、カートリッジにおいて、偏心的でありうるとして述べられ、示されるすべての特徴を偏心的であるように実現することは特段要求されない。このことは、偏心的に位置合わせされる特徴の動作上の利点に関連する説明から明らかになるだろう。
【００３０】
図２を参照すると、端部材１０にすぐ隣接するか又は端部材１０に埋め込まれた媒体端部３は、図１の外側ライナ２１及び外側襞先端部２ｔのうち１つ以上により規定される外周部３ｐを有するとして特徴付けることができる。周囲部３ｐは、３ｃで示され、軸３ｘにより規定される中心を取り囲むものとして特徴付けることができる。中心３ｃは、第１の中心ｃ１として特徴付けられてもよい。
【００３１】
端部４では、媒体２は、同様に図１の外側ライナ２１及び／又は外側襞先端部２ｔにより規定される外周部４ｐを有すると特徴付けることができ、周囲部４ｐは中心軸４ｘにより規定される中心４ｃを取り囲む。中心４ｃは、第２の中心ｃ２として特徴付けられてもよい。
【００３２】
図２を検討することによりわかるように、外周部３ｐ、４ｐに関して、両端部４、３は互いに対して偏心的である。すなわち、各外周部３ｐ、４ｐは、中心（それぞれ３ｃ、４ｃ）を取り囲んで規定するが、端面図で見た場合、すなわち、端部３、４又は端部材１０、１１の間の最短方向に対して垂直な平面に投影した場合、それらの中心（３ｃ、４ｃ）は、互いに対してずれているか又は偏心的に位置合わせされている。このずれ、偏心性又は偏心的な位置合わせの部分は、図２の側横断面図の投影平面において寸法Ａで示される。
【００３３】
以下に更に詳細に説明されるように、カートリッジ１の使用時に利点を提供するために、カートリッジ１の両端部における特徴の偏心性（偏心的な位置合わせ）を使用できる。これは多様な形態で実現可能であり、特定してどのように実現されるかに応じて、いくつかの利点のうち１つ以上を得るために使用できる。偏心性が特定してどのように実現されるかに応じて、得ることができる可能な利点の中には、
１．使用中の性能に関する利点
２．ハウジング内部におけるカートリッジの好適な確実な係合
３．カートリッジが問題のハウジングに対して適正なカートリッジであることの確認に関する利点
４．使用中にハウジングの中の空気の好適な流れパターンの確保
という利点のうち１つ以上がある。
【００３４】
尚、先に特徴を示したすべての利点を得るために、ここで示した特徴を実現することは特段要求されない。状況に応じて利点のうち１つ以上を得るために、それらの特徴を任意に実現することができる。
【００３５】
次に図４に注目する。図４は端部材１０に向かって見た場合のカートリッジ１の上部平面図である。投影した場合の端部３における媒体２の外周部３ｐ（図２）の中心が３ｃで示され、投影した場合の媒体２の端部４における媒体外周部４ｐ（図２）の中心が４ｃで示される。従って、図４は、先に特徴付けたような投影の形態である。中心３ｃ及び４ｃの間のずれ又は偏心性Ｚは、２つの次元（投影平面で）でオフセットＫ及びオフセットＬによりそれぞれ特徴付けることができる。これにより、ずれ又は偏心的な位置合わせの直線的寸法又は距離（Ｚ）は（Ｌ２＋Ｋ２）の平方根に相当するという結論が得られるだろう。
【００３６】
更に図４を参照して端部材１０に注目する。複数のオプションの離間した突起２３が端部材１０から突出して、すなわち図４の向きで図面を見ている人に向かう方向に設けられている。突起２３は、カートリッジ１が取り付けられる場合にハウジングの一端部、例えばアクセスカバーに接触する突起であり、通常端部材１５の部分を形成しているのと同じ圧縮可能な弾性材料から形成される。通常突起２３は、以下に説明されるように、端部材１５の他のモールド・イン・プレース成形部分と一体に形成される。示される特定のカートリッジ１において、突起２３は離間した突起２３を含む突起部材を形成する。用途によっては、突起２３を互いに接合して、１つの連続するリングを形成することも可能である。
【００３７】
図４において、図３の横断面図を規定する横断線３−３に注目する。図３を参照すると、示される横断面図により、カートリッジ１の更に別の独自の特徴を更に理解できる。
【００３８】
本技術の特定の好適な適用形態の特徴は、同様にカートリッジ１の両端部の選択された特徴の偏心的な位置合わせ（整列）に関する。先に示したように、これは多様な方法で実現可能であり、多様な選択されたカートリッジ特徴に関して特徴付けることができる。この点に関して、用語「偏心的」、「偏心的な位置合わせ」及びその変形は、一般に指示される特徴の中心（ｃ１、ｃ２）［両端部（３、４）又は端部キャップ（１０、１１）の間の最短方向に対して垂直な平面に投影した場合］が互いに位置合わせされないこと、すなわち重なり合わず、偏心距離Ｚだけずれていることを意味する。
【００３９】
そのような偏心性（又はずれ）の第１の例は、端部３に隣接する媒体２の外周部３ｐの中心３ｃ及び端部３とは反対側の端部４である媒体端部４の外周部４ｐの中心４ｃに関連して先に特徴付けられた。図３には、偏心性は位置３ｃ及び４ｃにより示され、示される断面の平面におけるずれの量はＩで示される。
【００４０】
尚、外周部の規定３ｐ、４ｐに関して、媒体２が襞付き媒体である場合、外側襞先端部により規定されるパターンを参照するものとし、不均一に規定された襞先端部のわずかな変化又は襞先端部の向きのわずかなばらつきは無視されるものとする。
【００４１】
カートリッジ１の偏心性は、別の方法で規定され及び／又は提供されることが可能である。例えば、場合によっては、偏心性は、媒体の特徴ではなく（又はそれに加えて）端部キャップの特徴に関して規定されることも可能である。
【００４２】
この一例は、２つの端部キャップ１０、１１の特定のハウジング係合特徴をそれぞれ検討することにより理解できる。まず、図３の端部キャップ１０を参照すると、端部キャップ１０は、ハウジングシール構成３４によりアクセスカバーの特徴又は他の特徴などのハウジングの特徴に対して密封されるのが好ましい。多様なハウジングシール構成を使用できる。図示される特定のハウジングシール構成３４は、半径方向シール構成３５である。ハウジング半径方向シール又は半径方向シール構成は、一般に半径方向シール構成３５が周囲に延設される中心軸Ｘ１にほぼ向かうか又はそれから離間する方向の密封力を提供するように（解放可能な密封係合）構成された構成である。この場合、半径方向シール構成３５は円形であるが、オーバル形又は他の構成などの代替構成も可能である。軸Ｘ１により示される中心は、半径方向シール構成３５により規定されるシールパターンの中心である。この例では、半径方向シール構成３５は、外側に向いた半径方向シール３６であり、これは半径方向シール構成３５のシール面が軸Ｘ１から半径方向外側に向いていることを意味する。しかし、説明した原理は内側に向いた半径方向シール、すなわちほぼ軸Ｘ１に向いたシールでも適用可能である。
【００４３】
従って図３を参照すると、半径方向シール構成３５は、この例では半径方向シール構成３５により提供されるシール既定の中心を貫通して垂直に延設する中心軸Ｘ１により規定される中心の周囲に円形パターンを規定する（外側に向いた）半径方向シール３６であることがわかる。この例ではシール３６及び端部３における媒体外周部３ｐが同心の（又はほぼ同心の）円を規定するので、この軸Ｘ１は中心３ｃ及び軸３ｘと一致する。
【００４４】
更に図３を参照すると、この例では半径方向シール構成３５は、シールパターンの第１の端部材の中心軸Ｘ１に対して直交する平面にシール突起周囲部を有するシール部材であることが理解できる。これは半径方向シール構成３５がそれを通る平面に関して、中心軸Ｘ１に対して傾斜しているのではなく、中心軸Ｘ１に対して直交していることを意味する。これに代わる構成も可能である。
【００４５】
図３の第２の端部キャップ１１は、取り付けられた場合にオプションの第２のハウジング係合構成又は底部係合構成４０によりハウジングと係合するのが好ましい。図示される例の第２の（又は底部）ハウジング係合構成４０も、中心軸Ｘ２の周囲で半径方向に向いている。この場合半径方向係合の方向は半径方向内側に向いた係合であるが、それに代わる構成も可能である。
【００４６】
半径方向係合構成４０はシールであることが可能であるが、図示される例では端部キャップ１１が閉鎖されているので、すなわちカートリッジ内部空間７の中へ空気を流通させるように端部キャップの中央領域１１ｃが開放されていないので、シールである必要はない。
【００４７】
典型的には第２のハウジング底部又は底部係合４０は、単なる緩い整列又は係合ではない。典型的にはこれは「抵抗型」係合構成であるのが好ましい。本明細書において使用される場合の用語「抵抗型係合構成」及びその変形は、端部キャップ１１をハウジングから分離するために力を加えなければならなくなるような何らかの能動的な相互作用を構成が有していることを意味する。典型的な抵抗型係合構成は、端部キャップ１１の部材４０が圧縮されて、ハウジングの一部と係合するような構成である。これは、「圧縮」係合構成として又はそれに類似する用語により特徴付けられる。そのような圧縮抵抗型係合構成は、端部キャップ１１が閉鎖された場合にシールを形成するためにも連続して構成できるが、係合部でシールは特段要求されない。
【００４８】
圧縮係合に加えて又はその代わりに、構成４０とハウジングとの間で締まりばめが使用される場合、係合構成は、「干渉型」構成として又はそれに類似する用語により特徴付けられるような種類であってもよい。
【００４９】
第２のハウジング係合構成又は底部ハウジング係合構成４０の（内側）周囲部４０ｐにより規定されるパターンは、多様な形状をとることができる。例えば、パターンは円形であることが可能である。しかし、図示される例のカートリッジ１の場合、第２のハウジング係合構成又は底部ハウジング係合構成４０により規定される内周部４０ｐはオーバル形であり、この例ではほぼ楕円形である。外周部はオーバル形であるので、その中心は、一般に長円の最長二等分線の中間点に規定できる。図示される例では、中心は中心軸Ｘ２により示され、これは媒体２の外周部４ｐの中心４ｃの規定にも対応するが、それに代わる構成も可能である。
【００５０】
投影した場合、軸Ｘ１により規定される半径方向シール構成３５の一部の中心と、軸Ｘ２により規定される第２のハウジング係合構成４０の中心とは、互いに対して偏心的であり、すなわち互いに対してずれている又は偏心的に位置合わせされている。すなわち、端部材１０、１１の最短方向に対して垂直な平面に投影した場合、半径方向シール構成３５の中心Ｘ１と、第２のハウジング係合構成４０の中心Ｘ２とは揃わず、偏心距離Ｚだけずれている。言い換えれば、軸Ｘ１及びＸ２は同軸ではない。図３の断面の平面に投影した場合、このずれ又は偏心距離は寸法Ｉにより示される。図示される実施形態においては、軸Ｘ１及びＸ２は中心３ｃ、４ｃにそれぞれ対応し、それらを規定するので、端部材１０及び１１の間の最短方向に対して垂直な平面に投影した場合、２つの次元におけるずれは、言うまでもなく、図４の中心３ｃ、４ｃによるずれにより、寸法Ｌ及びＫによって示される。
【００５１】
両端の端部材１０、１１の選択された特徴の偏心的な位置合わせに関してここまで提示された説明では、ハウジングとの係合に使用される特徴、この例では一方の端部キャップの半径方向シール及び他方の端部キャップの半径方向に向いたハウジング係合特徴に関して説明されていた。尚、有利な偏心性は、２つの端部キャップ又は両端部の他のカートリッジ特徴にある代替特徴又はそれと関連する代替特徴により規定されることも可能である。これは以下に説明される。
【００５２】
尚、図３に示される例の場合、本明細書で説明されるように、媒体２はほぼ円筒形である。これが典型的であるが、場合によっては媒体は、例えばやや円錐形のパターンで構成されることも可能である。そのような変形の例も以下に説明される。
【００５３】
Ｃ．カートリッジ１の付加的特徴
次に、図１〜図３のカートリッジ１の付加的特徴に関して、図３、特に端部材１１に注目する。図示される例では、端部材１１はほぼ「閉鎖された」端部材１８である。すなわち、端部材１１は、未濾過流体を内部２ｉの中に流入させ、出口流れ開口部１６へ流すと考えられるどの位置でも、通過する材料の未濾過流れに対して開放されていない。端部材１１は閉鎖されていると特徴付けられるので、媒体２により取り囲まれる領域を横切って延設するその中心１１ｃも閉鎖されている。
【００５４】
図示されるカートリッジ１の例では、ハウジング内部空間７の中に、閉鎖された端部材１１の一部として受け入れ突起又は案内受け入れ部４５が配置される。受け入れ突起４５は、一般に媒体の端部４に隣接する位置から端部材１０及び媒体端部３に向かって、媒体端部３、４の間の距離の少なくとも１０％、典型的にはその距離の少なくとも１５％、通常はその距離の少なくとも２０％、多くの場合にその距離の２５％以上、６０％以下の量、例えばその距離の２５％以上、５０％以下の量に相当する距離だけ突出する。しかし、これに代わる構成も可能である。
【００５５】
更に、典型的な用途では、受け入れ突起は、端部４に隣接する位置から端部３に向かって、少なくとも５０ｍｍ、通常は少なくとも８０ｍｍ、多くの場合に少なくとも１００ｍｍ、典型的には１００ｍｍ以上、２８０ｍｍ以下の範囲内（例えば１００ｍｍ以上、２５０ｍｍ以下）の量だけ、多くの場合に１２０ｍｍ以上、２５０ｍｍ以下の範囲内（例えば１２０ｍｍ以上、２２０ｍｍ以下）の量だけ突出する。
【００５６】
典型的には、受け入れ突起４５は、その外面４５ｘ（すなわち、端部材１０及び内部２ｉの側ではない側の面）が、使用中にカートリッジ１を取り付けている間にハウジングの案内突起が受け入れられる受け入れ凹部４６を取り囲む又は規定するように構成される。これを実現するための構成並びに動作上の利点及び結果は、以下に更に説明される。
【００５７】
受け入れ突起と同様に、受け入れ凹部４６も、典型的には、媒体の端部４に隣接する位置から端部材１０及び媒体端部３に向かって、媒体端部３、４の間の距離の少なくとも１０％、典型的にはその距離の少なくとも１５％、通常はその距離の少なくとも２０％、多くの場合にその距離の２５％以上、６０％以下の範囲内の量、例えばその距離の２５％以上、５０％以下の範囲内の量に相当する距離だけ突出する。更に、凹部４６は、典型的には、端部４に隣接する位置から端部３に向かって、少なくとも５０ｍｍ、通常は少なくとも８０ｍｍ、多くの場合に少なくとも１００ｍｍ、典型的には１００ｍｍ以上、２５０ｍｍ以下の範囲内（例えば１００ｍｍ以上、２８０ｍｍ以下）の量、例えば多くの場合に１２０ｍｍ以上、２５０ｍｍ以下の範囲内（例えば１２０ｍｍ以上、２２０ｍｍ以下）の量の延出又は深さの寸法を有する。
【００５８】
更に図３を参照して、先に特徴を示したように、端部材１１は閉鎖された端部材であることに再度注意する。突起４５はそれ自体が閉鎖され、端部材１１の閉鎖された内部領域１１ｃの一部を形成するので、本明細書で使用される場合の用語「閉鎖された」は、凹部４６が存在しているにもかかわらず、この意味で適用可能である。従って、凹部４６に流入する空気、すなわち係合構成４０により規定される開口部を通って流入する空気は、端部材１０の開口部１６を通過できない。
【００５９】
受け入れ突起４５及び対応する受け入れ凹部４６は、多様な形状で規定できる。例えば、それらは円錐形であることが可能である。図示される特定の例は、図４で見ることができる突起４５及び凹部を示し、突起及び凹部は先端部４５ｔに向かって細くなる形状であるが、断面は円形ではなく、一般にオーバル形である。場合によっては、突起４５及び凹部は、それら２つが１つの回転向きにあるときにのみハウジング突起を受け入れることができるような形状を有するように構成されることが望ましいだろう。すなわち、例えば一方の側を歪ませることにより、オーバル形状から変形させてもよいだろう。このことは以下に更に説明される。
【００６０】
偏心性を規定するために使用される２つの特徴の各々の特定の幾何学構成は特段要求されず、各特徴が同一の全般的幾何学パターンを有していなければならない又は互いに異なる幾何学パターンを有していなければならないということも要求されない。このことは、以下に説明される変形例のいくつかから理解されるだろう。また、図３の例に示されるように、媒体がその長さを通して一貫して同一の襞深さを有していなければならないということも特段要求されず、襞深さは、外側襞周囲部２ｐ又は先端部２ｔと内側襞先端部又は周囲部２ｉとの間の距離である。変形も可能である。
【００６１】
Ｄ．襞先端部定義の変形
尚、本明細書において、襞先端部により規定される幾何学形状を参照してきた。この用語は、内側襞先端部を表すか又は外側襞先端部を表すかに関わらず、種々の襞先端部に接触する周囲部により規定される形状を表す。先の説明では、円形などの一般的形状が説明された。例えばオーバル形を含む、それに代わる形状も可能である。一般に襞先端部により規定される一般的形状を説明する場合、ごくわずかな襞先端部の変化は無視されるものとする。例えば襞がわずかに歪んでいる場合、その歪みは外側襞先端部の実際の周囲部パターンに内側への傾きを生じさせるだろう。例えば、襞先端部パターンが円形又はほぼ円形のパターンであるという場合、そのようなわずかな変化は無視されるものとする。
【００６２】
典型的には、媒体に襞が形成され、襞の深さが一定のままである場合、第１の端部に隣接する第１の媒体外周部は第１の長さ寸法を有し、第２の端部材に隣接する第２の媒体外周部は第２の長さ寸法を有し、第１の長さ寸法は、第２の長さ寸法の９８％〜１０２％の範囲内、通常は９９％〜１０１％の範囲内であり、多くの場合に２つの長さ寸法はほぼ等しい。同様に第１の端部に隣接する第１の媒体外周部は、第２の長さ寸法の１５ｍｍ以内（例えば１０ｍｍ以内）の長さを有する。寸法は単に両端部に隣接する襞の変化によるわずかなばらつきは重大ではないことを意味するにすぎない。
【００６３】
より一般的に言えば、本明細書において説明される技術の多くの用途で、第１の端部材に隣接する媒体外周部は、第２の端部材に隣接する媒体外周部の長さ寸法の９０〜１１０％、典型的には９５〜１０５％の範囲内の長さ寸法を有する。特定の好適な用途では、それら２つの長さ寸法がほぼ等しいこと、すなわち互いに９８％〜１０２％以内、多くの場合に９９％〜１０１％以内であることは言うまでもない。
【００６４】
媒体が円筒形である場合、端部材１０、１１に媒体が埋め込まれる位置にほぼ隣接して、対応する端部材の中心軸に対して直交する平面で見ると、円筒が傾いているために、媒体の周囲に沿ったパターンは円形からわずかに歪む。媒体周囲部の規定から端部材の規定までの説明において、この円形からのわずかな歪みは、特に傾斜角が５°未満である場合にはほぼ無視される。
【００６５】
Ｅ．カートリッジの他の特徴
図５、特に端部材１１に注目する。端部材１１に、図面を見ている人に向かう方向に突出するような突起構成２７が配置され、図示される例では、突起構成２７は複数の離間した突起２７ｐを含む。この構成の代わりに、突起構成２７は連続するリングであることも可能だろう。突起２７ｐは、先に端部材１０に関して説明した突起２３と同様に作用する。すなわち、突起２７ｐは、典型的には圧縮性材料から、例えば端部材１１の選択されたモールド・イン・プレース成形部分から形成されるだろう。これらの突起２７ｐはハウジングの中でカートリッジ１を緩衝するのを補助し許容差の差異に対応する。
【００６６】
図３、図４及び図５の比較から、本発明の特定の用途の特性が理解されるだろう。特に、媒体パターンが偏心的に配置されている場合、媒体及び／又はライナの両側の周囲縁部が端部材１１から端部材１０に向かうほぼ同一の方向に、いずれかの端部材１０、１１の中心軸に関して傾いているような少なくとも１つの断面が存在する。媒体が円筒形であり、両端部が偏心的に配置される場合、この傾きがより大きく強調される断面は、各端部の投影中心を通る断面である。図４を参照すると、これはずれＺにより示される４ｃから３ｃへの線にほぼ沿った断面になるだろう。この傾斜の角度は断面の両側で、典型的には少なくとも０．３°、通常は少なくとも０．６°、多くの場合に少なくとも１°、通常は１０°以下であり、典型的な用途では、１°〜１０°の範囲内、例えば１°以上、８°以下の範囲内である。
【００６７】
これは、この断面における２つの両縁部に関する傾斜の量が同一であることを示唆するものではない。例えば襞の変形によって、差異が生じてもよい。
【００６８】
また、媒体は必ずしも円筒形でなくてよい。例えば、場合によっては、媒体が徐々に細くなる形状であっても、すなわちやや円錐形の形状であっても、適切な断面は、適切に選択された断面で、両縁部のほぼ同一の方向に傾きを示す。
【００６９】
しかし、これは、すべての断面が傾きを示すだろうということを示唆するものではない。例えば図４の位置４ｃと位置３ｃとの間の方向に対して垂直な断面は、おそらく、設計角度からまったく傾きを示さないか又は最小限の傾きしか示さないだろう。
【００７０】
尚、図３の断面は多少の傾きを示すが、両端の部材の中心を通る断面ではないので、最大の傾きを示してはいない。
【００７１】
Ｆ．カートリッジ１の組み立て、付加的特徴
カートリッジ１に従ったカートリッジを組み立てるために、多様な方法を使用できる。典型的な方法では、襞付き延設媒体が形成され、中央ライナ又は支持体２４にかぶせられる。典型的には、次に各々の端部に端部キャップ材料がモールド・イン・プレース成形される。典型的には、端部キャップ材料は成形工程で襞端部を閉鎖し、通常ハウジングシール構成（例えば半径方向シール構成３５）及び／又は第２の端部ハウジング係合構成（例えば第２のハウジング係合構成４０）などのハウジング係合特徴を形成するように構成される。
【００７２】
一般に先に特徴を示したような種類の方法が使用される場合、典型的な構成要素特徴は、典型的には予成形される、すなわちカートリッジ組み立て前に提供される内側ライナ又は支持体である。使用可能な予成形内側ライナ又は支持体の一例が図７に示される。図８及び図９には、それに類似する支持体又はプリフォーム（又は予成形支持体）が示され、それらの図は、以下に説明される特定のオプションの変形例を示す。
【００７３】
まず、図７の図中符号６０を参照すると、カートリッジ１の組み立てで使用可能なライナ構成プリフォーム又は構成が概略的に示される。図６０を見ると、ライナ構成は、両側のライナ端部６１、６２の間に延設された内部又は内側ライナ部分６０ｉを含むことがわかる。一般に媒体２は、端部６１、６２の間に延設される部分で、内部ライナ６０ｉの周囲に構成されるだろう。ライナ構成６０の端部６１は、図１の端部材１０に又はその内部に配置され、ライナ端部６２は、図１の端部材１１に又はその内部に配置されるだろう。
【００７４】
図７を参照すると、内側ライナ部分６０ｉは、使用中に流体（典型的にはガス又は空気）を流通させることができる多孔質部分である。図示される例では、部分６０ｉは、側部リブ６５により互いに結合された複数の長手方向延設部分又はリブ６４を含む。これに代わる構成も可能であるが、ライナ構成６０が成形プラスチックから形成される場合に、この構成は特に好都合である。
【００７５】
図示される例の端部６１は、内側端部又はリム部材６１ｃを含み、端部６２は、内側端部又はリム部材６２ｃを規定する。一般に２つのリム６１ｃ、６２ｃ及びそれらの間に延設されたリブ６４は、６０ｉの周囲に配置された場合に媒体２に望まれる程度の偏心性を規定するように構成される。従って、図示される例では、リム部材６１ｃ、６２ｃは、本明細書において使用される用語の通りに偏心的に位置合わせされる。
【００７６】
尚、図示される構成の例の場合、リム部材６１ｃは円形パターンを規定し、リム部材６２ｃも同様に円形パターンを規定する。その結果、一定の襞深さを有する延設媒体が内側ライナ部分６０ｉの周囲に配置された場合に、延設媒体は両端部３、４の内側襞先端部及び外側襞先端部を有する構成にほぼ従った形状を取り、円形パターンを規定する。また、長手方向延設部分６４が一端部から他端部へ延出するにつれてほとんど細くならない形状である場合に、外側襞先端部は、一般にほぼ円筒形のパターンを規定する。
【００７７】
このような構成は、本開示に従った適用では典型的であるが、それに代わる構成も可能である。例えばリム６１ｃ、６２ｃのうち一方又は双方は、非円形パターンで構成されることが可能である。また長手方向延設部分６４は、必要に応じてやや傾斜した（すなわち、端部に関して偏心的な）円錐形パターンを規定するために、端部６２に向かって内側へ延出するにつれて細くなる形状をとることが可能である。言うまでもなく、更に別の形状も可能である。
【００７８】
更に図７を参照するとライナ構造６０は、端部６１に離間した延設部分６９により内側周囲リム６１に固定された（外側）周囲リム６８を含む。組み立て中、媒体２が内側ライナ部分６０ｉの周囲に配置されると、媒体２は延設部分６９の少なくとも選択された部分に当接するまで、端部６１に向かって押しつけられることが可能である。尚、この例に関して延設部分６９はリム６１又はリム６８のどの直径とも整列しない。これにより、襞付き媒体が使用される場合に延設部分６９がいずれもどの襞の端部とも特定して整列するのを阻止されるという好ましい効果が得られるので、この構成は望ましい（ただし、あらゆる用途で要求されるわけではない）。これは以下に説明される成形工程で襞のブラインドオフ（blind off）端部を回避するので好都合である。
【００７９】
尚、更に図７を参照するとリング６１、外側リム６８及び延設部分６９を含む端部材６７は、複数のオプションの周囲タブ７０を含む。周囲タブ７０は互いに離間し、端部３ｐに隣接して媒体の外周部の周囲に配置されて使用される。タブ７０は、シール３６に対して何らかの支えを与える。すなわちシール３６が取り付け中に半径方向内側に圧縮された場合に、シール３６を形成する材料はタブ７０により支えられるので、圧縮に対して選択された／所望の量の抵抗が与えられ、無理なくシールを規定する。
【００８０】
端部材６７は、端部材１０で媒体２の第１の端部３に隣接し、それを横切るように延設される支持構造６０の端部材として特徴付けられることができる。
【００８１】
図７において、次に、端部６２の端部材７５に注目する。端部材７５は、外周部又は外側リム部材６２ｐ及び内側受け入れ部材４５を有する。互いに離間するオプションの延設部分７６は、受け入れ部材４５と周囲部リム６２ｐとを結合する。延設部材７６の間に間隔があることにより、以下に説明されるように端部材１１の成形中に樹脂を流すことができる。尚、図示される例の場合、前述のように部材４５は中実であり、従って、多孔質ではない。そのため、これは閉鎖された部材４５ｂである。
【００８２】
尚、更に図７を参照すると、延設部分７６は、リム６２ｃと係合する前に屈曲して、周囲部６２ｐに離間した突出端部７７を形成する。
【００８３】
次に図８に注目する。図８には図中符号８０で示されるオプションの変形を伴うプリフォーム又はライナ構成６０が示される。特に、離間した延設部分６９は、離間したタブ７０で終端し、タブ７０はリム６８と係合する。従って図８の構成と図７の構成との相違点は、単に、図８では、オプションのタブ７０がリムから垂れ下がる形状ではなく、オプションのタブ７０がリムから上方へ突出し、各タブ７０が延設部分６９と係合するということだけである。
【００８４】
全般的な作用では、図７の支持体及び図８の支持体は同様に作用する。しかし、図８のタブ７０の外周部は、最終製品でより幾分剛性であり、シール３６を支持するという点で可撓性にやや欠ける。
【００８５】
図９には、図８のライナ又はライナ支持体６０の端面図が示される。両端部の特徴の間の偏心的な位置合わせを見ることができる。
【００８６】
一般に図７〜図９に示される種類のプリフォーム、ライナ又は支持体６０を使用するフィルタカートリッジ１の構成は次の通りだろう。開放された内部空間を取り囲む延設媒体２は、端部６１と係合するまで端部６２にかぶせられるように押し込まれるだろう。媒体は円筒形あるいはそれに代わる構成も可能である。媒体は襞付きであることが可能であるが、それに代わる構成も可能である。媒体内周部は、内側リム６１ｃと係合する（取り囲む）ような大きさに形成され、リムの形状に似た形状をとる。これにより、先に説明した種類の両端部３、４における媒体の外周部の中心にずれが生じる。
【００８７】
様々な段階で、オプションの外側ライナを提供可能であることは言うまでもない。例えば媒体がライナ６０にかぶせられる前に、外側ライナを媒体の周囲に含むことができる。外側ライナは、媒体と内側ライナとの組み合わせを覆うように配置されることが可能だろう。実際場合によっては、外側ライナはそれ以外の方法で完成したカートリッジを覆うように配置されることも可能だろう。
【００８８】
端部材１０、１１の構成を完了させる必要がある。それらの端部材が完成される順序に関する特段の条件はない。
【００８９】
本明細書の説明では、一例として使用される工程は、端部材１０の構成を先に完了することを含むと想定される。これは例えば、端部材１０の選択されたモールド・イン・プレース成形特徴を成形するのに適切な大きさ及び形状の成形型の中に、媒体２と支持体６０との組み合わせ（使用される場合には、通常は外側ライナと共に）の一部を配置することにより実行可能である。端部材１０の残る部分を所定の位置に成形するために、適切な樹脂材料を成形型の中に注入できる。典型的には、成形は開放型工程であるので、媒体２及びライナ構造６０の一部は、成形型から外側（上方）へ突出する。
【００９０】
樹脂として多様な材料を使用できる。通常樹脂は、所期の用途に適する物理的特性及び化学的特性を有する材料から選択される。半径方向シールを有する他の様々な種類の端部キャップのために選択される種類のポリウレタンから形成されたモールド・イン・プレース成形端部キャップ材料が典型的である。一例は、米国特許第７，０７０，６４２号公報に特徴が示される種類の二液型ポリウレタンである。典型的な材料は、４５０kg/m3以下、典型的には３５５kg/m3以下、多くの場合に２９０kg/m3以下、通常は１９０〜３００kg/m3の範囲内、例えば２０８〜２７５kg/m3の範囲内の成形密度で成形される。材料は、通常、３０以下、典型的には２２以下、通常は２０以下、多くの場合に１０以上、１８以下の範囲内のショアＡ硬度に成形される。そのような材料はよく知られており、例えば米国特許第８，２１６，３３５号公報に記載されているような端部キャップの成形で以前使用されていた。
【００９１】
成形型は、モールド・イン・プレース材料の中に媒体を埋め込み、ガスを流通させるための中央開口部１６を除いて端部キャップ１１のすべての部分を閉鎖することにより、媒体２の端部を閉鎖するのと同じ成形作業で半径方向シール部分３６を都合よく形成するように適切に構成されることが可能である。
【００９２】
反対側の端部材１１は、成形型の中に媒体の端部４及び端部構成６２を位置決めすることにより同様にして形成できる。必要に応じて、第２の端部材１１のモールド・イン・プレース成形部分に同様の樹脂材料を使用できる。同時に成形型に含まれる成形特徴により、第２のハウジング係合特徴又は底端部ハウジング係合特徴を形成できる。
【００９３】
次の章では、図１〜図６に示される種類のカートリッジ１を使用し、図７〜図９の種類のライナを使用して構成されたエアクリーナアセンブリを説明する。
【００９４】
ＩＩ．エアクリーナアセンブリの例
Ａ．エアクリーナの特徴全般、図１０〜図１５
図１０〜図１５には、図１〜図６に従ったカートリッジ１を使用し、選択された内部係合構成を備えるエアクリーナアセンブリの一例が示される。
【００９５】
まず、図１０の図中符号９０を参照すると、本開示によるエアクリーナアセンブリが提供される。エアクリーナアセンブリ９０は、内部空間を規定するハウジング９１を含む。内部空間の中には、通常カートリッジ１が使用時に動作可能に配置されるだろう。
【００９６】
図示される特定のエアクリーナ９０は、ハウジング９１を有するように構成され、ハウジング９１は、使用中に長い寸法がほぼ垂直に延設する向きをとるように配置されるだろう。本出願の原理は、そのような使用に特によく適する。しかし、本明細書において説明される技術の選択された用途では、ハウジングを別の向きにすることも可能である。更に図１０を参照すると、この向きによってハウジング９１は、第１の（上）端部９１ｔ及び反対側の第２の（底）端部９１ｂを有する。
【００９７】
更に図１０を参照すると、（底）端部９１ｂは、典型的にはその内部にオプションの排出構成９３を備え、使用中に例えばハウジング９１の内部空間から回収された液体（通常は水）をこの排出構成９３から放出することができる。また場合によってはアセンブリ９０に吸い込まれた何らかの微粒子材料を排出アセンブリ９３を介して排出することもできる。そのような排出アセンブリはよく知られており、エアクリーナアセンブリでは広く使用されている。一般にそのような排出アセンブリは、適切な大きさ、配置及び向きのポートを備える、水などの回収した物質を放出するために定期的に開放可能な排出弁が取り付けられる。
【００９８】
濾過中に「外から中への流れ」を形成するように構成された典型的なアセンブリでは、排出構成９３は、使用中に取り付けられたフィルタカートリッジを取り囲む環状の未濾過空気と直接流体連通する。これは、フィルタカートリッジのフィルタ媒体を通過することなくエアクリーナ入口から排出構成９３に向かう流れが起こりうるということを意味する。例えばアセンブリから水を取り出すように排出構成９３が構成されている場合に、これは典型的且つ好適な構成である。
【００９９】
先に示したように、本明細書において説明される原理は、フィルタカートリッジ、例えばカートリッジ１が点検可能構成要素であるようなエアクリーナアセンブリと共に実現されるように開発された。すなわち、カートリッジ１は、エアクリーナ９０の動作寿命を保つために必要に応じてエアクリーナハウジング９１から取り外し可能であり、交換可能である。これを考慮すると、ハウジング９１は一般に本体、すなわち本体９５及び取外し可能なアクセスカバー部分９６を含む。点検中に又はカートリッジ１に関連する他の取り外し／取り付け作業中、アクセスカバー９６は下部本体９５から取り外されるので、内部に受け入れられたカートリッジ１にアクセスすることができる。点検又は他の操作の後、アクセスカバー９６は、カートリッジが適切に配置された本体部分９５に再び置換される。図示されるエアクリーナアセンブリ９０の例の場合、アクセスカバー９６は、この例ではボルト９９に対応する締め具９８により本体部分９１に固定される。しかし、別の種類の締め具構成（例えばオーバーセンターラッチ）も使用可能である。
【０１００】
尚、図示される例では空気流れ出口は、ハウジングの最上部に配置される。多くの場合にこれが典型的な構成であるが、それに代わる構成も可能である。実際、必要に応じてハウジングの底部に出口を配置することもできる。同様に、この例ではハウジングの最上部にあるように示されるアクセスカバーは、その代わりに、例えばハウジングの底部に配置されることが可能である。
【０１０１】
図示されるエアクリーナアセンブリ９０の例の場合、ハウジング本体９５は、形成後に互いに固定される２つの個別の部分として構成される。２つの部分は、ハウジング本体中央部分１００及びハウジング本体（閉鎖）端部分１０１により示される。この例では、排出構成９３はハウジング本体（閉鎖）端部分１０１に配置される
部分１００、１０１の接合部は図中符号１０５で示される。図示される特定のアセンブリ９０の場合、接合部１０５は、部分１００のホルダ１１０にスナップフィットされる部分１０１の突起１０９を有するスナップフィット構成である。それに代わる構成も可能である。この例では接合部１０５は、一度組み立てられた後、部分１０１を部分１００から容易に分離できないように構成され且つ形成される。用途によっては、本明細書で説明される技術において、底部分１０１を中央部分１００に取り外し可能に固定することができる。カートリッジの点検作業又は点検のための底部からのアクセスを可能にすることが望ましい場合には、この構成は好都合であるといえるだろう。
【０１０２】
更に図１０を参照すると、図示されるエアクリーナアセンブリ９０の例の場合、エアクリーナ９０からの濾過済み流れに対する出口１１５は、ハウジング９１に示される。図示される特定の例では、出口１１５はアクセスカバー９６に配置される。本明細書において説明される技術の多くの用途で、これが典型的な構成である。
【０１０３】
更に図１０を参照し、タップ又は導管１１７に注目する。タップ又は導管１１７は、空気流れの一部を所望の位置へ誘導するために使用可能であるか、又はガス流れを他の構成からハウジング９１の出口端部へ移動させるために使用可能であり、及び／又は圧力モニタ（制限指示器）又は他の機器をハウジング９１に接続するために使用可能である。
【０１０４】
次に、エアクリーナアセンブリ９０の第２の側面図である図１１に注目する。図１１の図は、図１０に示される向きのほぼ右側から見た図である。同じ図中符号は、先に示した特徴を示す。図１１には、濾過されるガス（通常は空気）の入口１２０が示される。尚、特定の入口１２０は接線方向に傾斜した入口１２１であるが、別の構成も可能である。接線方向とは、入口１２０がハウジング９１の内部空間に向かう空気流れをほぼ接線方向に（すなわち、ハウジングの中心又は中心軸に向かう方向ではない）へ、内側に収納されたカートリッジの周囲でサイクロンパターンを描くように誘導することを意味する。この点に関して、「傾斜した」とは、入口１２０が入口空気を端部９１ｔ、９１ｂのうちいずれか一方に向かって、この場合には端部９１ｂに向かって、すなわち使用中にエアクリーナハウジング９１の底部に向かってより多く誘導するように構成されていることを意味する。従って、流入する空気は、水及びそれに伴う微粒子材料を遠心分離によって除去するのを補助するためにサイクロンパターンを描くように誘導され、水及び微粒子物質はオプションの排出出口１１５に向かって誘導される。図１１において、矢印１２２は、入口流れの大体の方向を示す。
【０１０５】
尚、多くの場合、傾斜は傾斜角により定義できる。傾斜角は例えば図１１では、入口１２０の中心線方向と端部９１ｔ、９１ｂの間の最短方向と平行な方向との間の鋭角になるだろう。Ｓで示されるこの角度は、典型的には少なくとも３０°、通常は少なくとも４０°、多くの場合に４５°以上、６５°以下（又は４５°以上、７０°以下）の範囲内であり、典型的な例は、４８°以上、６５°以下の範囲内である。
【０１０６】
図１２には、エアクリーナアセンブリ９０の別の側面図が示される。この場合図は空気流れ入口１２０に向かって見た図であり、入口１２０の入口開口部１２０ａを通してカートリッジ１の一部を見ることができる。
【０１０７】
図１２を検討することにより、媒体２が上端部９１ｔに隣接する領域から底部９１ｂに向かって延設するにつれて、カートリッジ１は、外周部２ｐで、空気が入口１２０からカートリッジ１の周囲に沿って誘導されていく位置であるハウジング９１の第１の内側側壁部分又は部分９１ｘから離れる方向に傾斜するように配向されていることを理解できる。すなわち、カートリッジ１の周囲の環状部１２４の形状は、上部９１ｔに隣接するカートリッジ端部から底部９１ｂまで一定ではない。環状部１２４の幅は、下方部分で広くなっている。この例では環状部１２４は、空気が入口１２０から直ちにハウジング９１ｉの中へ誘導される領域で幅が広くなっていると理解される。これを可能にするカートリッジ及びエアクリーナの特徴並びにその結果得られる利点は、以下に更に説明される。
【０１０８】
更に図１２を参照すると、カートリッジがほぼ円筒形の媒体２を有するカートリッジ１として構成される場合、典型的には、媒体２は、ハウジング９１ｘに隣接する第１の周囲部分縁部が第１の端部材１０から第２の端部材１１に延設するにつれて第１のハウジング部分９１ｘから離れる方向に傾斜するような構成であり、その第１の部分又は縁部とは反対側の周囲部分又は縁部も、端部材１１及びハウジング底部１０１に延設するにつれて内側部分９１ｘから離れる方向に傾斜するような構成である。
【０１０９】
先の段落で特徴を示したように第１の端部材から第２の端部材に延設するににつれてハウジング側壁から離れる方向に傾いていく媒体縁部又は第１の部分（及び反対側の媒体縁部分）に関する傾斜は、入口空気が誘導されて流入する領域（媒体縁部又は第１の部分に隣接する）における側壁部分の形状とは「無関係」である。この点に関して、「無関係である」とは、特徴付けられた傾斜が媒体の構成による傾きであり、側壁の構成には関係ないという意味である。従って側壁は、カートリッジに向かう方向に傾斜するか、カートリッジから離れる方向に傾斜するか、不規則に構成されるか、カートリッジの端部材に対してほぼ垂直に構成されることが可能であり、媒体に対する傾斜の定義は、先に示した通りである。
【０１１０】
例えば、図１２を参照すると、領域９１ｙでハウジングは、領域９１ｘより大きくハウジング底部１０１に向かって延設して傾斜している。
【０１１１】
更に、図１２を参照すると、図示される例の入口１２０は非円形として規定されることが理解できる。入口１２０は、上部９１ｔから底部９１ｂに向かう方向にほぼ対応する寸法で最も長く、その（使用中は縦）方向に対して垂直な方向で最も短くなるように形状又は縁部が規定されている。典型的には、縦の又は最長の寸法とその最大寸法に対して垂直な中間寸法との比は、少なくとも１．３：１であり、通常は１．４：１であり、例えば、１．５：１以上、３：１以下（例えば１．５：１以上、２．３：１以下）の範囲内である。入口を定義するそのような形状の利点は、以下に更に説明される。この場合中間寸法は、最長寸法に対して垂直な寸法であり、最長寸法の中間点で測定される。
【０１１２】
次に図１３に注目する。図１３には、エアクリーナアセンブリ９０の上部平面図が示される。出口１１５を通してカートリッジ１の各部分を見ることができる。また、図１３には、使用中に車両又は他の機器へのエアクリーナアセンブリ９０の取り付けを容易にする取り付けパッド１３０が示される。典型的には、取り付けパッド１３０はハウジング本体９５に設けられるので、点検中にアクセスカバー９６を更に容易に取り外すことができる。底部からの点検を可能にするために、中央部１００から底部１０１も取り外し可能にすべき場合には、典型的には、すべての取り付けパッド１３０がハウジング中央部分１００に配置される。
【０１１３】
図１４には、エアクリーナアセンブリ９０の斜視図が提供され、先に指示された特徴は、同じ図中符号により示される。
【０１１４】
図１５には、エアクリーナアセンブリ９０の底部平面図が提供される。
【０１１５】
Ｂ．カートリッジ１とハウジング９１との係合の選択された特徴
エアクリーナアセンブリ９０において、内部に受け入れられるフィルタカートリッジ１は、一般にカートリッジ１の両側の端部分がハウジング９１と係合する状態で、ハウジング内部空間９１ｉの中に配置される。本明細書において図示され、説明される特定のカートリッジ１は、第１の端部材１０で、シール構成によりアクセスカバー９６に取り外し可能に固定される。このシール構成は一般にハウジングシール構成と呼ばれ、入口１２０からの未濾過空気が出口１１５に到達するのを阻止する。端部１１では、取り付け中及び使用中にカートリッジ１が適切な向きにとどまるようにするために、ハウジング係合部４０とハウジング本体部分９５とが係合することが望ましい。
【０１１６】
図１６には、図示されるような例のシステムに関して、カートリッジ端部材１０とハウジング９１の一部との係合が概略的に示される。図１６を参照すると、端部キャップ１０に隣接するカートリッジ１の概略部分図が示される。図中符号１３５で、端部材１０を取り囲む密封フランジが示される。密封フランジ１３５は、典型的にはハウジングの一部に、例えばアクセスカバー９６に配置されるだろう。尚、この場合密封フランジ１３５は、カートリッジ１のシール部材３６と密封方式で係合する内側シール面１３６を含む。これは典型的にはカートリッジ１が既に本体部分９５に配置された状態で、アクセスカバー９６を本体部分９５の上へ押し下げたときに起こる。尚、図１６において、この概略図はハウジングの部分１３６と端部材１０との間でどのようにして密封が起こるかを示すものである。図１６は、取り付け中に例えば突起２３とハウジングの一部との間で起こっているかもしれない他の係合を示すことを意図しない。
【０１１７】
図１７には、端部材１１とハウジング９１の一部との間の典型的な選択された係合が部分横断面図で示される。図１７を参照すると、図中符号１４０でハウジング９１に配置された係合突起が概略的に示される。ハウジング９１の係合突起１４０（又は突起１６０）は、カートリッジ１が取り付けられる場合にハウジング係合構成４０がこの突起と適正に係合するように配置される。突起１４０（又は１６０）は本体部分９５、典型的には底部１０１に配置される。言うまでもなく、この位置でシールが形成されることは可能であるが、端部材１１が閉鎖されている例ではシールは必要とされない。
【０１１８】
図１７を参照して、突起１４０（又は１６０）のオプションの干渉突起部材１４１に注目する。オプションの干渉突起又は部材１４１は、端部材１１が係合構成１４０に押しかぶせられた場合に、端部材１１の突起構成４０が部材１４１に押し込まれるように、場合によっては部材１４１を通り過ぎるまで押し込まれるように配置される。その結果、干渉突起１４１は、矢印１５０の方向への動きによってカートリッジ１が突起部材１４０（又は１６０）から離脱するのを防止するための付加的な抵抗を与える。これにより得られる利点は以下に説明される。
【０１１９】
図１８には、図１７に類似しているが、カートリッジ１及び突起１４０（又は１６０）のより多くの部分を示す第２の概略横断面図が示される。この図には、ハウジング９１の案内突起１６０に嵌合する受け入れ突起４５が示され、すなわち、案内突起１６０は、突起４５により規定される受け入れ凹部の中へ延出する。カートリッジ１がハウジング９１の中へ押し下げられるにつれて、突起１６０と受け入れ部１４５との位置合わせは、カートリッジ１を（更に下げる間に）適正な回転向き及び長手方向に配向するのを、すなわちハウジングとの適正な係合状態を容易にする。これに関連して、以下に更に説明する。
【０１２０】
典型的には、突起１６０及び突起４５により規定される受け入れ凹部は、突起１６０が受け入れ凹部の中へ、受け入れ凹部の長さの少なくとも５０％、好ましくはその長さの６０％、最も好ましくはその長さの少なくとも８０％の距離だけ延出するように選択される。また、典型的には、突出の量は少なくとも４０ｍｍ、通常は少なくとも８０ｍｍ、場合によっては１００ｍｍ以上である。
【０１２１】
尚、図１７及び図１８を参照すると、概略図は、カートリッジ１とハウジング９１との間の必要に応じて選択された特定の係合のみを示すことを意図する。すべての可能な係合を示すことを示唆することは意図されていない。例えば、底部１０１にある他の突起に関連する係合が可能だろう。
【０１２２】
Ｃ．第１の端部材１０からアクセスカバーを分離可能であることと、突起１４０（すなわちハウジング本体９５）からカートリッジ１を分離可能であることとの分離の相違の任意の規定
典型的には、アセンブリが図１２に示されるような向きで使用される場合、点検中に、カートリッジ１をハウジング本体９５から分離するより容易にアクセスカバー９６をカートリッジの第１の端部材１０から分離できるのが好ましい。その理由は、通常点検の際にはアクセスカバー９６をカートリッジ１から離すように上へ持ち上げる必要があるので、この作業中にカートリッジ１はハウジング９１から脱落防止するのが好ましいからである。場合によっては、これは単純にアクセスカバー９６を持ち上げている間に、カートリッジ１が所定の位置にとどまろうとするように、カートリッジ１の重さに依存することにより対処できる。しかし場合によっては、任意にアクセスカバー９６からのハウジングシール３６の分離に対する抵抗と比較して、係合構成４０（すなわちカートリッジ１）とハウジング９１との分離に対する抵抗を大きくすることが望ましいかもしれない。
【０１２３】
これを実現するためのオプションの方法は、先に説明した突起構成１４１のような干渉突起構成を使用することである。他の方法は、係合の圧力が更に大きくなるように、又は突起１４０から領域４０９を分離するために更に大きな力が必要になるように、ハウジング係合構成４０の領域で端部キャップ１１の材料を構成することに関連する。
【０１２４】
また典型的には、アクセスカバー９６が取り外されると、端部材１１に隣接するカートリッジ１の部分がハウジング本体部分９５から上方へ（典型的には１０〜６０ｍｍ）突出し、それにより、ハウジング本体１からの取り外しのために、この位置でカートリッジ１を握りやすくなるように、アクセスカバー９６は構成されるのが好ましい。
【０１２５】
Ｄ．組み立て中にハウジング本体９５の中でカートリッジ１を適正に配向するのを容易にするための突起／受け入れ部構成の使用
以下に更に詳細に説明されるように、入口１２０と関連してカートリッジを取り囲む環状部１２４で好適な空気流れ特性を提供するために、カートリッジ１の偏心的な構成は一部で有用である。この利点を提供するためにカートリッジ１が適正な偏心的構成を有する場合、この利点を得るためにカートリッジ１は、ハウジング本体９５の中に配置される場合に適切に配向されることが望ましい。
【０１２６】
ハウジング本体９５に対するカートリッジ１の所望の向きでの固定は、オプションの突起／受け入れ部構成、例えば、図１８に一般に示されるように、ハウジング本体９５の案内突起１６０と係合するカートリッジ１の受け入れ案内部材又は受け入れ部４５を含む構成により提供されるのが好ましい。これは、取り付けを実行するために適切な半径方向位置合わせが必要になるように、それら２つの部材を適切な形状に形成することにより実現可能である。
【０１２７】
例えば、先に述べたように、また図４からわかるように、突起４５（及び受け入れ凹部）に非円形の断面形状、図示される例では上に延設するにつれて細くなるオーバル形の断面形状を与えることができる。図１８のハウジング本体９５の突起１６０にも同様の対応する形状を使用することができる。このようにした場合、カートリッジ１及びハウジング本体９５の突起１６０は、理論上２つの回転向きをとることしかできない。一方の向きでは、カートリッジ１をハウジングの中へ完全に押し下げる（すなわち、取り付ける）ことができるだろう。他方の向きでは、カートリッジ１が偏心的な構成であるために、押し下げが開始されるにつれて、多くの場合にカートリッジ１が完全に取り付けられるのを阻止又は抑止する干渉が起こるだろう。
【０１２８】
それに代わる構成では、受け入れ部４５及び突起１６０の間で可能な回転係合向きが１つのみであり、そのため取り付け中のハウジング本体９５に対するカートリッジ１の所望の回転の配向が更に容易になるように、受け入れ部４５及び突起１６０の一方又は双方の形状を選択できることは当然である。これは、例えば、受け入れ部４５及び突起１６０の一方又は双方に関して、１つの向きでのみ互いに完全に係合できる形状を使用することにより実現可能である。一例はそれらの部分を幾分か平坦にする又はまっすぐにするために、図示されるオーバル形の構成を一方の長辺側で歪ませることだろう。それに代わる構成も可能である。
【０１２９】
尚、端部キャップ１１におけるカートリッジ１の抵抗型係合部材４０も、アクセスカバー９６が取り付けられる前及びアクセスカバー９６が取り外された後にカートリッジ１を適正な向きに保持するのを容易にすることができる。
【０１３０】
ＩＩＩ．選択された利点を実現するための説明される技術の適用
エアクリーナの設計及び製造には、いくつかの異なる関心事及び問題点を考慮しなければならない。例えば特徴は、容易に製造可能であるように選択されるべきである。性能上の問題も大きな関心事である。フィルタカートリッジは、所望の用途に関して適切な寿命を有するように提供されるべきである。多くの場合これは流れに過剰な制限を加えることなく妥当に収納できる範囲で所定の容積の中で媒体の表面積の量を可能な限り大きくすることを意味する。
【０１３１】
車両又は他の機器のメーカーの見解も、多くの場合に重要な鍵を握る。多くの場合重量の問題及びスペースの問題に対処するために、所定の用途に関して妥当な範囲で小型のエアクリーナを提供することが望ましい。しかし、エアクリーナを通る空気流れに対する制限が多すぎる場合、それも問題である。流れ容積が大きい大型のエアクリーナでは、そのような問題がより起こりやすい。
【０１３２】
本明細書において説明される技術の多くは、適用された場合に、上記の問題に関して利点を提供できる。例えば図示されるエアクリーナハウジング９１は、外側サイズを相対的に小さく抑え（類似の用途に使用される多くのエアクリーナ構成と比較して）及び／又はカートリッジ１の選択された部分の周囲の環状部に関する内側断面サイズを相対的に小さく抑えて構成できる。これは１つには、入口１２０が最初に空気をカートリッジとハウジング側壁との間で誘導する位置に配置される環状領域の重要な部分が、先に説明した偏心的な構成により、この位置で媒体の傾斜によって開放されているからである。この傾斜は、図示される好適な例では単にカートリッジを円錐形にするだけでは実現されないのが好ましく、それは一般に徐々に細くなる円錐形の媒体（両端部で同心に位置合わせされている）の表面積は、それに類似する円筒形の媒体より小さくなるからである。
【０１３３】
偏心的な円錐形になるようにカートリッジを徐々に細くなるような構成にしても、技術を適用できることは言うまでもない。しかし提供される偏心性は、カートリッジ１の底端部４が最初に空気が誘導されるハウジングの側面から更に離れる方向に動くことを確実にする。
【０１３４】
入口１２０が相対的に長く狭い形状であることは、底端部に向かって入口が傾斜していることと併せて、これを容易にする。第１に底端部に向かう入口の傾斜は、環状領域の幅が最も広くなる位置で、すなわち媒体が側壁から最も離れている位置で空気の最初の流れが起こるのを容易に確実にする。エアクリーナハウジングの半径（断面寸法）が相対的に小さい場合であっても入口開口部が長く狭い形状であるので、相対的に高い空気流量に対して、入口開口部を相対的に大きくとることができる。これは、空気を相対的に狭い環状領域の中へ誘導するのを容易にするためにも使用可能である。
【０１３５】
前述のように本明細書において説明される特徴は、適正なカートリッジが使用され、適正な向きに取り付けられていることの容易に確認するためにも適用可能である。それらの特徴は、カートリッジの両端部の好適な係合構成、特に、係合に偏心的な特徴を必要とする係合構成に関連する。その同じ特徴は、カートリッジをハウジング底部まで押し下げた後にカートリッジが完全に所定の位置に固定され、従ってアクセスカバーが取り付けられる場合にカートリッジが適切な向きのままであることを容易に確実にすることもできる。
【０１３６】
また、偏心性によって、使用中にカートリッジは回転せずに固定される。
【０１３７】
場合によっては、ハウジング本体を先に説明した中央部材１００及び底部材１０１のような２つの個別の部材に分割することが望まれる。これは、中央部材１００に固定されるアクセスカバー９６の特徴に対して、偏心的突起を底部材１０１が有するような構成を容易にする。
【０１３８】
ＩＶ．いくつかの選択された変形例
Ａ．選択された偏心的特徴の変形、図１９〜図２３
先に偏心性に関連する２つの異なる特徴を説明した。第１の特徴は、媒体に関連して媒体の両端部に偏心的に配置された周囲部を規定させることにより説明された。第２の特徴は、両端部の選択された端部キャップの特徴に関して、特に両端部でハウジングと係合する特徴に関して説明された。この第２の偏心性は、シール３６及び第２のハウジング係合構成４０の偏心的向きにより表される。
【０１３９】
偏心性を提供するために使用できるそれらの特徴及び他のカートリッジ特徴の多様な変形が可能である。選択された例を以下に示す。
【０１４０】
図１９には、偏心的に配向された（位置合わせされた）２つの選択されたカートリッジ特徴の概略図が示される。図１９の概略図は、一般に２つの特徴が円形であり又は２つの特徴が同一の大きさ定義を規定するような状況に相当する。図１９の概略図の一例は、先にカートリッジ１に関して説明された例だろうと考えられ、端部３における媒体の外周部は、図面では周囲部２００で示され、カートリッジの下端部における媒体の外周部は、図面では周囲部２０１で示される。それら２つの間の偏心性は、２つの中心２００ｃ、２０１ｃのずれによりそれぞれ示される。
【０１４１】
図１９の概略図の一例は、媒体の深さが一定であり且つ両端部の間で媒体が実質的に細くなることはないと想定して、媒体がほぼ円筒形であり、周囲部２００、２０１が外側襞先端部規定又は内側襞先端部規定のいずれかを表すような場合だろう。
【０１４２】
規定される周囲部２００、２０１は、同一の直径の円形部分を規定する両端部のカートリッジの他の部分を含むことも当然可能だろう。その例は、内側ライナ又は外側ライナの規定であることが可能だろう。
【０１４３】
図２０には、選択された変形例が概略的に示される。この場合２つの偏心的特徴は、異なる寸法の周囲部によって規定される。例えば、一方は中心２０５ｃを有する２０５で示され、他方は中心２０６ｃを有する２０６で示される。一例は、端部３から端部４に向かって外径が小さくなる媒体だろう。従って媒体構成は円錐形になるだろうが、端部の偏心的向きを得るために歪みを加えられるだろう。同様に異なる大きさを有し、しかも偏心的に位置合わせされる他の構成も当然可能だろう。図２０から、媒体が円錐形である場合でも、特徴を示した種類の偏心性が使用されれば、空気流れがハウジングに流入する環状領域から、少なくとも反対の側に対して、単なる円錐テーパ形状の場合より大きく媒体を容易に引き離すことができるので、本開示による利点が得られることがわかる。
【０１４４】
言うまでもなく、図２０に示される偏心性とほぼ類似する偏心性を持つ向きとする他の可能性もあるだろう。例えばパターンの１つは、外側襞先端部又は外側媒体周囲部に関連することが可能だろうが、他方は他端部の内側襞先端部パターン又は他のカートリッジ特徴に関連する。
【０１４５】
偏心性を規定するために使用される周囲部規定の各々が円形であること、又はそれらが共に同一の形状であることは要求されない。図２１にはその一例が示される。この場合、一方の周囲部規定が中心２０１ｃを有する２１０で示され、他方は中心２１１ｃを有する２１１で示され、中心２１０ｃ、２１１ｃは偏心的である。この場合、２つの周囲部２１１、２１０の全体的な形状は異なり、一方（２１０）は円形であり、他方（２１１）はオーバル形、この場合には楕円形である。双方が非円形であることも可能であるのは言うまでもない。従って、図２１の例は、形状が非円形であることが可能であるだけではなく、互いに異なっていることも可能なことを示す。図２１に示される構成の一例は、（周囲部２１０及び２１１が図示されるのとは異なる相対的な大きさで実現される場合に）周囲部２１０が第１の端部キャップと関連する構造を規定し、周囲部２１１は部材４５などのオーバル形突起部材の基部を規定しているような場合だろう。
【０１４６】
図２２には、図２１に類似する一例が示され、この例では中心２１５ｃ、２１６ｃをそれぞれ有する２つの周囲部（２１５、２１６）が示される。この場合周囲部は共にオーバル形である。同様に相対的な大きさは幾分変更されてもよいだろう。一例（相対的直径が異なる）は、両端部でオーバル形の媒体周囲部が規定され、円錐形であるが偏心的であるテーパを伴う場合だろう。
【０１４７】
オーバル形の形状の変形も可能であることは当然である。図２３には、中心２２０ｃ、２２１ｃをそれぞれ有する２つの周囲部２２０、２２１が示される。この場合パターン２２０は円形であり、パターン２２１はオーバル形である。しかし、パターン２２１のオーバル形状は、１対の対向する平行な側部及び１対の対向する湾曲端部を有する「レーストラック」と呼ばれる場合もある形状である。
【０１４８】
以上示した例では、それぞれ比較される周囲部の相対的大きさは、カートリッジの関心特徴に応じて修正可能な変数であるとみなされる。
【０１４９】
以上の説明からハウジング係合部の特徴であるか、媒体周囲部の特徴であるか、あるいは他の全般的な端部キャップ特徴又は構造全般の特徴であるかに関わらず、カートリッジの両端部の間の様々な比較特徴のうちいずれか１つに関して偏心性を取り入れることができると理解できる。通常すべての構成で必要とされるわけではないが、先に説明した望ましい環状部の利点を得るためには、少なくとも媒体特徴により偏心性が取り入れられるのが好ましい。また両端部のハウジング係合に関わる特徴も、両側のハウジング部材との係合を容易にするために偏心的であることが通常望ましい。
【０１５０】
Ｂ．規則的でない幾何学形状、図２４及び図２５
尚、提供される例において、周囲部の形状は、一般にオーバル形又は円形のような規則的な形状であった。それに代わる構成も可能である。例えば図２４には、下部端部キャップ１１のような端部キャップの外側の周囲部形状が示され、この形状は本明細書に参考として取り入れられている米国特許第８，４４４，７３５号公報で説明されている種類である。このような特徴及び利点は本開示による構成で実現可能である。
【０１５１】
図２５には例えば端部キャップ１０のシールの形状として使用できる別の周囲形状が示される。図２５のシール形状は、本明細書に参考として取り入れられている米国特許出願第１３／６６２，０２２号で一般に説明されている種類である。このシール形状は、本開示による原理と共に使用できる。
【０１５２】
不規則な形状又は周囲規定に沿って反復する特徴を示さない形状を含む更に別の形状も使用可能である。そのような場合の偏心性は、使用される場合に一般に突起の２つの位置合わせされる特徴のほぼ幾何学中心に当たる位置がずれるようにすることにより実現される。
【０１５３】
Ｖ．オプションの二次カートリッジ又はセーフティカートリッジの使用、図２６及び図２７
尚、本明細書において示される特徴は、二次フィルタカートリッジ又はセーフティフィルタカートリッジを更に使用するアセンブリで実現可能である。二次フィルタカートリッジ又はセーフティフィルタカートリッジは、一般に主フィルタカートリッジ１の下流側に配置されるカートリッジである。外から中へ向かう流れパターンの場合、セーフティフィルタカートリッジは通常主フィルタカートリッジ１の開放されたフィルタ内部空間７の中へ突出するように媒体と共に配置される。
【０１５４】
そのような構成の２つの例が図２６及び図２７の部分概略図に示され、これらはそれぞれ図１６の変形例である。
【０１５５】
まず、図２６を参照すると、オプションのセーフティカートリッジ２００が想像線で示され、セーフティカートリッジ２００は、シール２０３で主フィルタカートリッジ１のリング２０１に密封される。二次フィルタカートリッジ又はセーフティフィルタカートリッジ２００は、開放されたフィルタ内部空間７の中へ下向きに突出する。二次フィルタカートリッジ２００の媒体２０５は襞付き媒体であることが可能であるが、襞なし媒体も可能である。図示されない反対側の端部で、セーフティカートリッジ２００は、突起４５の手前で終端するか、又は突起４５の一部を受け入れるように構成されることが可能である。
【０１５６】
場合によっては、二次カートリッジ又はセーフティカートリッジをアクセスカバーの一部に密封することが望ましいだろう。この一例が、同様に図１６の変形例でもある図２７に示される。この場合図示されるように、セーフティカートリッジ２２０は、アクセスカバーのシールフランジ２２１に密封される。二次カートリッジ又はセーフティカートリッジ２２０は、その他の点では先に説明したセーフティカートリッジ２００と同様であり、同様に使用可能である。
【０１５７】
ＶＩ．実現可能なシステムの例
両端の端部材の間の最短方向に対して垂直な平面に投影したときに特徴が偏心的に位置合わせされる又は偏心的に位置決めされると特徴付けられる場合、特徴は、偏心距離Ｚにより離間されると表すことができる。本開示による２つの偏心的に位置合わせされる特徴の典型的な偏心距離Ｚは、少なくとも５ｍｍ、多くの場合に少なくとも８ｍｍであるが、それに代わる寸法も可能である。多くの場合、偏心距離Ｚは、８〜５０ｍｍの範囲内、多くの場合に１０ｍｍ以上、４０ｍｍ以下の範囲内（例えば、１０ｍｍ以上、３０ｍｍ以下の範囲内）になるだろう。
【０１５８】
様々な図において、寸法の例が文字によって指示されている。本章では、説明される種類の実現可能なシステムの例を構成するために使用可能な寸法例が提供される。尚、本出願の利点の多くを獲得しつつ、それらの寸法を変更することは実施可能である。
【０１５９】
図１〜図１５のシステムの寸法例は次の通りである。図２において、Ａ＝１９．１ｍｍ及びＢ＝２４９．４ｍｍであり、図３において、Ｃ＝２６９．８ｍｍ、Ｄ＝２３５．８ｍｍ、Ｅ＝１６５ｍｍ、Ｆ＝５ｍｍ、Ｇ＝４９５．１ｍｍ、Ｈ＝１７６．５ｍｍ、Ｉ＝１２．７ｍｍ及びＪ＝１０ｍｍである。図４において、Ｋ＝１２．５ｍｍ及びＬ＝８．４ｍｍであり、図５において、Ｍ＝１１２ｍｍ及びＮ＝８０ｍｍであり、図６において、Ｏ＝５．５ｍｍ及びＰ＝２．５ｍｍであり、図１０において、Ｑ＝２６９ｍｍ、Ｒ＝１２７．８ｍｍ、Ｓ＝３３６．２ｍｍ及びＴ＝３４５．９ｍｍであり、図１１において、Ｕ＝２３．７ｍｍ、Ｖ＝３５ｍｍ、Ｗ＝３５．８ｍｍ、Ｘ＝４４．２ｍｍ、Ｙ＝１５．７ｍｍ、Ｚ＝２２６．３ｍｍ、ＡＡ＝５７０．８ｍｍ及びＢＢ＝２３．３ｍｍであり、図１２において、ＣＣ＝１７０ｍｍであり、図１３において、ＤＤ＝２０３．１ｍｍ、ＥＥ＝１４９．３ｍｍ、ＦＦ＝８４．６ｍｍ、ＧＧ＝４３．７ｍｍ、ＨＨ＝２２１．８ｍｍ、ＩＩ＝９７．７ｍｍ、ＪＪ＝１２３ｍｍ及びＫＫ＝１７６ｍｍであり、図１５において、ＬＬ＝１４５．２ｍｍである。
【０１６０】
同様に、本開示の原理は、先に指示した寸法からの多くの変更を伴って、多様なシステムで適用可能である。しかし、利点を得るために媒体が入口流れの経路及びアセンブリの選択された部分から動くのに十分な長さであるような用途で技術が適用されるのが最も好ましいので、多くの典型的な用途において、カートリッジの媒体は少なくとも３００ｍｍの長さ、通常は少なくとも４００ｍｍの長さである。また、カートリッジは、襞先端部が円形パターンを規定するときの直径に相当する、少なくとも１９０ｍｍ、典型的には少なくとも２００ｍｍ、例えば２００〜３５０ｍｍの最大外側襞寸法を有するのが典型的である。これもフィルタカートリッジが相対的に大型であり、濾過中に大量の空気流れを処理しなければならない状況における好適な適用のために原理が開発されたことの証明である。
【０１６１】
ＶＩＩ．実行可能なシステムの第２の例、図２８〜図５３
図２８〜図５３には、第２の実行可能なシステムの概略図が提供される。このシステムは、先に図示され又は説明された選択された変形例と共に提供された説明にほぼ従う。
【０１６２】
図２８〜図５４の実施形態において、先に説明された部分とほぼ類似するか又はほぼ同様に機能する部分を示すために、同じ図中符号が使用される。選択された変形例を以下に特定して特徴付ける。
【０１６３】
Ａ．エアクリーナハウジング及びアクセスカバー、図２９〜図４４
図２９〜図５４のエアクリーナアセンブリは、図１０〜図１５のハウジング９１とほぼ同様のエアクリーナハウジング９１を使用する。図３１及び図３２の横断面図を参照すると、エアクリーナアセンブリ９０は、ハウジング本体９５及びアクセスカバー９６を有するハウジング９１を含み、ハウジング９１の内側にフィルタカートリッジ１が受け入れられる。本例では、ハウジング本体９５は本体部分１００及び１０１を含み、本体部分１００は中央本体部分であり、本体部分１０１は端部本体部分である。
【０１６４】
図２９には、個別の部分１００及び１０１を含むハウジング本体９５が側面図で示される。図２９では傾斜した入口である空気流れ入口１２０を見ることができる。入口１２０を介するハウジング内部空間への空気流れの全般的方向は、矢印１２０ｘにより示される。接線方向流れ、すなわち入口流れは空気がハウジングに流入するにつれて、カートリッジ１と部分１００の側壁との間の側壁方向に沿って誘導される。
【０１６５】
図２９には、排出弁部材を受け入れる排出ポートとして作用する突起９３もハウジング部分１０１の中に示される。
【０１６６】
図３０には、入口１２０を有する中央部分１００及び下部分又は端部分１０１を含むハウジング本体９５が展開図で示される。使用中にエアクリーナアセンブリ９０を所定の位置に固定するための取り付けパッド１３０を見ることができる。また、端部分１０１と中央部分１００との間の、継目１０５における受け入れ部１１０及び突起１０９を含むスナップフィット係合部も見ることができる。
【０１６７】
図３０を参照すると、図示されるアセンブリの例の場合、端部材１０１は中央部材１００にスナップフィットされ、通常は使用中に中央部材１００から取り外されない。従って、取り付けパッド１３０の１つは端部材１０１に配置される。例えば点検作業のために、エアクリーナの取り付け後に端部材１０１を取り外せるような構成にしたい場合には、部材１０１を中央部材１００に固定するために取り外し可能な接続を使用することが可能であり、通常端部材１０１に取り付けパッド１３０は配置されないだろう。
【０１６８】
更に図３０を参照すると、ハウジング端部分１０１及び突起又は突起部材１６０の一部を見ることができる。
【０１６９】
図３１の横断面図では両端部３及び４を有し、両端の端部材１０、１１にそれぞれ係合する延設媒体２を含むカートリッジ１を見ることができる。媒体２は開放されたフィルタ内部空間７を取り囲む。端部材１０は開放された端部材であり、中央流れ開口部１６を有し、半径方向に向いた半径方向シール構成３５を有し、半径方向シール構成３５は取り外し可能な密封部材としてアクセスカバー９６と係合する。端部材１１は、ハウジング９１の（特に端部分１０１の）突起１６０が突出する受け入れ凹部４６を規定する中央受け入れ突起４５を有する閉鎖された端部材である。
【０１７０】
尚、更に図３１を参照すると、排出ポート９３は濾過済み空気が流れるカートリッジ１の周囲の環状領域と直接流体連通している。これは図示されるシステムが濾過中に「外から中へ」の流れを形成するからであり、そのような直接流体連通により、水又は事前に分離された物質は、媒体１を通って流れることなく、すべて直接ポート９３に到達できる。
【０１７１】
図３１の図に対してほぼ直角に見た図３２の横断面図では、入口１２０が最初に空気流れをカートリッジ１とハウジング側壁の部分９１ｘとの間に誘導する領域におけるハウジング９１の内部空間９１ｉを見ることができる。本明細書において、空気流れ入口が空気流れを誘導していく位置でフィルタカートリッジから離間される内側側壁部分と呼ばれるのがこの領域（９１ｚとして示される）である。カートリッジ１は、位置２ｑ及び部分９１ｚに媒体外周部を有し、端部材１０から端部材１１に延設するにつれて側壁部分９１ｘから徐々に傾斜離間し、空気流れが入口傾斜部に沿って誘導される間に、出口１１５とは反対側のハウジング９１の端部９１ｂに向かってより大きな流れ面積を開放するように構成されることがわかる。また、図示される例の場合、媒体周囲部分２ｑの反対側で、媒体周囲部分２ｓも、媒体２が端部材１０から端部材１１に延設するまでの間に側壁位置９１ｘから離れる方向に傾斜するが、それに代わる構成も可能である。
【０１７２】
図３２を参照すると、ハウジング９１の突起１６０の形状は、単純なオーバル形の周囲部（断面）が徐々に細くなる（円錐形の）突起から歪んでいることがわかる。特に領域１６９ｒを参照。この構成は以下に更に説明される。更に突起１６０は、端部キャップ１１の第２の係合部材４０と係合するための干渉部材１４１を有することがわかる。
【０１７３】
図３１の図中符号９３ｖで、ハウジングに（突起９３に）配置された排出弁を断面で見ることができる。このような弁は一般に領域９３ｒの中に受け入れられた物質を解放するために内圧を受けて開くことができる可撓性部材から形成されるだろう。
【０１７４】
図３３〜図３８では、ハウジング本体９５、特に端部分１０１の特徴を詳細に見ることができる。これらの図を検討することにより、突起１６０の形状をよく知ることができる。
【０１７５】
図３３には部分１０１の上部斜視図が提供される。図３４には側面図が提供される。図３５には平面図が提供される。図３６では図３５の線３６−３６に沿った横断面図を見ることができる。ここで横断面図を検討すると、突起１６０は、肩部分１６０ｓを形成するために内側へ歪められた側部分１６０ｑを有することがわかる。また、補強リブ１６０ｒ及び干渉突起１４１も見ることができる。図３７には、図３６の図に対してほぼ直角の図３５の線３７−３７に沿った横断面図が提供される。突起１６０の内側に、肩部分１６０ｓの側壁の内側への歪みを見ることができる。更に細長いリブ１６０ｙも見ることができる。
【０１７６】
図３８には、突起１６０を見るために、図３５の線３８−３８にほぼ沿った拡大部分図が提供され、その歪み１００ｓが提供される。
【０１７７】
図３３〜図３８からわかるように、突起１６０は、突起１００の最も下側、すなわち底部に最も近い部分に隣接してオーバル形の端部１６０ｅを有する。しかし、突起に沿って上がり、内側に向かって細くなるにつれて、一定のオーバル形の断面を維持せず、例えば領域１６０ｓにおいて歪められている。
【０１７８】
図３９〜図４２ではアクセスカバー９６を見ることができる。図３９ではアクセスカバー９６を上部斜視図で見ることができる。図４０ではアクセスカバーを底部斜視図で見ることができる。図４１には上部平面図が提供される（情報指示なし）。図４２は底部平面図である。図４３には図４１の線４３−４３に沿った横断面図が提供され、図４４には、図４１の線４４−４４に沿った横断面図が提供される。
【０１７９】
更に図３９〜図４４を検討すると、アクセスカバーのシール面９６ｓを見ることができ、取り付け中にこのシール面９６ｓにカートリッジ１の外側に向いた半径方向シールが取り外し可能に密封されることになる。
【０１８０】
Ｂ．フィルタカートリッジ及び支持ライナ、図４５〜図５３
図４５〜図５３には、図３１〜図３２のエアクリーナアセンブリに取り付け可能な形態のカートリッジ１の特徴が示される。図４５ではこのカートリッジ１を側面図で見ることができ、図４６では端面図で見ることができ、図４６の図は端部材１１の底部に向かって見た図であり、図４７ではカートリッジ１を横断面図で見ることができ、図４７の図は図４６の線４７‐４７に沿った図である。カートリッジ１は、中央カートリッジ内部空間７の周囲に媒体２を備え、媒体２は両側に両端の端部材１０及び１１とそれぞれ係合する端部３及び４を有することがわかる。端部材１１は閉鎖され、端部材１０は開放されている。本例では半径方向シール３６の形態であるハウジングシールは、端部材１０の外側に向いた半径方向シールの一例として見ることができる。端部材１１は閉鎖され、閉鎖された中央凹部突起４５は、内部空間７と流体連通しない側に受け入れ凹部４６を規定する。
【０１８１】
図４８には、ほぼ端部材１０に向かって見た場合の平面図が示される。
【０１８２】
図４８Ａでは、図４８の線４８−４８に沿った横断面図を見ることができる。中央受け入れ突起４５は、一般にオーバル形の周囲部を有し、先端部４５ｔに向かって上へ延設するにつれて細くなる円錐形であることがわかる。この形状からの変形は可能である。また、第２のハウジング係合部材４０も見ることができる。
【０１８３】
図４９〜図５３には、図４８〜図４９の流れカートリッジに対して使用可能な内部ライナ支持体６０の特徴が提供される。図４９には概略斜視図が提供される。図５０には端面図が提供され、図５１及び図５２には側面図が提供され、図５３には横断面図が提供される。
【０１８４】
Ｃ．不適正な取り付けの試みの実証、図５４〜図５６、オプション
以上の説明から、本明細書において説明される技術の多くの用途で、カートリッジ及びハウジングは、取り付け中にハウジングに対してカートリッジの適正な回転向きがただ１つしかないように構成されることが明らかだろう。これに代わる構成も可能であるが、典型的な好適な用途ではこれが当てはまる。
【０１８５】
取り付け時に可能な向きのみが適正な向きであるような構成でカートリッジ及びハウジングを提供するのが好ましい。これを達成するために、多様な特徴を実現できる。それらの特徴は、カートリッジ及びハウジングで又はカートリッジ及びアクセスカバーで、あるいはそれら３つのすべてで提供されることが可能である。
【０１８６】
図５４〜図５６には、ハウジング本体９５の中へのカートリッジ１の取り付けが示される。これらの図において、カートリッジ及びハウジングは、カートリッジ１が２つの端部材１０、１１のうち一方の中心軸の周囲で１８０°回転され、従って、不適正にハウジング本体の中へ押し下げられていることを除き、ほぼ図３２に従った構成である。カートリッジ２が押し下げられるにつれて、いずれかの時点で、受け入れ部４６、例えば係合部材４０は突起１６０と係合する。そのような係合の一例が図５４に示される。
【０１８７】
図５５では、更なる押し下げが起こっており、カートリッジ１は、例えば４００で示されるように詰まりはじめ、正しくない取り付けが行われていることを示し始めている。当然のことながら、図示される例で、カートリッジ１を揺り動かして、更に挿入することは可能である。図５６を参照。しかし、挿入中に、突起１６０とカートリッジ４６との不適正な位置合わせによって取り付けが不適正であると感じ取ることができる。また、アクセスカバーも適正に取り付けられない。
【０１８８】
必要に応じて不適正な向き及び位置合わせであることを更に強く指示するために、特徴を変形できることは言うまでもない。例えば、図５４を参照すると、所望の１つの向きが得られない場合に、妨害構造によって取り付けられないように、凹部４６の変形された特徴と組み合わせて凹部又は肩部分１６０ｓを構成することができる。
【０１８９】
不適正にカートリッジを取り付けようとした場合に、カートリッジが容易に完全にハウジング本体９５の中に落ち込んで適正に挿入される適正な向きではないことを迅速に感じ取れるようにするために、付加的な構造特徴を使用することも可能である。
【０１９０】
Ｄ．オプションのセーフティライナ、図２８
図２８には、オプションのセーフティフィルタ又は二次フィルタ２００’を示すことを除き、図３１に類似する横断面図が概略的に提供される。図示されるように、二次フィルタ又はセーフティフィルタ２００’は、第１の開放された出口端部材３０１’の部分３０１’ｘがカートリッジ１の端部材１０を覆うように延設されることにより端部材１０と係合するように配置される。セーフティフィルタ２００は、主カートリッジ１の内部空間７の中へ閉鎖された端部材３０５’まで突出するライナ又は支持部材３０２’を含む。閉鎖された端部材３０５’は、内部へ突出する主カートリッジ１の突起４５及びハウジング９１の突起１６０を受け入れるように構成された突起／受け入れ部構成３１１’の部材３１０’を有するような構成である。支持体３０２’は、セーフティフィルタの媒体３２０’を支持する格子状フレーム構成として示される。
【０１９１】
Ｅ．寸法の例
図２９〜図３０の実施形態において、いくつかの寸法の例が提供された。それらの寸法は、使用可能なシステムの一例を示すが、それに代わる寸法も可能である。それらの図を参照すると、図３４において、ＱＡ＝９１．３ｍｍ及びＱＢ＝１０１．１ｍｍであり、図３５において、ＱＣ＝３８°、ＱＤ＝３５°、ＱＥ＝１７．５°、ＱＦ＝１６．６ｍｍ、ＱＧ＝３５°、ＱＨ＝２１．３ｍｍ、ＱＩ＝１２４．２ｍｍ、ＱＪ＝２２１．８ｍｍ、ＱＫ＝１７．５°、ＱＬ＝２８°、ＱＭ＝１１４．５ｍｍ、ＱＮ＝１９７．５ｍｍ、ＱＯ＝３５°及びＱＰ＝１７．６ｍｍであり、図３６において、ＱＱ＝３４４ｍｍ、ＱＲ＝３．６ｍｍ、ＱＳ＝１０ｍｍ、ＱＴ＝１７１．５ｍｍ及びＱＵ＝３５１．２ｍｍであり、図３７において、ＱＶ＝３０９．２ｍｍ、ＱＷ＝７６．５°、ＱＸ＝２．２°、ＱＹ＝１１．８ｍｍ、ＱＺ＝０．８ｍｍ、ＲＡ＝１９．５ｍｍ及びＲＢ＝８２ｍｍであり、図３８において、ＲＣ＝１１４．５ｍｍ、ＲＤ＝６．３ｍｍ及びＲＥ＝１７９ｍｍであり、図４１において、ＲＦ＝３４．８°、ＲＧ＝５６．５°、ＲＨ＝３９．８ｍｍ及びＲＩ＝１１９．６ｍｍであり、図４２において、ＲＪ＝８４．５°、ＲＫ＝６６°、ＲＬ＝半径１４７．９ｍｍ、ＲＭ＝４２°、ＲＮ＝１２０°、ＲＯ＝６０°、ＲＰ＝３４．７°、ＲＱ＝７６．７°、ＲＲ＝４９°、ＲＳ＝３６．１°、ＲＴ＝半径１４２．３ｍｍ、ＲＵ＝半径１１．０ｍｍ及びＲＶ＝半径１４７．５ｍｍであり、図４３において、ＲＷ＝１７０ｍｍ、ＲＸ＝３．９ｍｍ、ＲＹ＝１ｍｍ、ＲＺ＝７．４ｍｍ、ＳＡ＝３．５ｍｍ、ＳＢ＝２９．８ｍｍ、ＳＣ＝７７．０ｍｍ、ＳＤ＝１０ｍｍ、ＳＥ＝５．５ｍｍ、Ｓ＝２６４．１ｍｍ、ＳＧ＝２６５．４ｍｍ、ＳＨ＝２６ｍｍ、ＳＩ＝２．３ｍｍ及びＳＪ＝５．５ｍｍであり、図４４において、ＳＫ＝３．３ｍｍ、ＳＬ＝６８ｍｍ、ＳＭ＝３４．８ｍｍ、ＳＮ＝６ｍｍ及びＳＯ＝２９ｍｍであり、図４６において、ＳＱ＝２３ｍｍであり、図４７において、ＳＳ＝２３ｍｍであり、図５０において、ＳＴ＝４５°及びＳＵ＝４ｍｍであり、図５１において、ＳＶ＝１２．９ｍｍであり、図５２において、ＳＹ＝１９．４ｍｍ、ＳＸ＝８５ｍｍ及びＳＷ＝１０ｍｍであり、図５３において、ＳＺ＝２５２．６ｍｍ、ＴＡ＝１８ｍｍ、ＴＢ＝４９０．４ｍｍ、Ｃ＝９ｍｍ及びＴＤ＝１６４．６ｍｍである。
【０１９２】
ＶＩＩＩ．選択された更なる例の代替アセンブリ、構成要素の特徴、技術及び方法、図５７〜図７８
Ａ．代替例のアセンブリ及び構成要素、図５７〜図７６
１．代替シールの変形例
先にＩＶ．のＢ．で、いくつかの代替シール構成を説明した。図２５に関連して説明した例は、本明細書に参考として取り入れられている米国特許出願第１３／６６２，０２２号に特徴を示される全般的種類のシール形状であった。尚、米国特許出願第１３／６６２，０２２号は、２０１３年１０月１０日に米国特許公開第２０１３／０２６３７４４号として公開され、この公開公報第２０１３／０２６３７４４号も参考として本明細書に取り入れられている。更に、対応する国際出願第ＰＣＴ／ＵＳ２０１２／０６２２６５号は、２０１３年５月２日に国際公開第ＷＯ２０１３／０６３４９７号として公開されており、国際公開第第ＷＯ２０１３／０６３４９７号も参考として本明細書に取り入れられている。一般に参考として取り入れられたそれらの引用文献で説明され及び／又は図示されるシール構成は、図１〜図５６のフィルタカートリッジ及びエアクリーナアセンブリを含めて、本開示に従った全般的特性を有するフィルタカートリッジ及びエアクリーナアセンブリと共に使用可能であることが理解されるだろう。この例は、以下に図５７〜図７６に関連して説明される一実施形態及び変形例から理解されるだろう。
【０１９３】
尚、追加のシールの変形例は、２０１４年４月３０日に出願された米国特許出願第１４／２６６，５６０号に含まれる。それらの変形は、本開示に従った他の特徴を有するシステムに含めることができる。米国特許出願第１４／２６６，５６０号は、参考として本明細書に内容全体が取り入れられている。
【０１９４】
２．代替フィルタカートリッジの例、図５７〜図６１
図５７を参照すると、図中符号２０１は、本開示による代替フィルタカートリッジの全体を示す。フィルタカートリッジ２０１は、特に先に引用し、参考として取り入れられている米国特許出願第１３／６６２，０２２号、米国特許出願公開第２０１３／０２６３７４４号及び国際公開第ＷＯ２０１３／０６３４９７号の教示にほぼ従った以下に説明されるようなハウジングシール構成を含む。図２７を参照すると、フィルタカートリッジ２０１は、一般に第１の媒体端部２０３と第２の媒体端部２０４との間に延設された延設媒体２０２を備える。図示される特定の例の場合、図示される媒体２０２は、開放されたフィルタ内部空間２０７を取り囲むように構成される。媒体２０２は、一般に第１の媒体端部２０３に配置された第１の端部材（端部キャップ）２１０と、媒体２０２の反対側の第２の端部２０４に配置された第２の端部材（端部キャップ）２１１との間に延設される。
【０１９５】
図示される例のフィルタカートリッジ２０１の場合、第１の端部材２１０は、第１の端部材を貫通し、開放されたフィルタ内部空間２０７と流体連通する中央空気流れ開口部２１６を有する開放された端部材２１５である。
【０１９６】
先に説明した実施形態と同様に、図示されるカートリッジ２０１の例の場合、第２の端部材２１１は、典型的には閉鎖された端部材２１８であるのが好ましい。典型的には、カートリッジ２０１は、濾過中に「外から中へ」の流れを形成するように構成されるが、それに代わる構成も可能である。しかし、本技術のいくつかの用途では、これに代わる流れ又は逆方向の流れも可能である。カートリッジ２０１が、濾過中に外から中への流れを形成するように構成され使用される場合に、開口部２１６は出口開口部２１６ｏになる。
【０１９７】
典型的には、端部２０３、２０４の間の延設部分に２０２ｊで概略的に示されるように、媒体２０２には襞が形成される。すなわち襞２０２は、複数の襞を含む襞付き媒体２０２ａである。従って媒体２０２は、先に説明した実施形態に関して先に説明した通りであることが可能である。
【０１９８】
図５７を参照すると、図示されるカートリッジ２０１は、先に説明したビード２０と同様の媒体２０２を取り囲み且つ外側襞先端部と係合するオプションの接着剤ビード２２０を有するものとして示される。ビード２２０は、使用中に外側襞先端部を適正な位置、向き及び間隔で容易に固定する。
【０１９９】
先に説明した実施形態と同様に、フィルタカートリッジ２０１は、媒体２０２の外周部２０２ｏを取り囲むオプションの外側ライナ２２１を備えることができる。ライナは他の実施形態に関して先に説明した通りであることが可能である。
【０２００】
他の実施形態に関して先に説明したように、典型的には特に外から中への流れを形成する構成で使用される場合、カートリッジ２０１は、周囲に媒体２０２が配置される予成形内側ライナ支持構成２２４（又はプリフォーム２２４ｐ）を備える。プリフォーム又は支持構成２２４は、典型的には媒体２０２を構成的に支持し、その結果カートリッジ２０１を支持するために、媒体端部２０３、２０４の間及び端部材２１０、２１１の間に延設される部分を含む相対的に剛性の構成である。内側ライナ２２４は、金属又はプラスチックを含む多様な材料から形成できる。本技術の典型的な用途の場合、内側ライナ２２４（及びプリフォーム２２４ｐの全体）は、成形プラスチック構成であることが多い。そのような構成の一例が図５７Ｃに示される。
【０２０１】
以上説明したように、フィルタカートリッジ２０１は、先に説明したカートリッジ１とほぼ同様である。しかし図５７では、カートリッジ２０１はカートリッジ１に関連して説明したハウジングシール構成とは別のハウジングシール構成（特定の詳細で異なる）を有するものとして示される。この代替ハウジングシール構成は、一般に本明細書に参考として取り入れられている米国特許出願第１３／６６２，０２２号、米国特許公開第２０１３／０２６３７４４号公報及び国際公開第ＷＯ２０１３／０６３４９７号で説明され及び／又は図示されるシール構成に従う。それらの引用文献で説明される変形例を使用可能である。
【０２０２】
図５７を参照して、端部材２１０、特にハウジングシール構成２３４に注目する。図示されるハウジングシール構成２３４は、半径方向シール構成２３５として構成される。特に、本例のハウジングシール構成２４０は、外側に（すなわち半径方向外側に）向いたハウジング半径方向シール２３６として示されるが、それに代わる構成も可能である。この場合の半径方向シール２３６は、端部材２１０の周囲部分２３７を取り囲む外周部シール面２３６ｘである。図示される例では、端部材２１０の部分２３７は、周囲部規定で非円形である（周囲部）シール面２３６ｘを規定するように構成される。本例において、周囲部形状は、面２３６ｘが（連続して）周囲方向に中心シール軸Ｘ（又はシール中心Ｃ）の周囲に延設されるにつれて凸形（外側に向いた）面部分２３６ｏ及び凹形（外側に向いた）部分２３６ｉが交互に配列されるように示される。すなわち面２３６ｘが中心軸Ｘの周囲方向の延設経路で起伏を形成する間に、部分２３６ｏは、一般にそのような軸Ｘ又はシール中心Ｃから離れるように半径方向外側へ湾曲し、部分２３６ｉは中心軸Ｘ又は中心Ｃに向かって半径方向内側へ湾曲する。この種のシールは、引用した文献で説明されるように有利であるということができる。面２３６ｘは、それらの引用文献で説明され、以下の説明中にも引用される技術を使用して構成できる。説明中、シール軸又はシール中心という場合、それはシール面定義の軸又は中心点を定義することを意図する。中心又は軸は、典型的にはシール面周囲部を通る第１の最長の線と、その最長の線に対して垂直な、第１の線の中心を通る線との交差点により規定される位置にある。これは、先に説明した実施形態に関して述べた同様の中心に類似する定義だろう。
【０２０３】
更に図５７を参照すると規定されるような形状にした結果、シール面２３６ｘは、凹部（領域２３６ｉ）により分離された外側に向いた複数の突出部（領域２３６ｏ）を含むとして特徴付けられることが可能である。
【０２０４】
典型的には、そのような突出部は少なくとも３個、通常は少なくとも４個、多くの場合に４個以上、１２個以下の範囲内の数で存在する。図示される例では、６個の突出部がある。
【０２０５】
他の面では、カートリッジ１は、図１〜図６のカートリッジ１とほぼ同様であることが可能である。しかし、変形は可能である。
【０２０６】
図５７Ａには、カートリッジ２０１の第１の横断面図が示される。同様の部分は、同じ図中符号により示される。図５７Ａにおいて、指示記号Ｘ１、Ｃ１は、端部キャップ２１０の外周部、シール面２３６ｘ及び中央開口部２１６、外側ライナ２０５の中心、プリフォーム２２４ｐ及び端部キャップ２１０の隣接する領域の媒体２０３の内周部と外周部を含む第１の端部キャップ２１０の選択された特徴の中心軸又は中心を示す。
【０２０７】
図５７Ａにおいて、線Ｘ２及び同様の中心Ｃ２は、一般に下部の端部キャップ２１１及び媒体端部２０４（及びそれに隣接する特徴）と関連する中心特徴である。図５７Ａを検討することにより、Ｘ１、Ｃ１はＸ２、Ｃ２からずれていること、すなわち先に図１〜図５６に関連して説明したのとほぼ同様に、端部キャップ２１０の関連する特徴が端部キャップ２１１に対して偏心的に配置されていることがわかる。
【０２０８】
図５７Ｂにおいて、図５７Ａの図に対してほぼ直角に見た場合のカートリッジ２０１の第２の横断面図を見ることができる。
【０２０９】
図５７Ｃにおいて、カートリッジ２０１を形成するために使用可能なプリフォーム２２４ｐを含む支持体２２４を見ることができる。特に、図５７Ｃを検討すると、支持体２２４は、図５６Ａの中心又は中心シール軸Ｘ１、Ｃ１の周囲に、外側に向いた凸形部分（突出部）２２４ｘ及び外側に向いた凹形部分（凹部）２２４ｉの交互配列を有する波形面を含むシール支持部材２２４ｍを含むことがわかる。面２２４ｍは、一般にハウジングシール構成２３５などのシールに対する支持面である。本例において面２２４ｍは、内側襞先端部と外側襞先端部との間の位置で媒体端部２０３と重なり合うように配置される。
【０２１０】
カートリッジ２０１を構成するために、プリフォーム２２４ｐに適切な媒体を巻き付けることができることが理解されるだろう。媒体は必要に応じて外側ライナ及び／又はビード構成を有する形で提供されることが可能だろう。様々な端部材２１０、２１１は、媒体パック／プリフォームの適切な端部をモールド・イン・プレース成形部分を形成するのに適する樹脂を含む成形型の中に配置することにより完成されるだろう。端部材２１０、２１１のモールド・イン・プレース成形部分に使用される材料は、先に図１〜図５６に関連する実施形態に関して説明した材料であることが可能である。
【０２１１】
成形作業は、参考として取り入れられている米国特許出願第１３／６６２，０２２号、米国特許公開第２０１３／０２６３７４４号公報及び国際公開第ＷＯ２０１３／０６３４９７号の説明と同様に実施可能である。
【０２１２】
図５８には、カートリッジ２０１の第２の出口端部斜視図が示され、図５８の図は、図５７で見られる特徴より多くの内部特徴を示す。半径方向（外側）に向いた凸形部分２３６ｏ及び半径方向（内側）に向いた凹形部分２３６ｉの交互配列を含む外側に向いた半径方向シール面２３６ｘを有するハウジングシール構成２３４が示される。図５７では、内部空間２０７にあるカートリッジ２０１の更なる特徴を見ることができる。特に、ライナ２２４（及びプリフォーム２２４ｐ）の更に多くの特徴を見ることができる。本例のライナ２２４は、複数の離間した長手方向（フィン）延設部分２２４ｆ及び複数の離間した半径方向リブ２２４ｒを有するものとして見ることができる（図５７Ｃを併せて参照）。端部材２１１の内部中央面部分２１１ｉも見られる。図示されるカートリッジの例では、この内部中央面部分２１１ｉは閉鎖されており、支持体２２４を提供するために使用されるプリフォーム２２４ｐの一部を構成できる端部材２１１の中央部分２１１ｃを含む。そのような構成要素は以下に更に説明される。
【０２１３】
図５９には、端部材２１０及びカートリッジ２０１の内側の部分が開口部２１６ｏを通して見える場合に外側軸方向面部分２１０ｓのみが見えるように配向された図が示される。同様にハウジングシール面２３６ｘの全般的構成を見ることができる。図５９を参照すると、端部材２１０は周囲領域２１０ｐ及び突起部分２１０ｘを規定するものとして見ることができる。突起部分２１０ｘは、その周囲（周囲部）に沿って、ハウジングシール面２３６ｘを規定する。図５９を再び参照すると、プリフォーム２２４ｐを内部に収納する内部空間２０７を見ることができる。
【０２１４】
図６０には、端部材２１１に向かって見た場合の図が示される。この場合閉鎖された端部材２１１は、中央閉鎖部２１１ｐを有するモールド・イン・プレース成形リング部分２１１ｒを含むものとして見ることができる。リングセグメント２２７ｐは先に説明したリングセグメント２７ｐと同様であることが可能であり、部分２１１ｐは端部材２１０に向かって開放されたカートリッジ内部空間２０７の中へ延出する突起４５に幾分類似する突起として見ることができる。部分２１１ｐ（図５７Ｃを参照）は、以下に更に説明されるように、突起４５と同様にハウジング部分と好適に係合するように構成できる。
【０２１５】
図６０Ａには、図６０に類似するが、カートリッジ２０１の他の特徴を見るためにわずかに位置をずらされた図が示される。
【０２１６】
カートリッジ２０１は、必要に応じて、カートリッジ１と同様の偏心性を含むように実現できる。図６１には、端部２０３で選択された媒体周囲部２０３ｐ及び端部２０４で媒体周囲部２０４ｐにより規定される偏心性を示す概略図が示される。偏心度Ｚは、ずれＰ及びＱによりそれぞれ規定されるとして見ることができる。
【０２１７】
カートリッジ１と同様に、カートリッジ２０１に関連して、先にカートリッジ１に関して説明した媒体パックの変形を適用できる。
【０２１８】
先に、端部材２１０及び２１１の「モールド・イン・プレース成形」部分を参照した。端部材２１０に関して、それらの部分は、図５７Ａ及び図５７Ｂにおいて２１０ｍで示される。一般に２１０ｍは、媒体２０３の部分、外側ライナ及びそれに埋め込まれた支持体２２４ｐの部分を含む。
【０２１９】
端部材２１１のモールド・イン・プレース成形部分は、一般に図５７Ａ及び図５７Ｂにおいて２１１ｍで示される。一般にそれらの部分は、端部材２１１の部分、外側ライナ、媒体２０２の端部２０４及びそれに埋め込まれたプリフォーム２２４ｐの閉鎖された端部分を含む。
【０２２０】
Ｂ．エアクリーナアセンブリの例及びアセンブリの構成要素、図６２〜図７６
図６２〜図７６には、図５７〜図６１に従ったカートリッジ２０１を使用するエアクリーナアセンブリ及びその構成要素が全体として２９０で示される。エアクリーナアセンブリ２９０は、必要に応じて、カートリッジ２０１と係合するために変形された部分を除いて、先に説明したエアクリーナアセンブリ９０とほぼ同様であることが可能である。
【０２２１】
図６２を参照すると、エアクリーナアセンブリ２９０は、ハウジング２９１を備えることがわかる。ハウジング２９１は内部空間を規定し、使用中にその内部空間にカートリッジ２０１が動作可能に配置される（又は配置されるだろう）。
【０２２２】
図示される特定のエアクリーナ２９０は、典型的には図示される向きで、すなわち、使用中に長い寸法がほぼ縦方向に延設するように配向されると考えられるハウジング２９１を有する構成である。本出願の原理は、そのような使用に特によく適合する。しかし、エアクリーナ９０と同様に、本明細書において説明される技術の選択された用途に関して、それに代わるハウジングの向きも可能である。
【０２２３】
更に図６２を参照すると、そのように配向されることにより、ハウジング２９１は、第１の（上部）端部２９１ｔ及びその反対側の第２の（底部）端部２９１ｂを有する。先に説明したエアクリーナアセンブリ９０の場合と同様に、端部２９１ｂにはオプションの排出構成２９３が設けられる。
【０２２４】
先にエアクリーナアセンブリ９０に関して説明したように、典型的にはカートリッジ２０１は、エアクリーナハウジング２９１において取り外し可能且つ交換可能である。これを考慮するために、ハウジング２９１は、一般に本体又は本体部分２９５及び取り外し可能なアクセスカバー部分２９６を含む。点検中又はカートリッジ２０１に関連する他の取り外し／取り付け作業中、アクセスカバー２９６は（下部）本体部分２９５から取り外されるので、内部に受け入れられたカートリッジ２０１にアクセスすることができる。点検又は他の作業の後、アクセスカバー２９６は再び本体部分２９５に置換され、その内部にカートリッジ２０１が適切に位置決めされ、アクセスカバー２９６を取り付けることによって、適正な密封が得られる。図示される例のエアクリーナアセンブリ２９０の場合、アクセスカバー２９６は、例えば、ホルダ２９９の中のボルト（図示せず）を含む締め具により本体部分２９１に固定されるだろう。用途によっては、それに代わる種類の締め具構成を使用できる。
【０２２５】
図示される例のエアクリーナアセンブリ２９０の場合、主本体２９５は、任意に先に説明したハウジング本体９５と同様に、形成後に互いに固定される２つの個別の部分から構成される。２つの部分は、ハウジング本体中央部分３００及びハウジング本体（閉鎖）端部分３０１により示される。本例では、排出構成２９３はハウジング本体（閉鎖）端部分３０１に配置される。
【０２２６】
部分３００、３０１の間の接合部は３０５で示される。アセンブリ９０と同様に、接合部３０５は、部分３００のホルダにスナップフィットされる部分３０１の突起（又はその逆）を含むスナップフィット構成であることが可能である。先に説明したエアクリーナアセンブリ９０の場合と同様に、接合部３０５は、一度組み立てられた後は、部分３０１を容易に部分３００から取り外すことができないように構成され、形成される。
【０２２７】
別の用途では、ハウジングの底端部分３０１は、中央部分３００から取り外し可能であるように形成されることが可能である。従って、底端部分３０１は、取り外し可能なボルト又はオーバーセンターラッチなどの別の手段により装着されることが可能だろう。この場合、アセンブリ２９０は必要に応じて、中央部分３００の底端部を介して点検可能である。先に説明した実施形態と同様に、底端部３０１が取り外し可能に構成される場合、典型的には中央部分３００に取り付けパッドが配置される。
【０２２８】
更に図６２を参照すると、本例のエアクリーナアセンブリ２９０ではエアクリーナ２９０からの濾過済みガス流れの出口３１５は、ハウジング２９１に示される。図示される特定の例の場合、出口３１５はアクセスカバー２９６に配置される。本明細書において説明される技術の多くの用途では、これが典型的であるが、それに代わる構成も可能である。
【０２２９】
更に図６２を参照すると、濾過されるガス（通常は空気）の入口が３２０で示される。入口１２０と同様に、入口３２０は、接線方向に傾斜した入口３２１であるが、それに代わる構成も可能である。入口１２０に関連して先に示した好適な特徴及びアセンブリ９０の他の特徴との関係性は、入口３２０並びに他の特徴及びハウジング２９１との関係性でも使用可能である。
【０２３０】
図６３には、図６２の図とはほぼ反対の側の側面図が示され、同じ図中符号は、同じ全般的特徴又は部分を示す。図６２−図６３を参照すると、アセンブリの取り付けパッド構成の全体が３３０で示される。使用時に車両などの機器にアセンブリ２９０を取り付けできるのは、この取り付けパッド構成３３０を介してである。言うまでもなくこれに代わる構成も可能である。
【０２３１】
図６４には、ほぼ図６２の左側及び／又は図６３の右側から見た場合の第３の側面図が示される。同様に、同じ図中符号は同様の部分を示す。
【０２３２】
図６５には、エアクリーナアセンブリ２９０の底部平面図が示される。取り付けパッド３３０を見ることができる。図６５において、図６２〜図６４に関して使用された図中符号と同じ図中符号は、同様の特徴を示す。
【０２３３】
図６６には、図６２、図６３のアクセスカバー２９６を取り外した状態のエアクリーナアセンブリ２９０の上部斜視図が示される。従って、内部にカートリッジ２０１が配置された状態のハウジング本体２９５を見ることができる。
【０２３４】
図６６を検討することにより、アクセスカバー２９６はカートリッジ２０１を所定の場所で適正に密封するためにハウジングシール構成２３５と係合するためのシール面を含む必要があるだろうということが理解される。これを提供するアクセスカバー２９６の特徴は、以下の図６７、図６８に関連する説明から理解されるだろう。それらの図を参照する前に、図６６において、カートリッジ２０１の内部空間２０７にある長手方向延出部分又はフィン２２４ｆに注目する。特に、端部材２１０に隣接するそれらの長手方向延出部分又はフィン２２４ｆの端部分２２４ｅに注目する。
【０２３５】
長手方向延出部分又はフィン２２４ｆのそれらの端部２２４ｅは、端部材２１０のモールド・イン・プレース成形部分２１０ｍが媒体２０２及びプリフォーム２２４ｐにモールド・イン・プレース成形される場合に、カートリッジプリフォーム２２４ｐの部分を成形型に対して位置合わせするために都合よく使用されることが可能である。これは、組み立て中にカートリッジ２０１のプリフォーム２２４ｐの他の部分に対して、シール面２３６ｘに形成されるべき様々な凸形部分及び凹形部分を適正に位置決めするのを補助する。このことは、例えば米国特許出願第１３／６６２，０２２号、米国特許公開第２０１３／０２６３７４４号公報及び国際公開第ＷＯ２０１３／００６３４９７号で説明されている。類似の技術は、カートリッジ２０１の組み立て時に使用できる。
【０２３６】
フランジ３５２は、「半径方向位置合わせ受け入れ部構成を有する内側割り出しフランジ」であるとして特徴付けられる場合があり、「半径方向位置合わせ受け入れ部構成を有する内側割り出しフランジ」の受け入れ部３５２ｒの中に受け入れられるフィン３２４ｆの端部３２４ｅは、「半径方向位置合わせ受け入れ構成に受け入れられる半径方向位置合わせ割り出し突起」又はそれに類似する用語により特徴付けられる場合がある。
【０２３７】
次に、アクセスカバー２９６の内面又は部分２９６ｉが２つの斜視図で示される図６７及び図６８に注目する。まず図６７を参照すると、出口管３１５を有するアクセスカバー２９６を見ることができる。この図は内部空間２９６ｉに向かって見た図であるので、ハウジングシール面３５０を見ることができる。ハウジングシール面３５０は、カートリッジ２０１のハウジングシール構成２３５と密封係合するハウジングシールフランジ３５０ｆとして構成される。カートリッジ２０１の特定のハウジングシール構成２３５は、交互に配列された凸形部分及び凹形部分を有する半径方向外側に向いたシール面であるので、面３５０も、これと篏合するように同様の形状に形成される。従って、面３５０は、突出部又は領域２３６ｏと篏合する外側に湾曲した（凹形）部分３５０ｘと、凹部又は部分２３６ｉと係合する内側に湾曲した凹形部分３５０ｉとを含む。
【０２３８】
図６６において、カートリッジ２０１に対してアクセスカバー２９６を回転割り出しすることが望ましい。これを実現するために、アクセスカバー２９６は、その内部空間２９６ｉに、割り出し突起３５２を含む。図示される例の割り出し突起３５２は円弧状であり、全円を描いて延設されてはいないが、全円であることも可能だろう。割り出し突起は、取り付け中にフィン２２４ｆの図６６における端部２２４ｅを選択的に受け入れるための受け入れ凹部３５２ｒを含む。受け入れ部３５２ｒとフィン端部２２４ｅとの間の突起／受け入れ部構成は、ハウジングシール構成２３４をシール面３５０に対して適正に密封しつつ、アクセスカバー２９６をハウジングのその他の部分２９５に適正に取り付けられるように適切な向きに確実に規定するための回転位置合わせ突起／受け入れ部（又は割り出し）構成を提供する。これは、適正な密封を得るために、図示されるシール面２３６の種々の突出部が種々の凹部３５０ｘと適正に位置合わせされることを意味する。
【０２３９】
図６８では、同様の特徴を見ることができ、それらの特徴は同じ図中符号で示される。更に図６８を参照すると、面３５６の不規則形状が３５５で示される。この例の不規則形状３５５は谷部である（図６８の図中）。
【０２４０】
一般に、面３５６は、カートリッジ２０１の図５７における突起領域２３７の端面２１０ｅと重なり合っている。周囲部に沿ってシール面２３６を形成するのは突起領域２１０ｃである。
【０２４１】
面３５６はシール面として使用されないのが好ましい。これは典型的なハウジングの場合、面３５６をそのような用途に適する規格に合わせて適切に構成し、形成する必要がないと考えられるからである。密封面としての面３５６の望ましくない使用を抑止するために、溝３５５が設けられる。
【０２４２】
図１〜図５６の構成に関して、突起／受け入れ部構成は、閉鎖された端部材２１１及びハウジング底部又は端部２９６に関して説明される。図５７〜図６１のカートリッジ２０１並びに図６２〜図７６のアセンブリ及び構成要素に関連して、同様の構成を使用できる。
【０２４３】
この点に関して、エアクリーナアセンブリ２９０の横断面図である図７３に注目する。この場合、カートリッジ２０１は、ハウジング２９１の内部空間２９１ｉの中に配置されることがわかる。カートリッジ２０１は、閉鎖端部２１１に、図３の突起４５に類似する中央突起４００を有することがわかる。この突起４００は、端部材２１１の中央部分２１１ｃにより規定される。中央部分２１１ｃは、プリフォーム２２４ｐの一部として形成されることが可能である。
【０２４４】
突起４００の外側面４００ｘ（端部材２１０とは逆の側）は、エアクリーナ端部２９６の案内突起４０２と共に、突起／受け入れ部構成４０１の受け入れ部材を規定する。
【０２４５】
突起／受け入れ部構成４０１は、大きさ、突出量、形状などの特徴に関する説明を含めて、他の実施形態に関連して先に説明した構成とほぼ同様に構成されることが可能である。従って一般に、図１〜図５６の実施形態に関連する同様の特徴は、必要に応じて図５７〜図７６の実施形態に関しても適用できる。
【０２４６】
多くの場合、先に図１〜図５６の実施形態に関連して説明したように、カートリッジ２０１を選択された回転向きでハウジング２９１の中に取り付けることが望ましい。突起／受け入れ部構成４０１は、これを実現するように構成可能である。図７４を参照すると、カートリッジ２０１の突起４００の外側面４００ｘは、内側突出フィン、リブ又は（割り出し）突起４１０を含む。この突起又は（割り出し）突出部材４１０は、選択された半径方向向きでのみハウジング２９１の底部２９６の突起４０２と係合して、完全な挿入を可能にするように構成される。このことは図７４から理解でき、突起４０２がその内面（カートリッジ端部材２１０に面する面）に（割り出し）溝穴又は受け入れ部４２０を含むものとして示され、カートリッジ２０１がハウジングの底部２９６の中へ押し下げられるにつれて、カートリッジ２０１の突起４１０がこの溝穴又は受け入れ部４２０の中へ延出するが、その延出はカートリッジ２０１とハウジングとの間の回転向きが選択された通りである場合に限り起こる。
【０２４７】
本明細書において、案内半径方向突起４１０及び溝穴又は受け入れ部４２０を含む突起／受け入れ部構成は、「半径方向位置合わせ割り出し突起／受け入れ部構成」又はそれに類似する用語で呼ばれる場合があり、その一方の部材は第２の端部材に配置され、他方の部材はハウジングに配置される。
【０２４８】
突起／受け入れ部構成は、２つ以上の回転向きが可能になるように構成されることも可能であるのは当然である。しかし、特にカートリッジ２０１が本明細書において特徴付けられるような偏心的構成を有する場合、ただ１つの半径方向向きを得ることができるのが多くの場合に好ましい。
【０２４９】
更に図７４を参照すると、所望の取り付けを容易にするために、先に説明した実施形態と同様に側部４０２ｃの一部がわずかに「陥没」していることを除き、突起４０２は、オーバル形の断面を有するほぼ円錐形の形状を有することがわかる。
【０２５０】
先に説明した構成と同様に、適切な力が加えられるまで、カートリッジをハウジング本体から引き離すときに抵抗を感じるようなカートリッジ２０１とハウジング底部との間の干渉型構成が説明される。この点に関して、図７５の説明に注目する。
【０２５１】
図７５は、アセンブリ２９０の下端部分を示す拡大部分横断面図である。端閉鎖部材２１１の一部を形成する弾性材料が２１１ｍで示される。弾性材料２１１ｍはカートリッジ２０１の端部材２１１の凹部２１１ｒの内側を覆う領域４３０を含む。この材料は先に説明した実施形態と同様に、ハウジングベースの突起４０２の端部分と係合するように構成される。先の実施形態の場合と同様に、この位置で与えられる抵抗の量は、アクセスカバー２９６が取り外される間にカートリッジ２０１をハウジングベース２９５に保持するのを容易にするために使用されることが可能である。必要に応じて突起４０２の適切な部分にビード構成又は微細な構成を設けることにより、アクセスカバー２９６を取り外している間にカートリッジ２０１を持ち上げることに対する抵抗を増大させることができる。
【０２５２】
領域４３０は、形状、偏心性などに関して、先に図１〜図５６に関連して説明した構成と同様に、内周部定義を有する／規定するものとして定義できる。
【０２５３】
図７６には、カートリッジアクセスカバー２９６がカートリッジ２０１の上に押し下げられている状況を示す概略図が示される。尚、典型的にはカートリッジ２０１がハウジング本体２９５に取り付けられる場合にのみ、この係合が起こることは当然だろう。
【０２５４】
図１〜図５６の構成において、カートリッジ２０１及びアセンブリ２９０の変形を実現できることが理解されるだろう。更に、図１〜図５６の構成に関して説明された変形は、図５７〜図７８の構成からの選択された特徴を伴って実現されることが可能である。本明細書における教示は、更に多くの実施形態で実現可能な特徴を示すことを意図する。
【０２５５】
中心シール軸Ｘの周囲に沿って凹凸を有するカートリッジ２０１のシール部材に関して、突出部の数及び突出部の特定の形状の変形を使用できる。典型的には構成は、半径方向内側に向いた凹部又は部分により分離される２〜１２個の突出部、通常は少なくとも３個で、１０個を超えない突出部、多くの場合に４〜８個の突出部を有する。また、シールは外側に向いた密封を実現するように構成されるのが典型的である。しかし、例えば半径方向内側に向いたシールを有する構成などの、これに代わる構成も使用可能である。
【０２５６】
尚、ハウジングシール構成が均等に配置された突出部又はその変形構成を有することは特段要求されない。本開示による構成ではこれに代わる構成も使用できる。
【０２５７】
先に説明された変形例は、本開示による原理を多様なシール面構成を有するカートリッジで実現できるだろうということを示す。
【０２５８】
尚、図５７〜図７６の様々な変形例は、図１〜図５６の構成に関して先に説明した全般的原理に従って、二次フィルタ又はセーフティフィルタと共に実現されることも可能である。
【０２５９】
Ｃ．図７７〜図７８の変形例
ハウジングとカートリッジとの間の半径方向位置合わせ又は割り出しのために、フィルタカートリッジ２０１とハウジング本体２９５との相互作用で、先に説明した突起／受け入れ部構成（又は先に説明した構成を同様に含むそのような構成の代替構成）に代わる突起／受け入れ部構成を使用できる。図７７〜図７８にはいくつかの変形例が示され、それらを説明する。それらの変形例は図１〜図５６の構成又は図５７〜図７６の構成のいずれか及びその代替構成と共に実現可能である。図７７〜図７８に示される例の突起／受け入れ部構成は、一般に類似の構成に基づくが、本明細書に参考として取り入れられている米国特許第８，２９２，９８４号公報、米国特許出願第１２／２１８，５８０号及び国際公開第ＷＯ２００９／０１４９８２号に記載されるように、アクセスカバーとフィルタカートリッジとの間の構成である。
【０２６０】
図７７を参照すると、アセンブリ５０３を形成するためにハウジング５０２に配置されたカートリッジ５０１の部分横断面図が示される。
【０２６１】
図示されるカートリッジ５０１の部分は、閉鎖端部５１１、すなわちハウジングシール端部とは反対の側の端部に隣接する部分である。図示される端部材５１１は、端部材１１、２１１とほぼ同様である。端部材５１１は、モールド・イン・プレース成形部分５１１ｍと中央プリフォーム５２４の一部として形成された中央部分５２０とを含む。この場合中央部分５２４は、第１の端部材からハウジングの底端部５０２ｅに向かって延出する中央突起５６０を含む。この突起は中央領域５６０ｃを取り囲む壁５６０ｗを含み、従って内面５６０ｉ及び外面５６０ｘを有する。図示される例の場合、（両側の）内面及び外面は非円形であり、図７７Ａからわかるように、この例では蛇行しているか又は起伏を有する。
【０２６２】
同様に図７７のハウジング端部５０２ｅは、取り付けが完了した場合に突起５６０を受け入れるような大きさに形成され且つそのように構成された凹部又は溝５７０を含む。この溝又は凹部５７０は、一般に、カートリッジに向かって開き、突起５６０の形状がどのようなものであっても、突起５６０を受け入れるように形成される。従って、溝５７０に向かって見た端面図である図７７Ｂから理解できるように、この溝又は凹部は、内壁５７０ｉと外壁５７０ｘとの間で、それ自体が非円形（例えば蛇行する）の形状を有するように構成されることが可能である。
【０２６３】
尚、突起５６０及び溝５７０の蛇行形状又は非円形形状は、複数の半径方向向きを可能にする半径方向位置合わせ割り出し突起／受け入れ部構成として使用できる。
【０２６４】
突起／受け入れ部に関して、それに代わる形状も使用可能であるのは当然である。例えば、取り付け時に突起５６０と凹部５７０との間でただ１つの回転向きが可能であるように、突起５６０を非対称形に構成し、凹部５７０も非対称形に構成することが可能である。これは、例えば、起伏の１つを他の起伏より大きく半径方向外側又は半径方向内側へ延出させることにより実行可能である。
【０２６５】
変形例では、突起をハウジング底部に配置し、溝又は凹部を閉鎖されたハウジング端部又は底部に向かって開くように、すなわち第１の開放された端部キャップとは逆の方向に開くようにカートリッジに配置することができる。その一例が図７８に横断面図で示される。図７８を参照すると、ハウジング部分６０２の中にカートリッジ６０１が示される。ハウジング部分の突起６６０は、取り付けが行われるときにカートリッジの凹部又は溝６７０の中に受け入れられるだろう。溝及び突起の形状は、図７７及び図７７Ａに関して先に説明した溝及び突起に類似していることが可能である。
【０２６６】
以上の説明から、代替変形例が理解されるだろう。ここで説明される突起／受け入れ部構成に関して、多様な異なる形状を使用できる。突起部材（図７７の部材５６０、図７８の部材６６０）が中心の周囲に沿って連続して延出していることは特段要求されないが、これが典型的な構成である。
【０２６７】
突起及び受け入れ部の各々が起伏を含むか又は蛇行する形状定義を有することは特段要求されないが、本章で示す変形が使用される場合にこれも典型的な構成である。起伏及び／又は突起の数は変更可能である。図示される例は約２〜１２個の部材を有する。しかし典型的には数は少なくとも２つであり、通常は４〜１０個の範囲内、多くの場合に６〜１０個である。
【０２６８】
これらの特徴の全般的な定義に関して、米国特許第８，２９２，９８４号公報、米国特許出願第１２／２１８，５８０号及び国際公開第ＷＯ２００９／０１４９８２号の特徴が参考として本明細書に取り入れられている。
【０２６９】
尚、図７７〜図７８の変形例は、他の実施形態において説明したハウジングの特徴のうち種々の特徴と共に実現可能である。
【０２７０】
ＩＸ．いくつかの追加の変形例、図７９〜図１０５
Ａ．アセンブリの代替オプションの例、図７９〜図８２
図７９〜図８２において、本開示による原理を使用する付加的なアセンブリが提供される。尚、図７９〜図８２のオプションの多くは、本明細書において説明される他の実施形態の選択された特徴と共に実現可能である。
【０２７１】
まず、図７９を参照すると、エアクリーナアセンブリが７００で示される。エアクリーナアセンブリ７０８は、第１の空気流れ管７０２及び第２の空気流れ管７０３を有するハウジング７０１を備える。典型的な外から中への流れに使用される場合、管７０２は濾過済み空気に対する出口流れ管として使用され、管７０３はエアクリーナアセンブリ７００により濾過される空気の空気流れに対する入口流れ管として使用されるだろう。しかし、それに代わる実施も使用可能である。
【０２７２】
図示されるハウジング７０１の場合、管７０２はハウジング中央部分７０６の端部７０１ａにラッチ７０５ａにより取り外し可能に固定される第１の取り外し可能なアクセスカバー７０５の一部である。
【０２７３】
ハウジング７０１は第２の取り外し可能な端部７０７を含む。取り外し可能な端部７０７は、例えば洗浄を容易にするための点検用アクセスとして使用可能である。いくつかの用途では、この原理は、内部に受け入れられるフィルタカートリッジの取り外し及び取り付けのためのアクセス端部としても使用できる。取り外し可能な端部７０７は、ラッチ７０７ａにより中央部分７０６の所定の場所に（ハウジング中央部分７０６の端部７０１ｂに）固定される。
【０２７４】
場合によっては、内部に受け入れられる点検可能なフィルタカートリッジは、端部７０１ａを介して（第１のアクセスカバー７０５の取り外し時）又は端部７０１ｂを介して（第２のアクセスカバー７０７の取り外し時）、あるいは双方の端部を介して取り付け（又は取り外し）できるような大きさに形成される。
【０２７５】
別の実施形態では、端部７０７のみが取り外し可能な端部であり、端部７０５は永久的に配置されることも可能である。しかし場合によっては、２つの端部を共に取り外し可能且つ点検可能にすることが好ましい。尚、双方の端部を同様に取り外し可能（又は底部で取り外し可能且つ点検可能）且つ点検可能にすることは、本明細書において説明される種々の実施形態と共に適用される技術であることが可能である。
【０２７６】
尚、更に図７９を参照すると、入口７０３は、例えば先に説明した入口とほぼ同様に傾斜した入口である。しかし、この入口は接線方向入口として示されない。しかし、接線方向入口として構成されることが好都合であるといえるだろう。
【０２７７】
図８０には、内部に配置されたフィルタカートリッジ７１０を示すために、一部を横断面で示した第２の側面図が示される。フィルタカートリッジ７１０は、第１の端部７１１ａ及び反対側の第２の端部７１１ｂを有する媒体７１１を備える。媒体７１１は、開放された内部空間７１１ｉを取り囲むように配置される。
【０２７８】
カートリッジ７１０は、媒体端部７１１ａに配置された第１の端部材７１２を含む。第１の端部材７１２は、本明細書において説明した種々の実施形態の類似する端部材と同様に構成されることが可能である。図示される特定の端部材７１２は、端部７１１ａにモールド・イン・プレース成形された部分７１２ｍと、カートリッジ７１０が位置決めされた場合にハウジング７０１と密封係合するように配向されたシール部材７１２ｓを有するものとして示される。この位置、あるいは他の位置又はそれに代わる位置で、多様なシール又はシールの種類を使用できる。典型的にはシールは半径方向に向いている。しかし特定の例では、図示される部材７１２ｓは軸方向シールである。実際図示されるように、シールは周囲ピンチシールであり、ハウジング部分７０５、７０６の間で密封が起こる。
【０２７９】
カートリッジ７１０は、端部７１１ｂに第２の端部材７１３を含む。端部材７１３は、多様な方法で構成可能であり、本明細書において説明した代替特徴の中の種々の特徴を伴って構成されてもよい。特定の端部材７１３は、モールド・イン・プレース成形周囲部分７１３ｍと、端部７１１ｂに隣接して内部空間７１１ｉに延出し、本例では内部空間７１１ｉを閉鎖する中央プリフォーム部分７１３ｂとを含む。プリフォーム部分７１３ｂは、使用中にハウジングの一部と任意に係合するための突起部材を規定するために内部空間又は凹部７１３ｓの周囲に延設されるオプションの突出リング７１３ｒを含む。部材７１３ｒは円形の突起であることが可能であるが、中央凹部又は内側凹部の周囲で演出する、例えば複数の突出部によって蛇行形状を有する特定の突起であってもよい。
【０２８０】
図示される特定のアセンブリ７００において、ハウジング７０１は突起部材７１３ｒと係合するための部材を含まない。しかし、説明される他の実施形態では、そのような係合を可能にするための方式が説明される。
【０２８１】
更に図８０を参照すると、端部材７１３のモールド・イン・プレース成形部分７１３ｍは、先に説明した抵抗型ハウジング係合部分とほぼ同様の、７１５で示される抵抗型ハウジング係合部分を含む。尚、図示される特定のハウジング７０１は概略的に示され、従って、抵抗型ハウジング係合部分７１５は使用されない。しかし、ハウジングは、本明細書で説明される他の実施形態と同様にそのような係合を使用するように変形されることが可能だろう。
【０２８２】
更に図８０を参照すると、端部材７１２は、内部空間７１１ｉと直接流体連通する中央開口部７１２ｏを有する開放された端部材である。
【０２８３】
図示されるフィルタカートリッジ７０は、端部材７１２、７１３の間に延設され、フィルタ媒体７１１が配置されている中央ライナ７１６を含む。ライナ７１６は、典型的にはプリフォーム７１７の一部であるのが好ましい。図示される例では、プリフォーム７１７は、その一体の部分として、端部材７１３の中央部分７１３ｂを含む。
【０２８４】
更に図８０を参照すると、入口７０３は傾斜していることがわかり、出口７０２は、一般に軸方向出口である。
【０２８５】
媒体及び／又はカートリッジの特徴は、多様な実施形態に関して本明細書において説明されるような形状の変形（すなわち偏心性）を伴って構成されてもよい。これはほぼ円筒形（しかし偏心的）であってもよいが、円錐形であってもよい。
【０２８６】
図８１には、アセンブリ７００のハウジング７０１の出口端部に向かって見た場合の平面図が示される。図示される例の場合、媒体はややオーバル形のパターンで構成されることが図８１から理解できる。オーバル形のパターンは、本明細書において説明される他の実施形態のような変形例で媒体に使用可能である。
【０２８７】
図８２には、アセンブリ７００の概略展開図が示される。アクセスカバー７０５が分離された後にカートリッジ７１０を取り外すことができることがわかる。また、アクセスカバー７０７も取り外し可能であることがわかる。
【０２８８】
図８０を参照すると、図示される軸方向ピンチシールを有する場合、非常に可撓性の高いシールを使用しない限り、アクセスカバー７０７により開放された端部からカートリッジ７１０を取り外すことは不可能だろう。しかし、ピンチシール７１２ｓの代わりに半径方向シールが使用される場合には、そのような取り外しは相対的に容易だろう。カートリッジが端部７０１ｂを介して取り外し可能であるか否かに関わらず、カバー７０７を取り外せることは、例えば組み立て及び／又は洗浄に関して有利であるといえる。
【０２８９】
上記の説明は、両端部から点検可能なユニットと共にピンチシール又は軸方向シールがまったく使用不可能だろうということを示すことを意図しない。これを実現させる構成が開発されるであろう。例えば、図８２を参照すると、シールが突起７１２ｐと係合することにより構成される軸方向突出シールであった場合、アクセスカバー７０５の一部がラッチ７０５ａ又は他の構成により与えられる圧力を受けている状態で、端部材７１２の外周部７１２ｘは、アクセスカバー７０７が取り外された場合にカートリッジ７１２をハウジング端部７０１ｂから取り外すことを可能にするのに十分なほど小さいことが可能だろう。言い換えれば、ハウジング中央部分７０６は、密封のために棚状部分を含まない端部７０１ａによって規定されることが可能だろう。
【０２９０】
一般的に言えば、図７９〜図８２の概略図は、本開示による多様な構成と共に適用されるいくつかのオプション又は原理を示すことを意図する。第１に、ハウジングの両端部は取り外し可能に形成されることが可能だろう。第２に、半径方向密封に代わる密封（例えば）を使用できる。また、カートリッジをオーバル形の形状にすることも可能である。更に、ハウジングは、入口が傾斜している場合であっても、接線方向ではなく、中心軸に向かうように方向づけられた入口を有する構成であることが可能だろう。更に、カートリッジが閉鎖端部でハウジングと係合するための突起構成を有する場合でも、ハウジング自体がそのような係合に合わせた構成にならないようにハウジングを構成できる。同様にハウジングは、カートリッジが閉鎖端部に抵抗型係合構成を有する場合でも、ハウジングがそのような構成との係合を使用しないように構成されるように構成できる。
【０２９１】
本明細書において、シールが「軸方向」であると特徴付けられる場合、それはシール部材に関わる密封力がシールにより取り囲まれる軸とほぼ一直線に並ぶような向きであることを意味する。軸方向シールは例えば、端部材に配置されたシールを軸方向力により、すなわち、ほぼ媒体の方向の力によりハウジング部材に押し付けることにより形成できるだろう。別の種類の軸方向シールは軸方向ピンチシールであり、この場合、シール部材は、同様にシール部材により取り囲まれる軸とほぼ整列する方向の力によって、分離可能なハウジング部分の間に挟まれる。
【０２９２】
図７９〜図８２の様々な例において、いくつかの選択された寸法が次のように提供される。ＷＡ＝１６６．２ｍｍ、ＷＢ＝３３０ｍｍ、ＷＣ＝３５．４ｍｍ、ＷＤ＝５４６ｍｍ、ＷＥ＝３０°、ＷＦ＝２１６ｍｍ、ＷＧ＝３８０ｍｍ及びＷＨ＝２１６ｍｍ及びＷＬ＝１６６．２ｍｍ。本明細書において特徴を示される原理と共に、これらに代わる寸法を使用できることは言うまでもない。しかし、提供される寸法は、特徴を示される技術の適用例を理解するために適用できる。
【０２９３】
本章で図７１図８２に関して説明した変形例は、説明した種々の実施形態における特徴を伴って、単独で又は種々の組み合わせで集合的に実現されることが可能である。図７９〜図８２の図により概略的に示されるアセンブリは、多様な方法で実現可能な原理及び構成上の特徴を示すことを意図し、本開示による所定の好適な構成の代表例を必ずしも示さない。
【０２９４】
Ｂ．カートリッジの付加的な例、図８３〜図８７
図８３〜図８７には、本開示による構成で使用可能な特徴を示す付加的なフィルタカートリッジが示される。図８３には、斜視図が提供される。図中符号８０１は、一般にフィルタカートリッジの変形例を示す。フィルタカートリッジ８０１は、長さが可変であることを示す破断線Ｚと共に示される。典型的な長さは、両側の端部又は端部材の間に示される距離により指示される尺度だろうが、破断線Ｚで示される部分は、典型的には示される線の延長線で補てんされる。しかし、これに代わる構成も可能である。
【０２９５】
図１１２を参照すると、フィルタカートリッジ８０１は、第１の端部材８０３及び第２の端部材８０４の間に延設されるフィルタ媒体８０２を備える。実施形態において、端部材８０３は開放されているものとして、すなわち貫通する空気流れ開口構成又は開口部８０３ｏを有するものとして示される。端部材８０４は、典型的には閉鎖され、カートリッジ内部空間と連通する貫通開口部を有していないだろう。
【０２９６】
媒体８０２は、開放された中央内部空間８０２ｉの周囲に延設される。図示される例では、周囲にフィルタ媒体８０２が巻き付けられたフレーム部材８０７が示される。
【０２９７】
一般に、媒体８０２は典型的には襞付きであるが、それに代わる構成も可能である。典型的には媒体８０２は、両端部８０２ａ、８０２ｂの間の偏心性に関して、先に特徴を示したように構成される。しかし、それに代わる構成も可能である。媒体８０２は、ほぼ円筒として構成されてもよいが、偏心性を得るための歪みを有する。しかし、その代わりに、例えばオーバル形の形状の断面などの別の形状を与えられることも可能だろう。
【０２９８】
カートリッジ８０１は、ほぼ先の説明に従った外側ライナ及び本明細書において特徴を示したようなオプションの襞ビード８０２ｂのうち一方又は双方を必要に応じて備えることができる。
【０２９９】
端部材８０３は、本明細書に参考として取り入れられている米国特許出願第１３／６６２，０２２号及び米国特許出願第１４／２６６，５６０号で見られるような説明に従って構成されたシール構成突起又は膨出部８０５をシール突起として有する。シール構成８０５は、（外向き）凸形部分又は突出部８０５ｌ及び内向き凹形部分又は凹部８０５ｒの交互配列を含む半径方向外側に向いた面８０５ｘを有する。面８０５ｘは、以下に説明されるように、半径方向（外側）に向いた密封面として使用できる。そのように使用される場合、一般にシール面８０５ｘは、非円形の半径方向外側に向いたシール面を表し、一般に形状はシールの中心又はシールにより規定される中心軸の周囲に起伏を含むだろう。このシール面は、開口部８０３ｏ及び端部キャップ８０３の中心を通る軸を中心とすること／その中心の周囲にあることができるが、その軸からずれていることも可能である。
【０３００】
しかしいくつかの用途では、面８０５ｘはシール面として使用されない。このことは、内面８０５ｉの以下の説明並びに図１０１〜図１０５に関連する以下の説明から理解されるだろう。
【０３０１】
更に図８３及び密封膨出部８０５を参照して、半径方向内側に向いた面８０５ｉに注目する。図示される例では、面８０５ｉは同様に、開口部８０３ｏ及び密封膨出部８０５の中心軸の周囲で非円形である。図示される特定の面８０５ｉは、複数の離間した内側に向いた突出部又は凸形部分８０５ｙ及びそれらと交互に配置された凹形部分又は凹部８０５ｚを含む。面８０５ｉは、一般に中央開口部８５ｏ及び／又は中心軸の周囲に非円形のシール形状を含む半径方向（内側）に向いた密封面として使用されるように構成されることが可能である。
【０３０２】
面８０５ｘ、８０５ｉのいずれか一方又は双方を密封面として使用できることが理解されるだろう。このことは、以下に図８１〜図８５に関連して説明される。尚、図８３を参照すると密封膨出部又は突起８０５は相対的に幅が狭い。すなわち、密封膨出部又は突起８０５の幅は、端部材８０３の差し渡し寸法より狭い。これは材料の使用を保存するように、密封膨出部８０５をモールド・イン・プレース材料から形成できることを意味する。
【０３０３】
更に図８３を参照すると、密封膨出部８０５により形成され及び／又はいずれか一方の（又は双方の）面８０５ｘ、８０５ｉにより規定されるハウジングシール構成が密封のために使用され、媒体８０２の一端部と「軸方向に位置合わせされる」又は媒体８０２の一端部と「軸方向に重なり合う」として特徴付けられることがわかる。これは特徴を示される膨出部及び／又は面は、端部材８０３に埋め込まれた媒体８０２の一端部の半径方向内側又は半径方向外側に配置されるのではなく、媒体８０２の一端部と整列するように配置されることを意味する。これは例えば半径方向スペースの問題に対処することに関して有利であるといえる。
【０３０４】
図８４には、端部材８０３及び密封膨出部８０５にほぼ向かって見た場合の平面図が示される。図８４では、図８３のフィルタ媒体８０２が周囲に配置される中央プリフォーム８１０の部分を見ることができる。プリフォーム８１０は、周囲にフィルタ媒体８０２が配置されるライナ８１０ｌと、端部材８０４に隣接するカートリッジ８０１の端部を閉鎖する端部分８１０ｅとを含む。端部８１０ｅは、図８４の向きでは図を見ている人に向かって延出するオプションの中央受け入れ部突起８１０ｒを有することができる。その突起８１０は、ハウジングと係合するための突起／受け入れ部構成８１０ｍの部材を備える中央部分８１０ｃを有することができる。この部材８１０ｍは、先に変形例に関連して説明した変形に従うことが可能である。
【０３０５】
プリフォーム８１０は典型的には、突起８０５のシールを支持する端部材８０３に埋め込まれた媒体の端部を覆うように延出する部分を更に含むだろう。これは、本明細書に参考として取り入れられている米国特許出願第１３／６６２，０２２号及び／又は米国特許出願第１４／２６６，５６０号で説明される類似の構成にほぼ従うことが可能だろう。
【０３０６】
更に図８４を参照すると、側方延出部分８１６の先端部８１５は、本明細書において説明される原理にほぼ従ってカートリッジ８０１をハウジング（又はアクセスカバー）の一部と回転位置合わせするための半径方向位置合わせ突起／受け入れ部構成の一部として使用できる。
【０３０７】
図８５には、閉鎖された端部材８０４にほぼ向かって見た場合のカートリッジ８０１の平面図が提供される。閉鎖された端部材８０４は、埋め込まれた媒体を覆うように延設されたモールド・イン・プレース成形部分８０４ｍを含む。端部８０４の中央部８０４ｃは、プリフォーム８１０の中央部分又は端部８１０ｅにより閉鎖される。
【０３０８】
モールド・イン・プレース成形部分８０４は、図示される例では、図８５を見ている人に向かって突出する分割リングを含む突起構成８０４ｐを含む。突起８０４ｐは、取り付け中にハウジングに対する緩衝材として提供されることが可能である。尚、突起構成８０４ｐは、分割されない円を含む代替構成を有することができる。
【０３０９】
更に図８５を参照すると、８０４ｘで示されるように、端部材８０４は、本明細書において説明された特徴と同様の半径方向内側に向いた抵抗型ハウジング係合特徴を備えることができる。これは典型的には、端部キャップ８０４のモールド・イン・プレース成形部分８０４ｍを形成する材料と同一の材料から成る部分を含む「圧縮」係合構成を使用していただろう。
【０３１０】
更に図８５を参照して、突起８０４ｙに注目する。この突起は一般に本明細書の種々の説明に従って、半径方向位置合わせ構成の一部として作用でき、位置合わせはカートリッジの端部８０４と、それと関連するハウジングの端部分との間で起こる。
【０３１１】
図８６には、カートリッジ８０１の側面図が示される。
【０３１２】
図８７には、ほぼ図８６の右側に向かって見た場合の第２の側面図が示される。
【０３１３】
図示される特定の構成に関して、シール面８０５ｘ、８０５ｉの各々は、６つの凹部と交互に配置された６つの突出部を含むが、この数は変更可能である。更に、本例において、各面の種々の突出部及び凹部は対称に均等に配置されるが、それに代わる構成も可能である。尚、図示される特定のカートリッジ８０１に関して、シール構成又はシール突起８０５は相対的に一定の厚さを維持するので、面８０５ｘの外向き突出部８０５ｌは、内側の面８０５ｉの内向き突出部８０５ｙより大きい、すなわちそれより大きな半径を有するように構成される。
【０３１４】
Ｃ．カートリッジとハウジングとの密封係合の選択された変形例
図８３〜図８７にほぼ従ったカートリッジがハウジングに密封される方法のいくつかの選択された変形例は、図１０１〜図１０５の概略図から理解できる。
【０３１５】
図１０１を参照すると、ハウジングの一部が８５０で概略的に示される。部分８５０は、外側壁８５１ｘと内側壁８５１ｉとの間に配置された凹部又は溝８５１を含む。溝８５１は、フィルタカートリッジ８０１が取り付けられる場合にこの溝の中へ突出するシール突起８０５を受け入れるように形成され且つ構成されるだろう。面８５１ｘ、８５１ｉのいずれか一方又は双方は、カートリッジ８０１の面８０５ｘ、８０５ｉに関して密封するように抵抗密封係合するためのハウジングシール面として構成できる。（双方の面８５１ｘ、８５１ｉが密封を提供する場合、突起８０５はシール支持体を必要としなくてもよい。）
図１０２には、図１０１の構成の変形例が示される。この場合溝８５１ｇの外側壁８５１ｘは、ハウジング密封面として使用される。しかし、図１０１と同様の完全な面８５１ｉではなく、カートリッジ８０１を案内するための種々のセグメント又は突起８５１ｓが設けられるが、シール面を設けない。突起８５１ｓは、面全体にわたってではないが、面８０５ｓの複数の部分と係合する（あるいはそれから離間される）ように構成されることが可能である。突起の数、突起の位置及び突起の形状は変更可能である。しかし、それらの突起は、取り付けを容易にするためのガイドとして有用である。
【０３１６】
図１０３には、外側シール面８０５ｘと位置合わせするための案内突起が設けられ、壁８５１ｉは、カートリッジ８０１の内側シール面８０５ｉと密封係合するように維持される変形例が示される。
【０３１７】
図１０４において、ハウジング部分８５０は、外側に向いたシール面８５１ｉを有する部分のみを備えるように構成されるので、シール突起８０５との係合は、内側の面又は半径方向内側に向いた面８０５ｉに沿って起こる密封を伴う。
【０３１８】
図１０５には、ハウジング部分８５０がシール突起８０５の外側に向いたシール面８０５ｘとシールを形成するために半径方向内側に向いた面８５１ｘのみを備えるように構成される変形例が示される。
【０３１９】
半径方向突起の両面が共に起伏（離間した突出部）構成を有していないような構成に適応させた構成を含めた多様なシール構成と共に、上記の変形例を使用できることは言うまでもない。
【０３２０】
図１０１〜図１０５の図及び説明から、多様な可能性を理解できる。フィルタカートリッジの半径方向シール構成は、半径方向外側に向いた構成でのみ密封するように構成できる。このシール構成は、半径方向内側に向いた構成でのみ密封するようにも構成できる。また、内面と外面の双方に沿って密封するように構成することも可能である。ハウジング構成要素に関しては、外面とのみ係合するか、内面とのみ係合するか、その両面と係合するか、密封膨出部の半径方向に向いた面のうち１つのみと係合するハウジングシール面を有し、その一方で、反対側の面が密封面であるか否かに関わらず、反対側の面と係合又は整列する突起構成を有するように構成できる。
【０３２１】
これらの変形例は、ここで特徴を示した代替構成を含めて、本開示による多様な構成と共に実現可能である。
【０３２２】
Ｄ．付加的なエアクリーナアセンブリ及び特徴、図８８〜図１００Ｂ
図８８〜図１００Ｂには、本開示による付加的なエアクリーナアセンブリ（及び構成要素）が示される。図８８には、エアクリーナアセンブリの全体が９００で示される。アセンブリ９００は、フィルタカートリッジ（図８９の９２０を参照）を取り除いた状態で示される。従って、図８８のアセンブリ９００において見ることができるのはハウジング９０１である。ハウジング９０１は両端部を有し、第１の端部９０３及び反対側の第２の端部９０４を有するハウジング中央部分９０２を含む。図示されるアセンブリ９００において、第１の端部９０３は、ラッチ９０３ｂにより所定の場所に固定された端部（この場合には取り外し可能な）カバー９０３ａを含む。（アクセス）カバー９０３ａは、典型的にはシステムの（軸方向）出口流れ管として構成される流れ管９０５を有するように示される。
【０３２３】
図示されるアセンブリの端部９０４は、第２のハウジング端部又は端部分のカバー又は底部９０４ａを備え、カバー又は底部９０４ａは中央部分９０２とは別に製造され、本例では、例えばスナップフィットにより中央部分９０２に取り外し不可能なように固定される。しかし、端部カバー９０４ｅは、先に説明した原理を使用して、取り外し可能であるように構成されることも可能だろう。
【０３２４】
図８８を参照すると、取り付けパッド構成が９１０で示される。取り付けパッドの１つ９１０ｂは、図示されるようにハウジング端部材９０４ａに配置され、別の取り付けパッド９１０ａは、図示されるようにハウジング中央部分９０２に配置される。端部材９０４ａが取り外し可能な（アクセス）カバーとして形成される場合、典型的には取り付けパッド９１０ｂも中央部分９０２に配置され、それによりハウジング９０１の中央部分は、下端部又はアクセスカバー９０４ａが取り外されたときに所定の場所に固定取り付けされたままになるだろう。しかし図示される特定の端部カバー９０４ａは取り外し可能なアクセスカバーとして構成されず、ハウジング中央部分９０２に取り外し不可能に取り付けられるので、取り付けパッド９１０ｂを端部９０４ａに配置することができる。
【０３２５】
更に図８８を参照すると、ハウジング９０１は、第２の端部又は基部端部に、すなわち端部カバー９０４ａに中央突起９１５を含む。この突起９１５は、（突起／受け入れ部構成の一部として）取り付け時にカートリッジ９２０（図８９）の一端部に配置された受け入れ部を受け入れるように作用する。このことは以下に更に説明される。
【０３２６】
図８８を参照すると、突起９１５は、図示される例では、オプションの中央突起９１５ａ及びオプションの外側リング９１５ｒを有する遠端部９１５ｅを含み、突起９１５ａとリング９１５ｒとの間にオプションの（端部）受け入れ溝９１５ｇが配置される。受け入れ溝９１５ｇは、取り付け中にこの溝の中へ突出するカートリッジ９２０の中央軸方向突起（又は部分）を受け入れるような位置に配置される。このことは以下に更に説明される。
【０３２７】
図示される特定の突起９１５の場合、受け入れ溝９４５ｇは非円形であるが、それに代わる形状も可能である。特に端部９１５ｅの中央突起９１５ａは、本例では一般に複数の離間した外側に向いた突出部又は突起を含み、それらの突出部の間に凹部を有するような非円形の外周部を有する。尚、外側リング９１５ｒは、本例では複数の離間した凹部を有し、それらの凹部の間に内側突出部又は内側突起を含むほぼ非円形の突起を有する。このことは、以下に図９２及び図９２Ａに関連して更に説明される。
【０３２８】
更に図８８を参照すると、突起９１５ａはベース部分９１５ｂを含む。ベース部分８１５ｂの一部に、そこから上方へ突出するオプションの半径方向位置合わせ受け入れ部、凹部又は受け入れ溝穴９１５ｓが配置される。オプションの受け入れ溝穴９１５ｓは、取り付け時にその溝穴の中へ延出するカートリッジ９２０の半径方向位置合わせ突起又は位置決め突起を受け入れるように構成される。これは、以下に説明されるオプションの回転位置合わせ構成として作用するだろう。
【０３２９】
突起９１５はやや円錐形の又は徐々に細くなる形状を有するが、先に説明した特定の構成と同様に内側へ歪められた部分９１５ｄを有する中央部分９１５ｃを含む。これは本明細書において特徴を示される種類の偏心的カートリッジの取り付けを容易にすることができる。
【０３３０】
更に図８８を参照すると、この場合にはハウジング中央部分９０２に配置されたハウジング９０１の第２の流れ管が９１８で示される。流れ管９０８は一般に、先に説明した構成と同様であることができる入口流れ管として構成される。流れ管は傾斜した接線方向の流れ管として示されるが、それに代わる構成も可能である。
【０３３１】
次に図８９に注目する。図８９ではアセンブリ９００は、図８８のアクセスカバー９０３が取り外され、カートリッジ９２０が取り付けられた状態で示される。理解を容易にするために、様々な部分を概略的な横断面図で見ることができる。
【０３３２】
まず、カートリッジ９２０に注目する。カートリッジ９２０は一般に、内部空間９２０ｉを取り囲むように配置されたフィルタ媒体９２１を備える。フィルタ媒体９２１は襞付きであってもよいが、それに代わる材料から構成されることもできる。フィルタ媒体９２１は、一般に、両側の第１の端部９２１ａと第２の端部９２１ｂとの間に延設される。
【０３３３】
第１の端部９２１ａには第１の端部材９２３が配置され、第２の端部９２１ｂには第２の端部材９２４が配置される。図示される実施形態の場合、第１の端部材９２３は一般に、貫通する中央空気流れ開口部９２３ｏを有する開放された端部材である。これに対し、第２の端部材９２４は典型的には閉鎖された端部材である。すなわち第２の端部材は、内部空間９２０ｉと連通する貫通する中央開口部を持たないが、それに代わる構成も可能である。
【０３３４】
典型的にはフィルタアセンブリ９００は、濾過中に「外から中へ」の流れを形成するように構成されるが、それに代わる構成にも原理を適用できる。従って本例において、開口部９２３ｏは、濾過済み空気の出口開口部であるが、本明細書において説明される原理と共に別の流れ方向も使用可能である。第１の端部材９２３は、本明細書において図示され且つ説明される種々の実施形態に従って多様な特徴と共に構成されてよい。図示される特定の第１の端部材９２３は、一般に半径方向外側に向いた密封が得られるような形状に形成され且つそのように配向されたハウジングシール構成を有するように構成されるが、それに代わる構成も可能である。
【０３３５】
従って、本例の第１の端部材９２３は、半径方向（外側）に向いた面又は外面９２３ｘと、半径方向内側に向いた面又は内面９２３ｉとを有する密封膨出部９２３ｂを含む。外面９２３ｘは、外側に向いた半径方向密封面９２３ｓとして構成される。半径方向内側の（又は内側に向いた）面９２３ｉは、シール面として構成されないが、シール面であることも可能だろう。
【０３３６】
図示される例では、シール面９２３ｓは、シールにより取り囲まれる中心軸の周囲に沿って（言い換えれば、開口部９２３ｏの周囲に沿って）非円形シールを形成するように構成されるが、それに代わる構成も可能である。図示される特定の非円形パターンは、複数の半径方向（外側に面しているが、内側に向いた）凹形特徴又は凹部９２３ｒにより分離された複数の離間した半径方向（外側）に向いた突出部９２３ｐを含む。
【０３３７】
典型的には、少なくとも３個の突出部及び３個の凹部があり、通常は少なくとも４個、多くの場合に４〜１２個の範囲内の数、通常は４個以上、１０個以下の数の突出部及び凹部がある。シール面９２３ｓは、シールにより取り囲まれた中心軸の周囲に沿って起伏のある又は蛇行する形状を規定すると特徴付けられることが可能であり、軸の周囲の延出部分を追跡した場合又はたどった場合に周囲に沿って交互に配置された突出部及び凹部が見られる。
【０３３８】
図示される例において、内面９２３ｉは同様に密封面として構成されないが、先に図８３〜図８７に関連して一般に説明され、図１０１〜図１０５に関連して説明されるような原理を使用して、密封面として構成されることも可能であろう。
【０３３９】
図８９の特定の例の場合、面９２３ｉは、中心軸又は中央開口部９２３ｏの周囲に沿ってたどった場合又は追跡した場合に起伏のある又は蛇行する面パターンを規定しない。この場合、半径方向内側に向いた突出部９２３ｐの各々は、凹部９２３ｒに対向し、面９２３ｉの凹形部分又は凹部９２３ｇは、外向き突出部９２３ｐに対向する。これによりシール材料の使用に関して効率のよい密封膨出部９２３ｐが提供される。膨出部９２３ｐのシール材料は、一般に端部材９２３のモールド・イン・プレース成形部分９２３ｍの一部としてモールド・イン・プレース成形される。
【０３４０】
更に図８９を参照すると一般にハウジングシール面は、媒体の周囲部の間の位置で、媒体の端部９２１ａと軸方向に重なり合うような向きに配置される。これは必要ではないが、多くの用途で典型的である。
【０３４１】
尚、図８９のハウジングシール面又は面は、シールにより取り囲まれる中心軸に対してほぼ垂直なシール平面でシール周囲部を規定すると特徴付けられることが可能である。
【０３４２】
カートリッジ９２０は、必要に応じて、媒体９２１を取り囲むオプションの外側ライナを備えることができる。カートリッジ９２０は、その周囲に延設されたオプションの襞先端部ビードを更に備えることができる。図示される例では、カートリッジ９２０はその双方を含み、ライナは９２０ｌで示され、襞先端部ビードは９２０ｂで示される。それらは、先に特徴を示した通りであってもよい。
【０３４３】
更に図８９を参照すると、図示されるカートリッジ９２０は支持部材又はプリフォーム９３０を含み、その周囲に媒体９２１が配置される。図示される例では、プリフォーム９３０は中央ライナ構造９３１を含み、中央ライナ構成９３１はほぼ開放されているか又は多孔質であり、その周囲に媒体９２０が配置される。ライナ構造９３１は、一般に、媒体９２０を内側から支持する。
【０３４４】
支持体９３１は、両端部９３２、９３３の間に延設される。端部９３２は一般に、端部材９２３のモールド・イン・プレース成形部分９２３ｍに埋め込まれた部分を含む。モールド・イン・プレース成形部分は、密封膨出部９２３ｂ並びにそこから周囲方向（内側及び外側）に延出する部分を含む。プリフォーム端部９３２は一般に、媒体９２０の端部９２１ａを少なくとも部分的に横切るように延出し、突起９３２ａ、９３２ｂなどの１つ以上の突起を有する部分を含む。突起９３２ａは、密封膨出部９２３ｂの中に埋め込まれた支持体を提供し、典型的には、膨出部９２３ｂがモールド・イン・プレース成形されるときに成形型にはめ込まれる。突起９３２ｂは、端部９２１ａを横切るように延出する端部材の部分に対して強度を与えることができる。
【０３４５】
更に図８９を参照すると、カートリッジ９２０は使用中に図８８のアクセスカバー９０３ａに対して回転位置決めを行うようにカートリッジ内部空間の中に配置され、構成された、端部材９２３と関連する第１の非シール回転位置合わせ突起／受け入れ部構成の１つの部材を含む。図８９において、この第１の非シール半径方向位置合わせ突起／受け入れ部構成の第１の部材は、端部材９２３に隣接して配置される（且つ端部材９２３に隣接する位置から半径方向内側に突出する）突起９３１ｐを含む。図示される例では、個々の突起９３１ｐは、長手方向延出部分９３１ｅの各部分を含む。
【０３４６】
更に図８９を参照すると、端部材９２４はモールド・イン・プレース成形部分９２４ｍ及びプリフォーム中央突起／受け入れ部分９２４ｃを備える。部分９２４ｃはカートリッジ内部空間９２０ｉに対向し、ハウジングと係合するための受け入れ部として機能する受け入れ空間を規定する。中央部分８２４ｃは、内部空間９２０ｉと連通する空気の流れを阻止するようにほぼ閉鎖されている。中央部分９２４ｃの受け入れ部分９２４ｒとハウジングとの間の相互作用は、以下に更に説明される。
【０３４７】
更に図８９を参照すると、カートリッジ９２０は、ハウジング９０１と係合するための抵抗型（本例では圧縮）半径方向係合部材又は係合構成を備える。特にモールド・イン・プレース成形部分９２４ｍは、中央突起９１５のベース９１５ｂの周囲部に係合するように構成された（他の実施形態に関して先に説明した類似の特徴と同様に）半径方向内側に向いた部分９２４ｉを含む。本例では、この抵抗型半径方向係合部材又は係合構成は、突起９２４ｃへの入口を取り囲む。
【０３４８】
更に図８９を参照すると、ハウジング９０１は、排出弁９４１が配置された排出ポート９４０を含む。先に説明した構成の場合と同様に、アセンブリ９００は、濾過中に「外から中へ」の流れを形成するように構成されるので、排出ポート９４０は、使用中にカートリッジ９２０を取り囲む環状未濾過空気９４２と直接流体連通する。従って、図８８の入口９１８を介してハウジング内部空間に侵入する水及び他の物質は、フィルタ媒体９２１を通過することなく、ポート９４０及び弁９４１を介して直接流出又は排出されることが可能である。
【０３４９】
次に図９０に注目する。図９０には、カートリッジ９２０がハウジング９０１の中に配置され、アクセスカバー９０３ａは所定の場所に取り付けられている状態でアセンブリ９００が示される。アクセスカバー９０３ａは、カートリッジ９２０の半径方向外側に向いた図８９のシール面９２３ｓと係合するためのハイジングシール面９０３ｓを規定することがわかる。非円形の形状に対応するために、面９０３ｓは勘合する形状、この場合には内側に向いた凸形部分により取り囲まれた複数の外向き突出部（凹部）を有する。
【０３５０】
図９０では、アクセスカバー９０３ａは、アクセスカバー９０３ａがカートリッジ９２０と密封係合するために適切に回転位置合わせされた場合に突起９３１ｐのうち１つ以上と係合するように構成された非シール回転位置合わせ突起／受け入れ部構成９４８の第２の部材を含むことがわかる。図示される例では、半径方向位置合わせ突起／受け入れ部構成は、突起９３１ｐのうち１つを受け入れることにより、その場合にのみカートリッジ９２０ｓと完全に係合できるように構成された受け入れ凹部又は溝穴９４８ｓを含む。この係合はシール膨出部９２３ｐとシール面９０３ｓを適正に密封係合させるためにアクセスカバー９０３ａが適切に回転位置合わせされた場合（又はカートリッジがシール面９０３ｓと係合するように抵抗位置合わせされた場合）にのみ起こりうる。
【０３５１】
尚、更に図９０を参照すると、ハウジング９０１の底端部９０４ａは、中央部分９０２とは別に製造されており、その後容易に分離しないように中央部分９０２に固定されるように構成される。底部分は必要に応じてラッチ、ボルト又は他のコネクタにより固定される取り外し可能な部材であることも可能だろう。
【０３５２】
図９０において、カートリッジ９２０の側の中央突起／受け入れ部分９２４ｃに注目する。この部分９２４ｃは図示される例では、貫通する軸に対して垂直な断面でほぼ円形である端部キャップ又は端部キャップ部分９２４ｎを含み、突起９２４ｃはキャップ９２４ｎと媒体の第２の端部９２１ｂとの間の位置に、断面が非円形である中央部分９２４ｔを含むことがわかる。それに代わる構成も可能であり、例えば双方の部分が円形であるか又は双方の部分が非円形であることが可能だろう。しかし、図示される特定の例は組み立て及び製造、並びに本明細書において示される特定の好適な特徴を有する実現形態に好都合である。
【０３５３】
図９０Ａには、アクセスカバー９０３ａの内側底面斜視図が示される。この図では、シール面９０３ｓ及び溝穴９４８ｓを有する部材９４８ａを見ることができる。
【０３５４】
尚、カートリッジ９２０が図示されるように半径方向に向いたハウジングシールを有する場合、アクセスカバー９０３ａは面９０３ｘをシール面として利用することを可能にするような許容差で製造されないこともあるので、面９０３ｘはシール面として利用可能ではないのが好ましい。シール面としての意図しない使用を抑止するために、面９０３ｘは凹部９０３ｙを含む。
【０３５５】
また、アクセスカバー９０３ａはラッチ（又はそれに代わるコネクタ）９０３ｂの代わりに又はそれに加えて、ハウジング中央ポート９０２と係合するためのオプションのスナップフィット構成を使用できる。これを可能にするためのオプションのスナップフィット受け入れ部部材は、一般に図９０Ａに９４９で示される。図示される例では、アクセスカバー９０３ａの周囲に半径方向に（典型的には等間隔で）離間して配置された３つのそのような部材９４９があるだろう。
【０３５６】
アクセスカバー９０３ａとハウジング中央部分９０２との係合に関して、図９０Ｂに注目する。図９０Ｂでは、ハウジング中央部分９０２は、アクセスカバー９０３ａが配置される場合にアクセスカバーの受け入れ部９４９とスナップフィット方式で係合するように配置されたオプションの突起９５０を備えることがわかる。これは、オプションの別の結合機構９０３ｂであることが可能であるが、システムによっては、ラッチなどのコネクタと関連させて使用されることも可能である。尚、状況に応じてスナップフィット結合は、必要な場合に分離が容易であるように、あるいは分離することが非常に難しいか又は実質的に不可能であるように形成されることが可能である。
【０３５７】
尚、更に図９０Ｂを参照すると、アクセスカバーを固定するためにボルト又はそれに代わるコネクタ構成を使用できる。このオプションの一例は、ボルト受け入れ部９５１の指示により提供される。これより多くのボルト受け入れ部が使用されることも可能だろう。また、篏合する部分９５４を有する９５３で示されるアクセスカバーの形状は、必要に応じてアクセスカバー９０３ａとハウジング中央部分９０２との間のオプションの回転位置合わせ構成として使用可能である。
【０３５８】
図９１には、選択された部分を横断面で示す付加的なアセンブリ図が示される。この場合、カートリッジ９２０は、ハウジング９０１の中に取り付けられ、受け入れ部９２４ｒが突起９１５を越えて突出している状態であることがわかる。尚、図中の重なり合いにより、適切な力が加えられるまでカートリッジ９２０が外れるのを抑止するために、端部キャップ部分９２４ｉが抵抗型（本例では圧縮）係合によってベース９１５ｂとどのように係合するかということがわかる。これは先に説明した適用に類似する典型的な適用だろう。
【０３５９】
図９２には、突起９１５を有する底部分９０４ａの上部斜視図が提供される。図９２Ａには、突起９１５ａの拡大部分図が示される。図９２Ａに注目する。
【０３６０】
図９２Ａを参照すると、見えているのは突起９１５の端部９１５ｅである。受け入れ溝９１５ｇにより分離された中央部材９１５ａ及び外側リング９１５ｒが示される。一般に、溝９１５ｇはその中へ突出する以下に説明されるカートリッジ９２０の突起部材を受け入れるような大きさに形成される。
【０３６１】
図示される特定の例の場合、溝９１５ｇは円形の形状を有していないが、別の用途で円形の形状を与えられるのであれば、それは可能だろう。図示される例の溝９１５ｇは、円形の形状ではなく、外側凹部９６１と交互に配置された内側突起９６０及び凹部９６６と交互に配置された外側突起９６５を有する外壁９１５ｒがあるために、オプションの蛇行又は起伏する形状を有する。この好適なオプションの方法によって、溝９１５ｇは、カートリッジの突起が篏合する形状を有する場合にのみ溝９１５ｇの中に受け入れられるように構成される。これは、カートリッジが所期のシステムに適正なカートリッジであることを容易に確認することができる。また取り付け中にカートリッジをハウジングの種々の部分と所望の回転関係に容易に維持することができる。
【０３６２】
図９３には、中央受け入れ部９２４ｒのすぐ上方で見たカートリッジ９２０の横断面図９２０が示される。フィルタ媒体９２１は概略的に（任意に）襞付き媒体として示されていることがわかる。
【０３６３】
一般に、受け入れ部９２４ｒはカートリッジ内部空間９２０ｉとは反対側の面で、中へ突出するハウジング９０２の突起９１５を受け入れるように配置された受け入れ凹部を規定する。図８９では、この相互作用を見ることができる。また、典型的には内部空間９２０ｉとは反対側の受け入れ部９２４ｒの面に、カートリッジ中央部分９２４ｃは溝９１５ｇの中へ突出するような大きさに形成された中央軸方向突起を含む。この中央軸方向突起又は突起部材は、図８９に９２４ｘで示される。
【０３６４】
図８９を参照すると一般に中央軸方向突起９２４ｘは、少なくともその一部で、図示される例において、円形の断面を有する端部材又は端部キャップ９２４ｎの領域の突起９２４ｐの部分により取り囲まれる。また突起９２４ｘは、円形の断面を有していない突起９２４ｃの部分により取り囲まれる位置まで突出するのに十分な長さを有することができる。
【０３６５】
図９４には、ハウジング底部９０４ａと係合するカートリッジ９２０の一部の横断面図が示される。
【０３６６】
図９５には、図９４の図よりわずかに低い位置の横断面図が示される。
【０３６７】
図９６には、突起９１５の平面図が示される。溝穴９１５ｓに注目すると、溝穴９１５ｓは適切な回転位置合わせが起こった場合に、溝穴９１５ｓの中へ突出するフィルタカートリッジの閉鎖端部にある半径方向位置合わせ突起を受け入れるように構成される。
【０３６８】
図１００には、閉鎖された端部材９２４に向かって見た場合のカートリッジ９２０の斜視図が示される。篏合する突起９７０は、カートリッジがハウジングと係合する場合に図９６の溝穴９１５ｓと係合するような大きさに形成され、そのような位置に配置されることが可能である。また、端部材９２３から離れる方向に突出し、溝９１５ｇの中へ突出する方向に配向された受け入れ部９２４ｒに、本例では非円形の中央軸方向突起を見ることができる。
【０３６９】
典型的には、突起９２１は、受け入れ部又は凹部の周囲に中実壁を規定するが、それに代わる構成も可能である。
【０３７０】
図９７には、突起９７１と溝９１５ｇとの係合を示す拡大部分図が示される。
【０３７１】
図９８には、更なる拡大図が示され、溝９１５ｇに受け入れられた突起９７１を更に示す。
【０３７２】
図９９には、この場合には異なる回転向きから見た場合の更なる拡大図が横断面で示される。
【０３７３】
図１００Ａ−図１００Ｂには、カートリッジ９２０で使用可能な支持部材９３０が示される。これは先に説明したような類似のプリフォーム支持体と同様であることが可能だろう。支持部材９３０は、剛性プラスチックなどの相当に剛性の高い材料から予成形されることが可能であり、その後カートリッジ９２０を形成するために、その周囲に媒体及び成形部分を位置決めするために使用されることが可能だろう。図１００Ａでは、図８９に関連して先に説明した種々の特徴を有するポート９３０を見ることができる。リブ９８１により内側部分９８０に固定されたシール支持体９２３ａに注目する。部材９２３ａは、取り付け中に半径方向外側に向いたシール面９２３ｓを支持するために、図８９の密封膨出部９２３ｐの中に配置される支持部材であることが可能である。
【０３７４】
図１００Ｂには、支持体９３０が横断面図で示される。非円形の突起９７１を見ることができる。また位置決めフィン９７０も見られる。
【０３７５】
図１００Ａ−図１００Ｂを参照すると、支持体９３０は先に説明した種々の種類の偏心性を提供するために使用可能であることがわかる。例えば図１００Ｂを参照すると、シール支持領域９２３ａは、支持体の下端部９８５に関して偏心性を有するように構成できる。更に上端部９８６に隣接して支持体９３０は、使用中に媒体により取り囲まれ、下端部９８５に関して偏心的である領域９８７を有することができる。更に下端部９８８に基部９８８を有する突起９２４ｒを設けることができ、この突起９２４ｒは上端部９８６に隣接する種々の特徴に関して偏心的である。
【０３７６】
従って支持体９３０は、カートリッジで使用された場合に本明細書において説明した種々の種類の偏心性を有するカートリッジを提供するように構成できる。
【０３７７】
尚、更に図８８〜図１００Ａの実施形態を参照すると、図示されるシール部材は、周囲にシールが配置される軸とほぼ平行な平面において（非円形の）シールパターンを有するとして特徴付けられることが可能であり、中央突起９７１はその突起９７１により取り囲まれる平面において（非円形の）パターンを有するとして特徴付けられることが可能である。それら２つの平面は、多くの用途でほぼ平行であってもよい。また、突出部を含む構成が使用される場合、シール部材と突起がそれぞれ同数の突出部を有してもよく、場合によっては突出部は「半径方向に位置合わせされ」てもよい。本明細書において使用される場合の用語「半径方向に位置合わせされる」は、多くの用途でそれらの部材は典型的には互いに偏心的な中心を有すると考えられるので、それらの部材が互いに垂直方向に直接重なり合って配置されることを意味しない。しかし、中心軸に対してそれぞれの（突出部を含むハウジングシール部材９２３ｓ及び中央軸方向突起９７１の各々の）突出部は、そのような用途においてほぼ同一の方向に延出してもよいことを意味する。
【０３７８】
尚、フィルタカートリッジは２つ以上のハウジングシール構成を含んでもよい。例えば、ただ１つの構成を示していることは、他のハウジングシール構成を含むことができないということを指示又は示唆することを意図しない。
【０３７９】
図８８〜図１００Ｂの種々の図において、寸法例が次のように提供される。ＷＩ＝５６ｍｍ、ＷＪ＝６６ｍｍ及びＷＫ＝２７．５ｍｍ。それに代わる寸法も使用可能であることは当然である。寸法例は多様な用途に関して使用可能な構成を指示し、本明細書において特徴を示される用途又は原理を一般に示すことを意図する。
【０３８０】
尚、図８８〜図１００Ｂの実施形態の特徴は、本明細書において他の図及び実施形態に関して説明した種々の構成を含めて、異なる特定の詳細を有する多様な構成で実現可能である。何らかの利点を得るために、実施されるあらゆる実施形態が図示されるいずれかの選択された実施形態の特定の特徴のすべてを有することは特段要求されない。
【０３８１】
Ｘ．選択された概要所見
フィルタカートリッジ及び／又はフィルタアセンブリと関連して使用可能な多様な特徴、技術及び構成が説明される。特徴は例えば車両又は他の機器で使用される内燃機関の吸気を濾過するためのエアクリーナアセンブリとして使用するように構成された構成と共に使用するのに特に適している。しかし、技術は他の用途にも適用可能である。
【０３８２】
一般にフィルタカートリッジは、ハウジング構成要素との選択された相互作用に適する特徴を有するとして特徴付けられる。示される複数の特徴は、カートリッジの両端部の間の偏心性（又はカートリッジの両端部の特徴）を提供することに関する。この偏心性は、取り付け及びハウジング内での使用に有利なカートリッジを提供できる。
【０３８３】
本明細書において特徴を示される典型的なフィルタカートリッジは、開放されたフィルタ内部空間を取り囲むフィルタ媒体を有し、フィルタ媒体は第１の端部及び第２の端部を有する。媒体の第１の端部に、第１の端部材が配置される。第１の端部材は貫通する流れ開口部を有する。フィルタ媒体の第２の端部に、第２の端部材が配置される。多くの典型的な用途において、第２の端部材は閉鎖されており、すなわち貫通する開口部を持たない。
【０３８４】
フィルタカートリッジの第１の端部と第２の端部との間の偏心性は、多様な方法で提供されることが可能である。本明細書において特徴を示される特定の例では、フィルタ媒体は、第１の端部材に隣接する位置で第１の媒体外周部を規定し、フィルタ媒体の第２の端部は、第２の端部材に隣接する位置で第２の媒体外周部を規定する。２つの媒体外周部は互いに関して偏心的に位置合わせされる。この偏心性が円錐形の媒体を使用せずに実現されるのではなく、第１の端部及び第２の端部に隣接してほぼ同一の大きさの周囲部を規定する媒体を使用することにより実現される一例が示される。
【０３８５】
偏心性を規定するための別の方法も提供される。その一例は一端部の特徴の他端部の外周部に対する偏心性に関連すること、又は両端部のカートリッジの外周部の間の偏心性に関連することを含む。開放端部に半径方向シール部材が設けられ、シール部材はカートリッジの反対側の端部の特徴が第２の端部材の外周部であるか、第２の端部材に隣接する媒体の外周部であるか又は別の特徴であるかに関わらず、その特徴に関して偏心的なパターンを特徴とするような方法が示される。
【０３８６】
第２の端部材が開放されたフィルタの中へ延出する受け入れ部突起を含む多様なカートリッジが示される。この受け入れ部突起は、開放されたフィルタ内部空間とは反対の側に受け入れ凹部を規定する。
【０３８７】
受け入れ部突起は多様な形状で提供されることが可能である。一例では受け入れ部が媒体の第２の端部から遠い側で、媒体の第１の端部に向かう端部キャップ又は端部材を有し、周囲断面寸法はほぼ円形であるが、円形の端部材又は端部キャップより低い位置に非円形である部分を更に有するような形状が提供されることが可能である。
【０３８８】
特徴を示される特定の例において、この中央受け入れ部は、カートリッジの内部空間とは反対の側の中央突起の面に中央軸方向突起を含み、この突起は、一般に媒体の第１の端部及び第１の端部キャップから突出する。中央凹部又は受け入れ領域を取り囲む壁、典型的には中実の壁（すなわち、完全に貫通する開口部を持たない壁）を含む中央軸方向突起の一例が示され且つ説明される。中実の壁は溝を有することができ、すなわち、両面であることが可能である。図示される例ではこの壁は非円形であり、すなわち本明細書において定義されるように形状に起伏を含む。一般に壁は壁を通る中心軸に対して垂直な平面において、非円形の周囲部を規定するように提供されることが可能である。
【０３８９】
第１の端部材にあるハウジングシール構成がシールの中心軸に対して垂直な投影平面において非円形であるようなフィルタカートリッジの例が示される。図示される例では、シールの中心軸の平面は、カートリッジの第２の端部にある受け入れ部突起の外側面（カートリッジの内部空間の反対側の面）の中央軸方向突起を通る平面とほぼ平行である。
【０３９０】
カートリッジの第２の端部は、特定の有利な用途において抵抗型ハウジング係合部材を有すると特徴付けられる場合がある。この抵抗型ハウジング係合部材は、例えば第２の端部材にモールド・イン・プレース成形圧縮可能材料から形成された圧縮構成を含むことができる。一般にこの抵抗型ハウジング係合部材は、第２の端部材の中心軸に対して直交する平面において周囲係合パターンを規定する。これは、第２の端部の中央受け入れ部に侵入して位置合わせされるように配置されることが可能である。係合パターンは、一般に、用途に応じて円形のパターンであること又は非円形であることが可能である。ハウジングの突起がカートリッジの受け入れ凹部の中へ延出するにつれてハウジングの突起の基部と係合するオーバル形の係合パターンを使用する例が示される。
【０３９１】
本明細書において特徴を示される構成において、カートリッジの開口部を有する第１の端部材に隣接する端部に、半径方向位置決め突起構成が配置される。半径方向位置決め構成は、一般に使用中に所望の半径方向位置合わせを実現するためにハウジングのアクセスカバー又は他の部分と係合するように配向された１つ以上の突起を含む半径方向内側へ突出する半径方向位置決め突起構成である。
【０３９２】
また、カートリッジの第２の端部の第２の端部材と関連して、半径方向割り出し位置決め構成が示される。この半径方向割り出し位置決め構成は、一例ではカートリッジがハウジングと係合するときに、ハウジングの突起の受け入れ溝穴又は凹部の中へ延出するように構成された単一のフィン又は半径方向内側に向いた突起部材を含む。
【０３９３】
本明細書において、典型的には第１の端部キャップ又は端部キャップを貫通する開口部の周囲の位置に配置された多様なハウジングシール構成の特徴が示される。円形のシール構成を使用できる。ハウジングシール構成は、第１の端部材の外側の周囲の周囲シール構成であることが可能であるが、別の位置に配置されることも可能である。図示される特定の例の構成では、ハウジングシール構成は、媒体の第１の端部と軸方向に重なり合う位置で、第１の端部材の外周部から半径方向内側に向いている。半径方向内側へ突出するシール面又は半径方向外側へ突出するシール面のいずれかであることが可能な構成の例が示される。例として、非円形の構成が特徴付けられる。シール面の周囲に沿ってシール面をたどった場合に、凹部により分離された複数の突出部を含む非円形の構成の例の特徴が示される。
【０３９４】
尚、本明細書において説明される技術の多くは、カートリッジが媒体の両端部の間及び／又はカートリッジの両端部の端部材の部分の間で必ずしも偏心性を示さない構成にも適用可能である。すなわち本明細書において示される選択された特徴は他の用途にも適用可能であるが、本明細書において特徴付けられるような何らかの形の偏心性を有するカートリッジと共に使用される場合に特に有利であるように特定して構成されていた。
【０３９５】
本明細書において、フィルタカートリッジで使用可能な種々の有利なライナ支持体が説明される。典型的なライナ支持体は、第１のライナ支持部分及び第２のライナ端部を有するだろう。図示される一例では、第１のライナ端部及び第２のライナ端部は、互いに関して偏心的に位置合わせされ、ライナ支持体はそれを取り囲むフィルタ媒体のカートリッジの中に配置される。ライナ支持体は、その一端部に媒体の一端部と少なくとも部分的に軸方向に重なり合うように延出する端部材を含むように配置されることが可能である。この第１の端部材は、例えば離間した延出部分により内側ライナ部分に固定されたシール支持部材を有するように構成されてもよい。シール支持体は円形及び非円形を含めて、多様な形状で提供されることが可能である。
【０３９６】
ライナ支持体は第２の端部に、本明細書において示されるような選択された特徴を有する受け入れ部突起を備えることができる。
【０３９７】
本開示によれば、エアクリーナアセンブリも提供される。エアクリーナアセンブリは、典型的には少なくとも１つのアクセスカバー、空気流れ入口及び空気流れ出口を有するハウジングを備える。本明細書において特徴付けられる定義のうち１つ以上にほぼ従ったフィルタカートリッジは、ハウジングの中に動作可能に配置され、ハウジングに解放可能に固定されるだろう。カートリッジは点検可能な部品であり、ハウジングから取り外し可能であり、ハウジングに再び設置することが可能であるような大きさに形成できる。
【０３９８】
本明細書において特徴を示される種々のフィルタカートリッジに関して、カートリッジは、ハウジングシール部材を含むハウジングシール構成を有するものとして説明される。これは、ここで示される原理があらゆる場合に単一のハウジングシール部材を必要とすることを示唆するものではない。実際ハウジングの異なる部分に対して密封する２つ以上のシール部材が使用されることは可能だろう。また、同一のカートリッジで２つ以上のシール部材が使用される場合、それらのシール部材は同一の種類であること又は異なる種類であることが可能である。
【０３９９】
一般に本明細書において説明される種々のカートリッジの特徴と相互作用するように設けられたハウジングの多様な特徴が示される。それらの特徴は、カートリッジでハウジングシール部材と密封係合するための特徴、カートリッジの一方又は双方の端部で回転位置合わせするための特徴、及びカートリッジの突起／受け入れ部構成と係合するための突起／受け入れ部構成を含む。
【０４００】
１つのアクセスカバーが配置されたハウジングの特徴が示されるが、２つのアクセスカバーがハウジングの両側に配置された別の例も特徴付けられる。
【０４０１】
流れ管構成に関連する多様な構成が説明される。図示される例では、第１の流れ管はハウジングの一端部に軸方向流れ管として、典型的には出口流れ管として配置される。また一般に第２の流れ管はハウジングの側面に、通常は入口流れに対して配置される。種々の流れ管の好適な形状及び向きが示される。
【０４０２】
好ましくはハウジングの内部で（典型的にはカートリッジの外側で）未濾過空気部分と直接流体連通する排出ポートを含むハウジングの例の特徴が示される。
【０４０３】
エアクリーナアセンブリは、本明細書において示される種々の特徴のうち選択された特徴を備え、特定の例で示される特定の他の特徴を回避して実現可能であることを理解すべきである。すなわち、本開示による何らかの利点を得るために、エアクリーナアセンブリ、ハウジング又はカートリッジが所定の実施形態で示される特徴のすべてを有することは特段要求されない。
【図１】
0006431904.tif 000002
【図２】
0006431904.tif 000003
【図３】
0006431904.tif 000004
【図４】
0006431904.tif 000005
【図５】
0006431904.tif 000006
【図６】
0006431904.tif 000007
【図７】
0006431904.tif 000008
【図８】
0006431904.tif 000009
【図９】
0006431904.tif 000010
【図１０】
0006431904.tif 000011
【図１１】
0006431904.tif 000012
【図１２】
0006431904.tif 000013
【図１３】
0006431904.tif 000014
【図１４】
0006431904.tif 000015
【図１５】
0006431904.tif 000016
【図１６】
0006431904.tif 000017
【図１７】
0006431904.tif 000018
【図１８】
0006431904.tif 000019
【図１９】
0006431904.tif 000020
【図２０】
0006431904.tif 000021
【図２１】
0006431904.tif 000022
【図２２】
0006431904.tif 000023
【図２３】
0006431904.tif 000024
【図２４】
0006431904.tif 000025
【図２５】
0006431904.tif 000026
【図２６】
0006431904.tif 000027
【図２７】
0006431904.tif 000028
【図２８】
0006431904.tif 000029
【図２９】
0006431904.tif 000030
【図３０】
0006431904.tif 000031
【図３１】
0006431904.tif 000032
【図３２】
0006431904.tif 000033
【図３３】
0006431904.tif 000034
【図３４】
0006431904.tif 000035
【図３５】
0006431904.tif 000036
【図３６】
0006431904.tif 000037
【図３７】
0006431904.tif 000038
【図３８】
0006431904.tif 000039
【図３９】
0006431904.tif 000040
【図４０】
0006431904.tif 000041
【図４１】
0006431904.tif 000042
【図４２】
0006431904.tif 000043
【図４３】
0006431904.tif 000044
【図４４】
0006431904.tif 000045
【図４５】
0006431904.tif 000046
【図４６】
0006431904.tif 000047
【図４７】
0006431904.tif 000048
【図４８】
0006431904.tif 000049
【図４８Ａ】
0006431904.tif 000050
【図４９】
0006431904.tif 000051
【図５０】
0006431904.tif 000052
【図５１】
0006431904.tif 000053
【図５２】
0006431904.tif 000054
【図５３】
0006431904.tif 000055
【図５４】
0006431904.tif 000056
【図５５】
0006431904.tif 000057
【図５６】
0006431904.tif 000058
【図５７】
0006431904.tif 000059
【図５７Ａ】
0006431904.tif 000060
【図５７Ｂ】
0006431904.tif 000061
【図５７Ｃ】
0006431904.tif 000062
【図５８】
0006431904.tif 000063
【図５９】
0006431904.tif 000064
【図６０】
0006431904.tif 000065
【図６０Ａ】
0006431904.tif 000066
【図６１】
0006431904.tif 000067
【図６２】
0006431904.tif 000068
【図６３】
0006431904.tif 000069
【図６４】
0006431904.tif 000070
【図６５】
0006431904.tif 000071
【図６６】
0006431904.tif 000072
【図６７】
0006431904.tif 000073
【図６８】
0006431904.tif 000074
【図６９】
0006431904.tif 000075
【図７０】
0006431904.tif 000076
【図７１】
0006431904.tif 000077
【図７２】
0006431904.tif 000078
【図７３】
0006431904.tif 000079
【図７４】
0006431904.tif 000080
【図７５】
0006431904.tif 000081
【図７６】
0006431904.tif 000082
【図７７】
0006431904.tif 000083
【図７７Ａ】
0006431904.tif 000084
【図７７Ｂ】
0006431904.tif 000085
【図７８】
0006431904.tif 000086
【図７９】
0006431904.tif 000087
【図８０】
0006431904.tif 000088
【図８１】
0006431904.tif 000089
【図８２】
0006431904.tif 000090
【図８３】
0006431904.tif 000091
【図８４】
0006431904.tif 000092
【図８５】
0006431904.tif 000093
【図８６】
0006431904.tif 000094
【図８７】
0006431904.tif 000095
【図８８】
0006431904.tif 000096
【図８９】
0006431904.tif 000097
【図９０】
0006431904.tif 000098
【図９０Ａ】
0006431904.tif 000099
【図９０Ｂ】
0006431904.tif 000100
【図９１】
0006431904.tif 000101
【図９２】
0006431904.tif 000102
【図９２Ａ】
0006431904.tif 000103
【図９３】
0006431904.tif 000104
【図９４】
0006431904.tif 000105
【図９５】
0006431904.tif 000106
【図９６】
0006431904.tif 000107
【図９７】
0006431904.tif 000108
【図９８】
0006431904.tif 000109
【図９９】
0006431904.tif 000110
【図１００】
0006431904.tif 000111
【図１００Ａ】
0006431904.tif 000112
【図１００Ｂ】
0006431904.tif 000113
【図１０１】
0006431904.tif 000114
【図１０２】
0006431904.tif 000115
【図１０３】
0006431904.tif 000116
【図１０４】
0006431904.tif 000117
【図１０５】
0006431904.tif 000118